(57)【特許請求の範囲】
【請求項１】
δ−エンドトキシンＣｒｙIIIａ又はδ−エンドトキシンＣｒｙＩＡを発現できる形質転換植物の作物における有害生物を防除する方法であって、活性成分としてクロチアミジンと、少なくとも１つの助剤とを含む農薬組成物を、形質転換植物に施用することを含み、ここで形質転換植物が綿及びトウモロコシから選択され、有害生物がAnthonomus属、Spodoptera属、Helothis属、及びOstrinia属から選択されることを特徴とする方法。
【発明の詳細な説明】
【技術分野】
【０００１】
本発明は、ニトロイミノまたはニトログアニジノ化合物（特にチアメトキサム；thiamethoxam）で有害生物を防除（controlling）する方法に関し；より詳しくは、有用植物の形質転換（transgenic）作物内および該作物上の有害生物をニトロイミノまたはニトログアニジノ化合物で防除する新規な方法に関する。
【背景技術】
【０００２】
ある有害生物防除方法が、文献において提案されている。
【発明の概要】
【発明が解決しようとする課題】
【０００３】
しかしながら、これらの方法は、有害生物防除の分野において充分に満足できるものではなく、そのために、有害生物、特に虫およびダニ（Acarina）目の代表的なものを防除し、およびこれらと戦うために、または植物、特に作物植物を保護するために、更なる方法を提供することへの需要がある。
【課題を解決するための手段】
【０００４】
この目的は、本発明に従って本発明の方法を提供することによって達成される。
【０００５】
したがって、本発明は、例えば、トウモロコシ、穀類、大豆、トマト、綿、ジャガイモ、イネおよびマスタードの作物における等の形質転換の有用植物の作物における有害生物を防除する方法であって、遊離形でまたは農芸化学的に有用な塩の形でニトロイミノまたはニトログアニジノ化合物、特にチアメトキサム、イミダクロプリド（imidacloprid）、Ｔｉ−４３５またはチアクロプリド（thiacloprid）と、少くとも１つの助剤とを含む農薬（pesticidal）組成物を、その有害生物またはそれらの環境、特にその作物植物自体に適用することを特徴とする方法に；当該組成物の使用に、およびそれで処理された形質転換植物の繁殖材料（propagation material）に関する。
【０００６】
驚くべきことに、例えば、農薬的に、特に殺虫的に、殺ダニ的に、殺線虫剤的にまたは殺菌的に（fungicidally）活性な成分を発現する１以上の遺伝子を含む、または除草剤に対して寛容性を有するか、または菌類（fungi）の攻撃に対して抵抗性の形質転換の有用植物に対する有害生物を防除するためのニトロイミノまたはニトログアニジノ化合物の使用が相乗効果を有することが、今や判明した。形質転換の植物と組み合わせたニトロイミノまたはニトログアニジノ化合物の使用が、防除されるべき有害生物に対して原理的に予想された相加的な効果を上回り、したがってニトロイミノまたはニトログアニジノ化合物の作用の、および、形質転換の植物によって、発現された活性原理の範囲を広げることは、特に２つの点において、非常に驚くべきことである：
【０００７】
特に、本発明の範囲内において、形質転換の有用植物により発現された効果との組合せにおけるニトロイミノまたはニトログアニジノ化合物の農薬的な活性が、一般に予想できるような、ニトロイミノまたはニトログアニジノ化合物単独の農薬的な活性と形質転換の作物植物単独との活性との比較において相加的なだけでなく、相乗効果も存在することが驚くべきことに見出された。しかしながら、用語「相乗的」は、この関連において農薬的な活性に制限されると理解されるべきでは決してなく、その用語は、ニトロイミノまたはニトログアニジノ化合物単独と、形質転換の有用植物単独との比較において、本発明に従う方法の他の有利な性質にも関連する。言及できるこのような有利な性質の例は：他の有害生物、例えば抵抗性の株への作用の農薬的スペクトルの拡大；ニトロイミノまたはニトログアニジノ化合物の適用割合（rate）の減少、またはニトロイミノまたはニトログアニジノ化合物単独で、または形質転換の有用植物単独では完全に無効である適用割合においても、本発明に従う組成物を用いる有害生物の充分な防除；改良された作物安全性；栄養分または油等のより高い含有量、より良好な繊維品質、改良された保存寿命（shelf life）、マイコトキシン等の有毒な生成物の低減された含有量、残留物または任意の種類の好適でない成分の低減された含有量またはより良好な消化性等の生産物品質の改善；好適でない温度、干ばつ（droughts）または水の塩分への改善された寛容性；栄養素取込、水取込および光合成等の改良された同化速度；改変された葉エリア（area）、低減された植物性（vegetative）成長、収量の増大、有利な種子形／種子厚さまたは発芽性等の有利な作物性質、腐生植物または着生植物による改変されたコロニー化、老衰の減少、改善されたフィトアレキシン生産、加速された熟成、花セット（flower set）の増加、低減された莢落下およびシャッタリング（shattering）、有益動物および捕食動物へのより良好な誘引、増大された受粉、鳥への誘引の低減；または当業者に公知の他の利点である。
【発明を実施するための形態】
【０００８】
チアメトキサム（５−（２−クロロチアゾール−５−イルメチル）−３−メチル−４−ニトロイミノ−パーヒドロ−１，３，５−オキサジアジン）等のニトロイミノまたはニトログアニジノ化合物は、ＥＰ−Ａ−Ｏ’５８０’５５３号から公知である。
【０００９】
本発明の範囲内では、「農薬マニュアル（The Pesticide Manual）」、第１０版、（１９９１）、The British Crop Protection Council（ロンドン）、第５９１頁から公知の、式
【００１０】
【化１】
0005932260.tif 000002
【００１１】
のイミダクロプリド（imidacloprid）も好ましく；
ヨーロッパ特許公開（ＥＰ−Ａ）第２３５’７２５号から公知の、式
【００１２】
【化２】
0005932260.tif 000003
【００１３】
のチアクロプリド（Thiacloprid）も好ましく；
更に、ヨーロッパ特許公開第３７６’２７９号から公知の、式
【００１４】
【化３】
0005932260.tif 000004
【００１５】
Ｔｉ- ４３５（クロチアミジン；Clotiamidin）も好ましい。
【００１６】
農芸化学的に適合性の（compatible）ニトロイミノまたはニトログアニジノ化合物の塩は、例えば、無機および有機酸の酸付加塩、特に塩酸、臭化水素酸、硫酸、硝酸、過塩素酸、リン酸、ギ酸、酢酸、トリフルオロ酢酸、シュウ酸、マロン酸、トルエンスルホン酸または安息香酸の塩である。本発明の範囲内で好ましいものは、活性成分として、チアメトキサム、イミダクロプリドをそれぞれ遊離形で、とりわけチアメトキサムを含むそれ自体は公知の組成物である。
【００１７】
本発明に従って用いられる形質転換の植物は、例えば、毒を産生する無脊椎動物、特に節足動物門から公知の、バチルス・チュリンジェンシス（thuringiensis）株から得ることができるような、例えば、それらが選択的に作用する毒を合成できるように；または、レクチン（lectins）等の植物から公知の；または除草剤または殺菌剤（fungicidal）耐性を発現できるように、組換えＤＮＡ技術により変換された植物またはそれらの繁殖材料である。このような毒、またはこのような毒を合成できる形質転換の植物の例は、例えばヨーロッパ特許公開第０  ３７４  ７５３号、国際公開第ＷＯ  ９３／０７２７８号、ＷＯ  ９５／３４６５６号、ヨーロッパ特許公開  ０  ４２７  ５２９号およびヨーロッパ特許公開第４５１  ８７８号において開示されており、これらは、参照することによりここに組み込む。
【００１８】
このような形質転換の植物を生成する方法は当業者に周知であり、例えば上記した刊行物に記述されている。
このような形質転換の植物により発現可能な毒は、例えば、殺虫的な性質を有し、および、形質転換の植物により発現される蛋白質等の毒、例えばバチルスセレウス（cereus）蛋白質またはバチルスポピリアエ（popliae）蛋白質；またはバチルス・チュリンジェンシスエンドトキシン（Ｂ. ｔ.）；例えば、ＣｒｙｌＡ（ａ）、ＣｒｙＩＡ（ｂ）、ＣｒｙＩＡ（ｃ）、ＣｒｙＩＩＡ、ＣｒｙＩＩＩＡ、ＣｒｙＩＩＩＢ２、またはＣｙｔＡ；ＶＩＰ１；ＶＩＰ２；ＶＩＰ３等；または、例えば、Photorhabdus luminescens、Xenorhabdus nematophilus等のPhotorhabdus種またはXenorhabdus 種等の線虫類にコロニーを作る（colonising）バクテリアの殺虫性の蛋白質；トリプシンインヒビター、セリンプロテアーゼインヒビター、パタチン（patatin）、シスタチン、パパインインヒビター等のプロテイナーゼインヒビター；リシン（ricin）、トウモロコシＲＩＰ、アブリン（abrin）、ルフィン（luffin）、サポリン（saporin）またはブリョジン（bryodin）等のリボソーム不活性化蛋白質（ＲＩＰ）；エンドウレクチン、大麦レクチンまたはスノードロップレクチン等の植物レクチン；またはアグルチニン類；サソリ毒、スパイダー毒液、スズメバチ毒液および他の虫特異的なニューロトキシン等の動物により生産された毒；３−ヒドロキシステロイドオキシダーゼ、エクジステロイドＵＤＰ−グリコシルトランスフェラーゼ、コレステロールオキシダーゼ、エクジソンインヒビター、ＨＭＧ−ＣＯＡレダクターゼ、ナトリウムおよびカルシウム等のイオンチャネル遮断剤、幼若ホルモンエステラーゼ、利尿ホルモンレセプター、スチルベンシンターゼ、ビベンジルシンターゼ、キチナーゼおよびグルカナーゼ等のステロイド代謝酵素を含む。
【００１９】
殺虫剤耐性をコード化し、一つ以上の毒を発現する一つ以上の遺伝子を含む公知の形質転換の植物の例は：KnockOut（登録商標）（トウモロコシ）、YieldGard（登録商標）（トウモロコシ）、ＮｕＣＯＴＮ  ３３Ｂ（登録商標）（綿）、Bollgard（登録商標）、NewLeaf（登録商標）（ジャガイモ）、NatureGard（登録商標）およびProtecta（登録商標）である。
【００２０】
以下の表は、標的および原理、有害生物、主に虫、ダニ、線虫類、ウィルス、バクテリアおよび病気に寛容性を示す、または特定の除草剤または除草剤の種類に寛容性を示す形質転換の作物表現型の更なる例を含む。
表Ａ１：作物：トウモロコシ
実施（effected）標的または    ＜作物表現型／寛容性の対象＞
１以上の発現原理
───────────────────────────────────
アセトラクテートシンターゼ    スルホニル尿素、イミダゾリノン、トリアゾロ
（ＡＬＳ）                    ピリミジン、ピリミジロキシベンゾエート、フ
タリド
アセチルＣｏＡカルボキシラ    アリーロキシフェノキシアルカンカルボン酸、
ーゼ（ＡＣＣａｓｅ）          シクロヘキサンジオン
ヒドロキシフェニルピルビン    イソキサフルトール（Isoxaflutol）またはイ
酸ジオキシゲナーゼ（ＨＰＰ    ソキサクロルトール（Isoxachlortol）等のイ
Ｄ）                          ソキサゾール類、メソトリオン（mesotrione）
またはスルコトリオン（sulcotrione）等のト
リオン類
ホスフィノトリチン（thrici    ホスフィノトリチン
n）アセチルトランスフェラ
ーゼ
Ｏ−メチルトランスフェラー    改変リグニンレベル
ゼ
グルタミンシンテターゼ        グルフォシネート（Glufosinate）、ビアラフ
ォス（Bialaphos）
アデニロコハク酸リアーゼ（    ＩＭＰおよびＡＭＰ合成のインヒビター
ＡＤＳＬ）
アデニロコハク酸シンターゼ    アデニロコハク酸合成のインヒビター
アントラニレートシンターゼ    トリプトファン合成および異化作用のインヒビ
ター
ニトリラーゼ（Nitrilase）     ブロモキシニル（Bromoxynil）およびロキシニ
ル（loxinyl）等の３，５−ジハロ−４−ヒド
ロキシベンゾニトリル類
５−エノールピルボイル−３    グリホセート（glyphosate）またはスルホセー
−ホスフォシキミ酸シンター    ト（sulfosate）
ゼ（ＥＰＳＰＳ）
グリホセートキシドレダクタ    グリホセートまたはスルホセート
ーゼ
プロトポルフィリノーゲンオ    ジフェニルエーテル類、環状イミド類、フェニ
キシダーゼ（ＰＲＯＴＯＸ）    ルピラゾール類、ピリジン誘導体類、フェノピ
レート（phenopylate）、オキサジアゾール類
、その他
【００２１】
実施標的または１以上の発現    ＜作物表現型／寛容性の対象＞
原理
───────────────────────────────────
Ｐ４５０  ＳＵ１等のチトク    生体異物およびスルホニル尿素類等の除草剤
ロームＰ４５０
Dimboa生合成（Ｂｘ１遺伝子）  Helminthosporium turcicum、Rhopalosiphum
maydi類、Diplodia maydis、Ostrinia nubi
lalis 、鱗翅類．
ＣＭＩＩＩ（小さいベーシッ    例えば、フサリウム、alternaria、sclerotina
クトウモロコシ種子ペプチド    等の植物病原体
コーン−ＳＡＦＰ（ゼーマチ    フサリウム、alternaria、sclerotina、rhizoc
ン；zeamatin）                tonia 、chaetomium、phycomyces等の植物病原
体
Ｈｍｌ遺伝子                  Cochliobulus
キチナーゼ                    植物病原体
グルカナーゼ                  植物病原体
コート蛋白質                  maize dwarf mosaicウィルス、maize chloroti
c dwarf ウィルス等のウィルス
バチルス・チュリンジェンシ    鱗翅類、鞘翅類、双翅類、線虫類、例えば、os
ス毒、ＶＩＰ  ３、バチルス    trinia nubilalis、heliothis zea 、アワヨト
セレウス毒、Photorabdus お    ウ幼虫、例えば、spodoptera frugiperda 、co
よびXenorhabdus 毒            rn rootworm 類、sesamia 種、黒ネキリムシ、
asian corn borer、ゾウムシ類
３−ヒドロキシステロイドオ    鱗翅類、鞘翅類、双翅類、線虫類、例えば、os
キシダーゼ                    trinia nubilalis、heliothis zea 、アワヨト
ウ幼虫例えば、spodoptera frugiperda 、corn
rootworm 類、sesamia 種、黒ネキリムシ、as
ian corn borer、ゾウムシ類
ペルオキシダーゼ              鱗翅類、鞘翅類、双翅類、線虫類、例えば、os
trinia nubilalis、heliothis zea 、アワヨト
ウ幼虫例えば、spodoptera frugiperda 、corn
rootworm 類、sesamia 種、黒ネキリムシ、as
ian corn borer、ゾウムシ類
【００２２】
実施標的または１以上の発現    ＜物表現型／寛容性の対象＞
原理
───────────────────────────────────
ロイシンアミノペプチダーゼ    鱗翅類、鞘翅類、双翅類、線虫類、例えば、os
インヒビター（ＬＡＰＩ）等    trinia nubilalis、heliothis zea 、アワヨト
のアミノペプチダーゼインヒ    ウ幼虫例えば、spodoptera frugiperda 、corn
ビター                         rootworm 類、sesamia 種、黒ネキリムシ、as
ian corn borer、ゾウムシ類
リモネンシンターゼ            corn rootworm 
レクチン類                    鱗翅類、鞘翅類、双翅類、線虫類、例えば、os
trinia nubilalis、heliothis zea 、アワヨト
ウ幼虫例えば、spodoptera frugiperda 、corn
rootworm 類、sesamia 種、黒ネキリムシ、as
ian corn borer、ゾウムシ類
シスタチン、パタチン、ヴィ    ゾウムシ類、  corn rootworm
ルジフェリン（virgiferin）
、ＣＰＴＩ等のプロテアーゼ
インヒビター
リボソーム不活性化蛋白質      鱗翅類、鞘翅類、双翅類、線虫類、例えば、os
trinia nubilalis、heliothis zea 、アワヨト
ウ幼虫例えば、spodoptera frugiperda 、corn
rootworm 類、sesamia 種、黒ネキリムシ、as
ian corn borer、ゾウムシ類
トウモロコシ５Ｃ９ポリペプ    鱗翅類、鞘翅類、双翅類、線虫類、例えば、os
チド                          trinia nubilalis、heliothis zea 、アワヨト
ウ幼虫例えば、spodoptera frugiperda 、corn
rootworm 類、sesamia 種、黒ネキリムシ、as
ian corn borer、ゾウムシ類
ＨＭＧ−ＣｏＡレダクターゼ    鱗翅類、鞘翅類、双翅類、線虫類、例えば、os
trinia nubilalis、heliothis zea 、アワヨト
ウ幼虫例えば、spodoptem frugiperda、corn r
ootworm 類、sesamia 種、黒ネキリムシ、asia
n corn borer、ゾウムシ類
【００２３】
表Ａ２：作物コムギ
実施標的または１以上の発現    ＜作物表現型／寛容性の対象＞
原理
───────────────────────────────────
アセトラクテートシンターゼ    スルホニル尿素、イミダゾリノン、トリアゾロ
（ＡＬＳ）                    ピリミジン、ピリミジロキシベンゾエート、フ
タリド
アセチルＣｏＡカルボキシラ    アリーロキシフェノキシアルカンカルボン酸、
ーゼ（ＡＣＣａｓｅ）          シクロヘキサンジオン
ヒドロキシフェニルピルビン    イソキサフルトールまたはイソキサクロルトー
酸ジオキシゲナーゼ（ＨＰＰ    ル等のイソキサゾール類、メソトリオンまたは
Ｄ）                          スルコトリオン等のトリオン類
ホスフィノトリチンアセチル    ホスフィノトリチン
トランスフェラーゼ
Ｏ−メチルトランスフェラー    改変リグニンレベル
ゼ
グルタミンシンテターゼ        グルフォシネート、ビアラフォス
アデニロコハク酸リアーゼ（    ＩＭＰおよびＡＭＰ合成のインヒビター
ＡＤＳＬ）
アデニロコハク酸シンターゼ    アデニロコハク酸合成のインヒビター
アントラニレートシンターゼ    トリプトファン合成および異化作用のインヒビ
ター
ニトリラーゼ                  ブロモキシニルおよびロキシニル等の３，５−
ジハロ−４−ヒドロキシベンゾニトリル類
５−エノールピルボイル−３    グリホセートまたはスルホセート
−ホスフォシキミ酸シンター
ゼ（ＥＰＳＰＳ）
グリホセートキシドレダクタ    グリホセートまたはスルホセート
ーゼ
プロトポルフィリノーゲンオ    ジフェニルエーテル類、環状イミド類、フェニ
キシダーゼ（ＰＲＯＴＯＸ）    ルピラゾール類、ピリジン誘導体類、フェノピ
レート、オキサジアゾール類、その他
Ｐ４５０  ＳＵ１等のチトク    生体異物およびスルホニル尿素類等の除草剤
ロームＰ４５０
抗菌類性（antifungal）ポリ    例えば、septoriaおよびfusarioum 等の植物病
ペプチドＡｌｙＡＦＰ          原体
グルコースオキシダーゼ        例えば、フサリウムおよびseptoria等の植物病
原体
ピロールニトリン合成遺伝子    例えば、フサリウムおよびseptoria等の植物病
原体
セリン／スレオニンキナーゼ    例えば、フサリウム、septoriaおよび他の病気
の植物病原体
過敏レスポンス誘引（elicit    例えば、フサリウム、septoriaおよび他の病気
ing）ポリペプチド             の植物病原体
全身性獲得耐性（ＳＡＲ）遺    ウィルス性、バクテリア性、菌類性、線虫類性
伝子                          の病原体
キチナーゼ                    植物病原体
グルカナーゼ                  植物病原体
二本鎖リボヌクレアーゼ        ＢＹＤＶおよびＭＳＭＶ等のウィルス
コート蛋白質                  ＢＹＤＶおよびＭＳＭＶ等のウィルス
バチルス・チュリンジェンシ    鱗翅類、鞘翅類、双翅類、線虫類、
ス毒、ＶＩＰ  ３、バチルス
セレウス毒、Photorabdus お
よびXenorhabdus 毒
３−ヒドロキシステロイドオ    鱗翅類、鞘翅類、双翅類、線虫類
キシダーゼ
ペルオキシダーゼ              鱗翅類、鞘翅類、双翅類、線虫類
ロイシンアミノペプチダーゼ    鱗翅類、鞘翅類、双翅類、線虫類、
インヒビター等のアミノペプ
チダーゼインヒビター
レクチン類                    鱗翅類、鞘翅類、双翅類、線虫類、アブラムシ
（aphids）
シスタチン、パタチン、ヴィ    鱗翅類、鞘翅類、双翅類、線虫類、アブラムシ
ルジフェリン、ＣＰＴＩ等の
プロテアーゼインヒビター
リボソーム不活性化蛋白質      鱗翅類、鞘翅類、双翅類、線虫類、アブラムシ
ＨＭＧ−ＣｏＡレダクターゼ    鱗翅類、鞘翅類、双翅類、線虫類、例えば、os
trinia nubilalis、heliothis zea 、アワヨト
ウ幼虫例えば、spodoptera frugiperda 、corn
rootworm 類、sesamia 種、黒ネキリムシ、as
ian corn borer、ゾウムシ類
【００２４】
表Ａ３：作物大麦
実施標的または１以上の発現    ＜作物表現型／寛容性の対象＞
原理
───────────────────────────────────
アセトラクテートシンターゼ    スルホニル尿素、イミダゾリノン、トリアゾロ
（ＡＬＳ）                    ピリミジン、ピリミジロキシベンゾエート、フ
タリド
アセチルＣｏＡカルボキシラ    アリーロキシフェノキシアルカンカルボン酸、
ーゼ（ＡＣＣａｓｅ）          シクロヘキサンジオン
ヒドロキシフェニルピルビン    イソキサフルトールまたはイソキサクロルトー
酸ジオキシゲナーゼ（ＨＰＰ    ル等のイソキサゾール類、メソトリオンまたは
Ｄ）                          スルコトリオン等のトリオン類
ホスフィノトリチンアセチル    ホスフィノトリチン
トランスフェラーゼ
Ｏ−メチルトランスフェラー    改変リグニンレベル
ゼ
グルタミンシンテターゼ        グルフォシネート、ビアラフォス
アデニロコハク酸リアーゼ（    ＩＭＰおよびＡＭＰ合成のインヒビター
ＡＤＳＬ）
アデニロコハク酸シンターゼ    アデニロコハク酸合成のインヒビター
アントラニレートシンターゼ    トリプトファン合成および異化作用のインヒビ
ター
ニトリラーゼ                  ブロモキシニルおよびロキシニル等の３，５−
ジハロ−４−ヒドロキシベンゾニトリル類
５−エノールピルボイル−３    グリホセートまたはスルホセート
−ホスフォシキミ酸シンター
ゼ（ＥＰＳＰＳ）
グリホセートキシドレダクタ    グリホセートまたはスルホセート
ーゼ
プロトポルフィリノーゲンオ    ジフェニルエーテル類、環状イミド類、フェニ
キシダーゼ（ＰＲＯＴＯＸ）    ルピラゾール類、ピリジン誘導体類、フェノピ
レート、オキサジアゾール類、その他
Ｐ４５０  ＳＵ１等のチトク    生体異物およびスルホニル尿素類等の除草剤
ロームＰ４５０
抗菌類性ポリペプチドＡｌｙ    例えば、septoriaおよびfusarioum 等の植物病
ＡＦＰ                        原体
【００２５】
実施標的または１以上の発現    ＜作物表現型／寛容性の対象＞
原理
───────────────────────────────────
グルコースオキシダーゼ        例えば、フサリウムおよびseptoria等の植物病
原体
ピロールニトリン合成遺伝子    例えば、フサリウムおよびseptoria等の植物病
原体
セリン／スレオニンキナーゼ    例えば、フサリウム、septoriaおよび他の病気
の植物病原体
過敏レスポンス誘引（elicit    例えば、フサリウム、septoriaおよび他の病気
ing）ポリペプチド             の植物病原体
全身性獲得耐性（ＳＡＲ）遺    ウィルス性、バクテリア性、菌類性、線虫類の
伝子                          病原体
キチナーゼ                    植物病原体
グルカナーゼ                  植物病原体
二本鎖リボヌクレアーゼ        ＢＹＤＶおよびＭＳＭＶ等のウィルス
コート蛋白質                  ＢＹＤＶおよびＭＳＭＶ等のウィルス
バチルス・チュリンジェンシ    鱗翅類、鞘翅類、双翅類、線虫類、
ス毒、ＶＩＰ  ３、バチルス
セレウス毒、Photorabdus お
よびXenorhabdus 毒
３−ヒドロキシステロイドオ    鱗翅類、鞘翅類、双翅類、線虫類、
キシダーゼ
ペルオキシダーゼ              鱗翅類、鞘翅類、双翅類、線虫類
ロイシンアミノペプチダーゼ    鱗翅類、鞘翅類、双翅類、線虫類、
インヒビター等のアミノペプ
チダーゼインヒビター
レクチン類                    鱗翅類、鞘翅類、双翅類、線虫類、アブラムシ
シスタチン、パタチン、ヴィ    鱗翅類、鞘翅類、双翅類、線虫類、アブラムシ
ルジフェリン、ＣＰＴＩ等の
プロテアーゼインヒビター
リボソーム不活性化蛋白質      鱗翅類、鞘翅類、双翅類、線虫類、アブラムシ
ＨＭＧ−ＣｏＡレダクターゼ    鱗翅類、鞘翅類、双翅類、線虫類、アブラムシ
【００２６】
表Ａ４：作物イネ
実施標的または１以上の発現    ＜作物表現型／寛容性の対象＞
原理
───────────────────────────────────
アセトラクテートシンターゼ    スルホニル尿素、イミダゾリノン、トリアゾロ
（ＡＬＳ）                    ピリミジン、ピリミジロキシベンゾエート、フ
タリド
アセチルＣｏＡカルボキシラ    アリーロキシフェノキシアルカンカルボン酸、
ーゼ（ＡＣＣａｓｅ）          シクロヘキサンジオン
ヒドロキシフェニルピルビン    イソキサフルトールまたはイソキサクロルトー
酸ジオキシゲナーゼ（ＨＰＰ    ル等のイソキサゾール類、メソトリオンまたは
Ｄ）                          スルコトリオン等のトリオン類
ホスフィノトリチンアセチル    ホスフィノトリチン
トランスフェラーゼ
Ｏ−メチルトランスフェラー    改変リグニンレベル
ゼ
グルタミンシンテターゼ        グルフォシネート、ビアラフォス
アデニロコハク酸リアーゼ（    ＩＭＰおよびＡＭＰ合成のインヒビター
ＡＤＳＬ）
アデニロコハク酸シンターゼ    アデニロコハク酸合成のインヒビター
アントラニレートシンターゼ    トリプトファン合成および異化作用のインヒビ
ター
ニトリラーゼ                  ブロモキシニルおよびロキシニル等の３，５−
ジハロ−４−ヒドロキシベンゾニトリル類
５−エノールピルボイル−３    グリホセートまたはスルホセート
−ホスフォシキミ酸シンター
ゼ（ＥＰＳＰＳ）
グリホセートキシドレダクタ    グリホセートまたはスルホセート
ーゼ
プロトポルフィリノーゲンオ    ジフェニルエーテル類、環状イミド類、フェニ
キシダーゼ（ＰＲＯＴＯＸ）    ルピラゾール類、ピリジン誘導体類、フェノピ
レート、オキサジアゾール類、その他
Ｐ４５０  ＳＵ１等のチトク    生体異物およびスルホニル尿素類等の除草剤
ロームＰ４５０
抗菌類性ポリペプチドＡｌｙ    植物病原体
ＡＦＰ
グルコースオキシダーゼ        植物病原体
ピロールニトリン合成遺伝子    植物病原体
セリン／スレオニンキナーゼ    例えば、フサリウム、septoriaおよび他の病気
の
フエニルアラニンアンモニア    バクテリア性すす紋病（leaf blight）、誘導
リアーゼ（ＰＡＬ）            性（inducible）のrice blast等の植物病原体
【００２７】
実施標的または１以上の発現    ＜作物表現型／寛容性の対象＞
原理
───────────────────────────────────
フィトアレキシン              バクテリア性すす紋病、rice blast等の植物病
原体
Ｂ−１，３−グルカナーゼア    バクテリア性すす紋病、rice blast等の植物病
ンチセンス                    原体
レセプターキナーゼ            バクテリア性すす紋病、rice blast等の植物病
原体
過敏レスポンス誘引ポリペプ    植物病原体
チド
全身性獲得耐性（ＳＡＲ）遺    ウィルス性、バクテリア性、菌類性、線虫類の
伝子                          病原体
キチナーゼ                    バクテリア性すす紋病、rice blast等の植物病
原体
グルカナーゼ                  植物病原体
二本鎖リボヌクレアーゼ        ＢＹＤＶおよびＭＳＭＶ等のウィルス
コート蛋白質                  ＢＹＤＶおよびＭＳＭＶ等のウィルス
バチルス・チュリンジェンシ    例えば、stemborer 等の鱗翅類、rice waterゾ
ス毒、ＶＩＰ  ３、バチルス    ウムシ等の鞘翅類、双翅類、brown rice hoppe
セレウス毒、Photorabdus お    r 等のrice hopper 類
よびXenorhabdus 毒
３−ヒドロキシステロイドオ    例えば、stemborer 等の鱗翅類、rice waterゾ
キシダーゼ                    ウムシ等の鞘翅類、双翅類、brown rice hoppe
r 等のrice hopper 類
ペルオキシダーゼ              例えば、stemborer 等の鱗翅類、rice waterゾ
ウムシ等の鞘翅類、双翅類、brown rice hoppe
r 等のrice hopper 類
ロイシンアミノペプチダーゼ    例えば、stemborer 等の鱗翅類、rice waterゾ
インヒビター等のアミノペプ    ウムシ等の鞘翅類、双翅類、brown rice hoppe
チダーゼインヒビター          r 等のrice hopper 類
レクチン類                    例えば、stemborer 等の鱗翅類、rice waterゾ
ウムシ等の鞘翅類、双翅類、brown rice hoppe
r 等のrice hopper 類
プロテアーゼインヒビター      例えば、stemborer 等の鱗翅類、rice waterゾ
ウムシ等の鞘翅類、双翅類、brown rice hoppe
r 等のrice hopper 類
【００２８】
実施標的または１以上の発現    ＜作物表現型／寛容性の対象＞
原理
───────────────────────────────────
リボソーム不活性化蛋白質      例えば、stemborer 等の鱗翅類、rice waterゾ
ウムシ等の鞘翅類、双翅類、brown rice hoppe
r 等のrice hopper 類
ＨＭＧ−ＣｏＡレダクターゼ    例えば、stemborer 等の鱗翅類、rice waterゾ
ウムシ等の鞘翅類、双翅類、brown rice hoppe
r 等のrice hopper 類
【００２９】
表Ａ５：作物大豆
実施標的または１以上の発現    ＜作物表現型／寛容性の対象＞
原理
───────────────────────────────────
アセトラクテートシンターゼ    スルホニル尿素、イミダゾリノン、トリアゾロ
（ＡＬＳ）                    ピリミジン、ピリミジロキシベンゾエート、フ
タリド
アセチルＣｏＡカルボキシラ    アリーロキシフェノキシアルカンカルボン酸、
ーゼ（ＡＣＣａｓｅ）          シクロヘキサンジオン
ヒドロキシフェニルピルビン    イソキサフルトールまたはイソキサクロルトー
酸ジオキシゲナーゼ（ＨＰＰ    ル等のイソキサゾール類、メソトリオンまたは
Ｄ）                          スルコトリオン等のトリオン類
ホスフィノトリチンアセチル    ホスフィノトリチン
トランスフェラーゼ
Ｏ−メチルトランスフェラー    改変リグニンレベル
ゼ
グルタミンシンテターゼ        グルフォシネート、ビアラフォス
アデニロコハク酸リアーゼ（    ＩＭＰおよびＡＭＰ合成のインヒビター
ＡＤＳＬ）
アデニロコハク酸シンターゼ    アデニロコハク酸合成のインヒビター
アントラニレートシンターゼ    トリプトファン合成および異化作用のインヒビ
ター
ニトリラーゼ                  ブロモキシニルおよびロキシニル等の３，５−
ジハロ−４−ヒドロキシベンゾニトリル類
５−エノールピルボイル−３    グリホセートまたはスルホセート
−ホスフォシキミ酸シンター
ゼ（ＥＰＳＰＳ）
【００３０】
実施標的または１以上の発現    ＜作物表現型／寛容性の対象＞
原理
───────────────────────────────────
グリホセートキシドレダクタ    グリホセートまたはスルホセート
ーゼ
プロトポルフィリノーゲンオ    ジフェニルエーテル類、環状イミド類、フェニ
キシダーゼ（ＰＲＯＴＯＸ）    ルピラゾール類、ピリジン誘導体類、フェノピ
レート、オキサジアゾール類、その他
Ｐ４５０  ＳＵ１またはセレ    生体異物およびスルホニル尿素類等の除草剤
クション等のチトクロームＰ
４５０
抗菌類性ポリペプチドＡｌｙ    フサリウム、sclerotinia 、茎腐病（stem rot
ＡＦＰ                        ）等のバクテリア性および菌類病原体
シュウ酸オキシダーゼ          フサリウム、sclerotinia 、茎腐病（stem rot
）等のバクテリア性および菌類病原体
グルコースオキシダーゼ        フサリウム、sclerotinia 、茎腐病等のバクテ
リア性および菌類病原体
ピロールニトリン合成遺伝子    フサリウム、sclerotinia 、茎腐病等のバクテ
リア性および菌類病原体
セリン／スレオニンキナーゼ    フサリウム、sclerotinia 、茎腐病等のバクテ
リア性および菌類病原体
フエニルアラニンアンモニア    フサリウム、sclerotinia 、茎腐病等のバクテ
リアーゼ（ＰＡＬ）            リア性および菌類病原体
フィトアレキシン              バクテリア性すす紋病、rice blast等の植物病
原体
Ｂ−１，３−グルカナーゼア    バクテリア性すす紋病、rice blast等の植物病
ンチセンス                    原体
レセプターキナーゼ            フサリウム、sclerotinia 、茎腐病等のバクテ
リア性および菌類病原体
過敏レスポンス誘引ポリペプ    植物病原体
チド
全身性獲得耐性（ＳＡＲ）遺    ウィルス性、バクテリア性、菌類性、線虫類の
伝子                          病原体
キチナーゼ                    フサリウム、sclerotinia 、茎腐病等のバクテ
リア性および菌類病原体
グルカナーゼ                  フサリウム、sclerotinia 、茎腐病等のバクテ
リア性および菌類病原体
【００３１】
実施標的または１以上の発現    ＜作物表現型／寛容性の対象＞
原理
───────────────────────────────────
二本鎖リボヌクレアーゼ        ＢＹＤＶとＳｂＭＶ等のウィルス
コート蛋白質                  ＢＹＤＶおよびＭＳＭＶ等のウィルス
バチルス・チュリンジェンシ    鱗翅類、鞘翅類、アブラムシ
ス毒、ＶＩＰ  ３、バチルス
セレウス毒、Photorabdus お
よびXenorhabdus 毒
３−ヒドロキシステロイドオ    鱗翅類、鞘翅類、アブラムシ
キシダーゼ
ペルオキシダーゼ              鱗翅類、鞘翅類、アブラムシ
ロイシンアミノペプチダーゼ    鱗翅類、鞘翅類、アブラムシ
インヒビター等のアミノペプ
チダーゼインヒビター
レクチン類                    鱗翅類、鞘翅類、アブラムシ
ヴィルジフェリン等のプロテ    鱗翅類、鞘翅類、アブラムシ
アーゼインヒビター
リボソーム不活性化蛋白質      鱗翅類、鞘翅類、アブラムシ
ＨＭＧ−ＣｏＡレダクターゼ    鱗翅類、鞘翅類、アブラムシ
バルナーゼ（Barnase）         根こぶ線虫およびシスト線虫等の線虫類
シスト線虫孵化刺激            シスト線虫
抗摂食原理                    根こぶ線虫およびシスト線虫等の線虫類
【００３２】
表Ａ６：作物ジャガイモ
実施標的または１以上の発現    ＜作物表現型／寛容性の対象＞
原理
───────────────────────────────────
アセトラクテートシンターゼ    スルホニル尿素、イミダゾリノン、トリアゾロ
（ＡＬＳ）                    ピリミジン、ピリミジロキシベンゾエート、フ
タリド
アセチルＣｏＡカルボキシラ    アリーロキシフェノキシアルカンカルボン酸、
ーゼ（ＡＣＣａｓｅ）          シクロヘキサンジオン
ヒドロキシフェニルピルビン    イソキサフルトールまたはイソキサクロルトー
酸ジオキシゲナーゼ（ＨＰＰ    ル等のイソキサゾール類、メソトリオンまたは
Ｄ）                          スルコトリオン等のトリオン類
【００３３】
実施標的または１以上の発現    ＜作物表現型／寛容性の対象＞
原理
───────────────────────────────────
ホスフィノトリチンアセチル    ホスフィノトリチン
トランスフェラーゼ
Ｏ−メチルトランスフェラー    改変リグニンレベル
ゼ
グルタミンシンテターゼ        グルフォシネート、ビアラフォス
アデニロコハク酸リアーゼ（    ＩＭＰおよびＡＭＰ合成のインヒビター
ＡＤＳＬ）
アデニロコハク酸シンターゼ    アデニロコハク酸合成のインヒビター
アントラニレートシンターゼ    トリプトファン合成および異化作用のインヒビ
ター
ニトリラーゼ                  ブロモキシニルおよびロキシニル等の３，５−
ジハロ−４−ヒドロキシベンゾニトリル類
５−エノールピルボイル−３    グリホセートまたはスルホセート
−ホスフォシキミ酸シンター
ゼ（ＥＰＳＰＳ）
グリホセートキシドレダクタ    グリホセートまたはスルホセート
ーゼ
プロトポルフィリノーゲンオ    ジフェニルエーテル類、環状イミド類、フェニ
キシダーゼ（ＰＲＯＴＯＸ）    ルピラゾール類、ピリジン誘導体類、フェノピ
レート、オキサジアゾール類、その他
Ｐ４５０  ＳＵ１またはセレ    生体異物およびスルホニル尿素類等の除草剤
クション等のチトクロームＰ
４５０
ポリフェノールオキシダーゼ    黒斑bruise
またはポリフェノールオキシ
ダーゼアンチセンス
メタロチオネイン（Metallot    phytophtora 等のバクテリア性および菌類病
hionein）                     原体
リボヌクレアーゼ              Phytophtora 、Verticillium、Rhizoctonia 
抗菌類性ポリペプチドＡｌｙ    Phytophtora 、Verticillium、Rhizoctonia 等
ＡＦＰ                        のバクテリア性および菌類病原体
グルコースオキシダーゼ        Phytophtora 、Verticillium、Rhizoctonia 等
のバクテリア性および菌類病原体
ピロールニトリン合成遺伝子    Phytophtora 、Verticillium、Rhizoctonia 等
のバクテリア性および菌類病原体
【００３４】
実施標的または１以上の発現    ＜作物表現型／寛容性の対象＞
原理
───────────────────────────────────
セリン／スレオニンキナーゼ    Phytophtora 、Verticillium、Rhizoctonia 等
のバクテリア性および菌類病原体
Cecropin B                    コリネバクテリウム sepedonicum、Erwinia ca
rotovora等のバクテリア
フエニルアラニンアンモニア    Phytophtora 、Verticillium、Rhizoctonia 等
リアーゼ（ＰＡＬ）            のバクテリア性および菌類病原体
フィトアレキシン              Phytophtora 、Verticillium、Rhizoctonia 等
のバクテリア性および菌類病原体
Ｂ−１，３−グルカナーゼア    Phytophtora 、Verticillium、Rhizoctonia 等
ンチセンス                    のバクテリア性および菌類病原体
レセプターキナーゼ            Phytophtora 、Verticillium、Rhizoctonia 等
のバクテリア性および菌類病原体
過敏レスポンス誘引ポリペプ    Phytophtora 、Verticillium、Rhizoctonia 等
チド                          のバクテリア性および菌類病原体
全身性獲得耐性（ＳＡＲ）遺    ウィルス性、バクテリア性、菌類性、線虫類の
伝子                          病原体
キチナーゼ                    Phytophtora 、Verticillium、Rhizoctonia 等
のバクテリア性および菌類病原体
バルナーゼ                    Phytophtora 、Verticillium、Rhizoctonia 等
のバクテリア性および菌類病原体
病気耐性レスポンス遺伝子４    Phytophtora 、Verticillium、Rhizoctonia 等
９                            のバクテリア性および菌類病原体
トランスアルドラーゼアンチ    黒斑
センス
グルカナーゼ                  Phytophtora 、Verticillium、Rhizoctonia 等
のバクテリア性および菌類病原体
二本鎖リボヌクレアーゼ        ＰＬＲＶ、ＰＶＹおよびＴＲＶ等のウィルス
コート蛋白質                  ＰＬＲＶ、ＰＶＹおよびＴＲＶ等のウィルス
７ｋＤａまたは６０ｋＤａ蛋    ＰＬＲＶ、ＰＶＹおよびＴＲＶ等のウィルス
白質
核インクルージョン蛋白質、    ＰＬＲＶ、ＰＶＹおよびＴＲＶ等のウィルス
例えばａまたはｂ
【００３５】
実施標的または１以上の発現    ＜作物表現型／寛容性の対象＞
原理
───────────────────────────────────
プソイドユビキチン            ＰＬＲＶ、ＰＶＹおよびＴＲＶ等のウィルス
レプリカーゼ                  ＰＬＲＶ、ＰＶＹおよびＴＲＶ等のウィルス
バチルス・チュリンジェンシ    colorado potato beetle等の鞘翅類、アブラム
ス毒、ＶＩＰ  ３、バチルス    シ
セレウス毒、Photorabdus お
よびXenorhabdus 毒
３−ヒドロキシステロイドオ    colorado potato beetle等の鞘翅類、アブラム
キシダーゼ                    シ
ペルオキシダーゼ              colorado potato beetle等の鞘翅類、アブラム
シ
ロイシンアミノペプチダーゼ    colorado potato beetle等の鞘翅類、アブラム
インヒビター等のアミノペプ    シ
チダーゼインヒビター
スチルベンシンターゼ          colorado potato beetle等の鞘翅類、アブラム
シ
レクチン類                    colorado potato beetle等の鞘翅類、アブラム
シ
シスタチン、パタチン等のプ    colorado potato beetle等の鞘翅類、アブラム
ロテアーゼインヒビター        シ
リボソーム不活性化蛋白質      colorado potato beetle等の鞘翅類、アブラム
シ
ＨＭＧ−ＣｏＡレダクターゼ    colorado potato beetle等の鞘翅類、アブラム
シ
シスト線虫孵化刺激            シスト線虫
バルナーゼ                    根こぶ線虫およびシスト線虫等の線虫類
抗摂食原理                    根こぶ線虫およびシスト線虫等の線虫類
【００３６】
表Ａ７：作物トマト
実施標的または１以上の発現    ＜作物表現型／寛容性の対象＞
原理
───────────────────────────────────
アセトラクテートシンターゼ    スルホニル尿素、イミダゾリノン、トリアゾロ
（ＡＬＳ）                    ピリミジン、ピリミジロキシベンゾエート、フ
タリド
【００３７】
実施標的または１以上の発現    ＜作物表現型／寛容性の対象＞
原理
───────────────────────────────────
アセチルＣｏＡカルボキシラ    アリーロキシフェノキシアルカンカルボン酸、
ーゼ（ＡＣＣａｓｅ）          シクロヘキサンジオン
ヒドロキシフェニルピルビン    イソキサフルトールまたはイソキサクロルトー
酸ジオキシゲナーゼ（ＨＰＰ    ル等のイソキサゾール類、メソトリオンまたは
Ｄ）                          スルコトリオン等のトリオン類
ホスフィノトリチンアセチル    ホスフィノトリチン
トランスフェラーゼ
Ｏ−メチルトランスフェラー    改変リグニンレベル
ゼ
グルタミンシンテターゼ        グルフォシネート、ビアラフォス
アデニロコハク酸リアーゼ（    ＩＭＰおよびＡＭＰ合成のインヒビター
ＡＤＳＬ）
アデニロコハク酸シンターゼ    アデニロコハク酸合成のインヒビター
アントラニレートシンターゼ    トリプトファン合成および異化作用のインヒビ
ター
ニトリラーゼ                  ブロモキシニルおよびロキシニル等の３，５−
ジハロ−４−ヒドロキシベンゾニトリル類
５−エノールピルボイル−３    グリホセートまたはスルホセート
−ホスフォシキミ酸シンター
ゼ（ＥＰＳＰＳ）
グリホセートキシドレダクタ    グリホセートまたはスルホセート
ーゼ
プロトポルフィリノーゲンオ    ジフェニルエーテル類、環状イミド類、フェニ
キシダーゼ（ＰＲＯＴＯＸ）    ルピラゾール類、ピリジン誘導体類、フェノピ
レート、オキサジアゾール類、その他
Ｐ４５０  ＳＵ１またはセレ    生体異物およびスルホニル尿素類等の除草剤
クション等のチトクロームＰ
４５０
ポリフェノールオキシダーゼ    黒斑bruise
またはポリフェノールオキシ
ダーゼアンチセンス
メタロチオネイン（Metallot    phytophtora 等のバクテリア性および菌類病原
hionein）                     体
リボヌクレアーゼ              Phytophtora 、Verticillium、Rhizoctonia 
抗菌類性ポリペプチドＡｌｙ    bacterial speck 、フサリウム、軟腐病、うど
ＡＦＰ                        んこ病、crown rot 、leaf mould等のバクテリ
ア性および菌類病原体
シュウ酸オキシダーゼ          bacterial speck 、フサリウム、軟腐病、うど
んこ病、crown rot 、すすかび病、その他等の
バクテリア性および菌類病原体
グルコースオキシダーゼ        bacterial speck 、フサリウム、軟腐病、うど
んこ病、crown rot 、すすかび病、その他等の
バクテリア性および菌類病原体
ピロールニトリン合成遺伝子    bacterial speck 、フサリウム、軟腐病、うど
んこ病、crown rot 、すすかび病、その他等の
バクテリア性および菌類病原体
セリン／スレオニンキナーゼ    bacterial speck 、フサリウム、軟腐病、うど
んこ病、crown rot 、すすかび病、その他等の
バクテリア性および菌類病原体
Cecropin B                    bacterial speck 、フサリウム、軟腐病、うど
んこ病、crown rot 、すすかび病、その他等の
バクテリア性および菌類病原体
フエニルアラニンアンモニア    bacterial speck 、フサリウム、軟腐病、うど
リアーゼ（ＰＡＬ）            んこ病、crown rot 、すすかび病、その他等の
バクテリア性および菌類病原体
例えばＣｆ９、Ｃｆ５、Ｃｆ    すすかび病
４、Ｃｆ２等のＣｆ遺伝子
オスモチン（Osmotin）         alternaria solani 
アルファ  ホルドチオニン（    バクテリア
Hordothionin）
システミン（Systemin）        bacterial speck 、フサリウム、軟腐病、うど
んこ病、crown rot 、すすかび病、その他等の
バクテリア性および菌類病原体
【００３８】
実施標的または１以上の発現    ＜作物表現型／寛容性の対象＞
原理
───────────────────────────────────
ポリガラクトゥルナーゼ（Po    bacterial speck 、フサリウム、軟腐病、うど
lygalacturonase）インヒビ     んこ病、crown rot 、すすかび病、その他等の
ター類                        バクテリア性および菌類病原体
Ｐｒｆ調節（regulatory）遺    bacterial speck 、フサリウム、軟腐病、うど
伝子                          んこ病、crown rot 、すすかび病、その他等の
バクテリア性および菌類病原体
Ｉ２フサリウム耐性座（locu    フサリウム
s）
フィトアレキシン              bacterial speck 、フサリウム、軟腐病、うど
んこ病、crown rot 、すすかび病、その他等の
バクテリア性および菌類病原体
Ｂ−１，３−グルカナーゼア    bacterial speck 、フサリウム、軟腐病、うど
ンチセンス                    んこ病、crown rot 、すすかび病、その他等の
バクテリア性および菌類病原体
レセプターキナーゼ            bacterial speck 、フサリウム、軟腐病、うど
んこ病、crown rot 、すすかび病、その他等の
バクテリア性および菌類病原体
過敏レスポンス誘引ポリペプ    bacterial speck 、フサリウム、軟腐病、うど
チド                          んこ病、crown rot 、すすかび病、その他等の
バクテリア性および菌類病原体
全身性獲得耐性（ＳＡＲ）遺    ウィルス性、バクテリア性、菌類性、線虫類の
伝子                          病原体
キチナーゼ                    bacterial speck 、フサリウム、軟腐病、うど
んこ病、crown rot 、すすかび病、その他等の
バクテリア性および菌類病原体
【００３９】
実施標的または１以上の発現    ＜作物表現型／寛容性の対象＞
原理
───────────────────────────────────
バルナーゼ                    bacterial speck 、フサリウム、軟腐病、うど
んこ病、crown rot 、すすかび病、その他等の
バクテリア性および菌類病原体
グルカナーゼ                  bacterial speck 、フサリウム、軟腐病、うど
んこ病、crown rot 、すすかび病、その他等の
バクテリア性および菌類病原体
二本鎖リボヌクレアーゼ        ＰＬＲＶ、ＰＶＹおよびＴｏＭｏＶ等のウィル
ス
コート蛋白質                  ＰＬＲＶ、ＰＶＹおよびＴｏＭｏＶ等のウィル
ス
７ｋＤａまたは６０ｋＤａ蛋    ＰＬＲＶ、ＰＶＹおよびＴｏＭｏＶ等のウィル
白質                          ス
核インクルージョン蛋白質、    ＰＬＲＶ、ＰＶＹおよびＴｏＭｏＶ等のウィル
例えばａまたはｂ              ス
核蛋白質（nucleoprotein）    ＴＲＶ
プソイドユビキチン            ＰＬＲＶ、ＰＶＹおよびＴｏＭｏＶ等のウィル
ス
レプリカーゼ                  ＰＬＲＶ、ＰＶＹおよびＴｏＭｏＶ等のウィル
ス
バチルス・チュリンジェンシ    heliothis 等の鱗翅類、コナジラミ、アブラム
ス毒、ＶＩＰ  ３、バチルス    シ
セレウス毒、Photorabdus お
よびXenorhabdus 毒
３−ヒドロキシステロイドオ    heliothis 等の鱗翅類、コナジラミ、アブラム
キシダーゼ                    シ
ペルオキシダーゼ              heliothis 等の鱗翅類、コナジラミ、アブラム
シ
ロイシンアミノペプチダーゼ    heliothis 等の鱗翅類、コナジラミ、アブラム
インヒビター等のアミノペプ    シ
チダーゼインヒビター
レクチン類                    heliothis 等の鱗翅類、コナジラミ、アブラム
シ
シスタチン、パタチン等のプ    heliothis 等の鱗翅類、コナジラミ、アブラム
ロテアーゼインヒビター        シ
リボソーム不活性化蛋白質      heliothis 等の鱗翅類、コナジラミ、アブラム
シ
スチルベンシンターゼ          heliothis 等の鱗翅類、コナジラミ、アブラム
シ
【００４０】
実施標的または１以上の発現    ＜作物表現型／寛容性の対象＞
原理
───────────────────────────────────
ＨＭＧ−ＣｏＡレダクターゼ    heliothis 等の鱗翅類、コナジラミ、アブラム
シ
シスト線虫孵化刺激            シスト線虫
バルナーゼ                    根こぶ線虫およびシスト線虫等の線虫類
抗摂食原理                    根こぶ線虫およびシスト線虫等の線虫類
【００４１】
表Ａ８：作物コショウ
実施標的または１以上の発現    ＜作物表現型／寛容性の対象＞
原理
───────────────────────────────────
アセトラクテートシンターゼ    スルホニル尿素、イミダゾリノン、トリアゾロ
（ＡＬＳ）                    ピリミジン、ピリミジロキシベンゾエート、フ
タリド
アセチルＣｏＡカルボキシラ    アリーロキシフェノキシアルカンカルボン酸、
ーゼ（ＡＣＣａｓｅ）          シクロヘキサンジオン
ヒドロキシフェニルピルビン    イソキサフルトールまたはイソキサクロルトー
酸ジオキシゲナーゼ（ＨＰＰ    ル等のイソキサゾール類、メソトリオンまたは
Ｄ）                          スルコトリオン等のトリオン類
ホスフィノトリチンアセチル    ホスフィノトリチン
トランスフェラーゼ
Ｏ−メチルトランスフェラー    改変リグニンレベル
ゼ
グルタミンシンテターゼ        グルフォシネート、ビアラフォス
アデニロコハク酸リアーゼ（    ＩＭＰおよびＡＭＰ合成のインヒビター
ＡＤＳＬ）
アデニロコハク酸シンターゼ    アデニロコハク酸合成のインヒビター
アントラニレートシンターゼ    トリプトファン合成および異化作用のインヒビ
ター
ニトリラーゼ                  ブロモキシニルおよびロキシニル等の３，５−
ジハロ−４−ヒドロキシベンゾニトリル類
５−エノールピルボイル−３    グリホセートまたはスルホセート
−ホスフォシキミ酸シンター
ゼ（ＥＰＳＰＳ）
グリホセートキシドレダクタ    グリホセートまたはスルホセート
ーゼ
【００４２】
実施標的または１以上の発現    ＜作物表現型／寛容性の対象＞
原理
───────────────────────────────────
プロトポルフィリノーゲンオ    ジフェニルエーテル類、環状イミド類、フェニ
キシダーゼ（ＰＲＯＴＯＸ）    ルピラゾール類、ピリジン誘導体類、フェノピ
レート、オキサジアゾール類、その他
Ｐ４５０  ＳＵ１またはセレ    生体異物およびスルホニル尿素類等の除草剤
クション等のチトクロームＰ
４５０
ポリフェノールオキシダーゼ    バクテリア性および菌類病原体
またはポリフェノールオキシ
ダーゼアンチセンス
メタロチオネイン              バクテリア性および菌類病原体
リボヌクレアーゼ              バクテリア性および菌類病原体
抗菌類性ポリペプチドＡｌｙ    バクテリア性および菌類病原体
ＡＦＰ
シュウ酸オキシダーゼ          バクテリア性および菌類病原体
グルコースオキシダーゼ        バクテリア性および菌類病原体
ピロールニトリン合成遺伝子    バクテリア性および菌類病原体
セリン／スレオニンキナーゼ    バクテリア性および菌類病原体
Cecropin B                    rot 、すすかび病、その他等のバクテリア性お
よび菌類病原体
フエニルアラニンアンモニア    バクテリア性および菌類病原体
リアーゼ（ＰＡＬ）
例えばＣｆ９、Ｃｆ５、Ｃｆ    バクテリア性および菌類病原体
４、Ｃｆ２等のＣｆ遺伝子
オスモチン                    バクテリア性および菌類病原体
アルファ  ホルドチオニン      バクテリア性および菌類病原体
システミン                    バクテリア性および菌類病原体
ポリガラクトゥルナーゼイ      バクテリア性および菌類病原体
ンヒビター類
Ｐｒｆ調節遺伝子              バクテリア性および菌類病原体
Ｉ２フサリウム耐性座          フサリウム
フィトアレキシン              バクテリア性および菌類病原体
Ｂ−１，３−グルカナーゼア    バクテリア性および菌類病原体
ンチセンス
レセプターキナーゼ            バクテリア性および菌類病原体
過敏レスポンス誘引ポリペプ    バクテリア性および菌類病原体
チド
全身性獲得耐性（ＳＡＲ）遺    ウィルス性、バクテリア性、菌類性、線虫類の
伝子                          病原体
【００４３】
実施標的または１以上の発現    ＜作物表現型／寛容性の対象＞
原理
───────────────────────────────────
キチナーゼ                    バクテリア性および菌類病原体
バルナーゼ                    バクテリア性および菌類病原体
グルカナーゼ                  バクテリア性および菌類病原体
二本鎖リボヌクレアーゼ        ＣＭＶ、ＴＥＶ等のウィルス
コート蛋白質                  ＣＭＶ、ＴＥＶ等のウィルス
７ｋＤａまたは６０ｋＤａ蛋    ＣＭＶ、ＴＥＶ等のウィルス
白質
核インクルージョン蛋白質、    ＣＭＶ、ＴＥＶ等のウィルス
例えばａまたはｂ
核蛋白質                      ＣＭＶ、ＴＥＶ等のウィルス
プソイドユビキチン            ＣＭＶ、ＴＥＶ等のウィルス
レプリカーゼ                  ＣＭＶ、ＴＥＶ等のウィルス
バチルス・チュリンジェンシ    鱗翅類、コナジラミ、アブラムシ
ス毒、ＶＩＰ  ３、バチルス
セレウス毒、Photorabdus お
よびXenorhabdus 毒
３−ヒドロキシステロイドオ    鱗翅類、コナジラミ、アブラムシ
キシダーゼ
ペルオキシダーゼ              鱗翅類、コナジラミ、アブラムシ
ロイシンアミノペプチダーゼ    鱗翅類、コナジラミ、アブラムシ
インヒビター等のアミノペプ
チダーゼインヒビター
レクチン類                    鱗翅類、コナジラミ、アブラムシ
シスタチン、パタチン等のプ    鱗翅類、コナジラミ、アブラムシ
ロテアーゼインヒビター
リボソーム不活性化蛋白質      鱗翅類、コナジラミ、アブラムシ
スチルベンシンターゼ          鱗翅類、コナジラミ、アブラムシ
ＨＭＧ−ＣｏＡレダクターゼ    鱗翅類、コナジラミ、アブラムシ
シスト線虫孵化刺激            シスト線虫
バルナーゼ                    根こぶ線虫およびシスト線虫等の線虫類
抗摂食原理                    根こぶ線虫およびシスト線虫等の線虫類
【００４４】
表Ａ９：作物ブドウ
実施標的または１以上の発現    ＜作物表現型／寛容性の対象＞
原理
───────────────────────────────────
アセトラクテートシンターゼ    スルホニル尿素、イミダゾリノン、トリアゾロ
（ＡＬＳ）                    ピリミジン、ピリミジロキシベンゾエート、フ
タリド
【００４５】
実施標的または１以上の発現    ＜作物表現型／寛容性の対象＞
原理
───────────────────────────────────
アセチルＣｏＡカルボキシラ    アリーロキシフェノキシアルカンカルボン酸、
ーゼ（ＡＣＣａｓｅ）          シクロヘキサンジオン
ヒドロキシフェニルピルビン    イソキサフルトールまたはイソキサクロルトー
酸ジオキシゲナーゼ（ＨＰＰ    ル等のイソキサゾール類、メソトリオンまたは
Ｄ）                          スルコトリオン等のトリオン類
ホスフィノトリチンアセチル    ホスフィノトリチン
トランスフェラーゼ
Ｏ−メチルトランスフェラー    改変リグニンレベル
ゼ
グルタミンシンテターゼ        グルフォシネート、ビアラフォス
アデニロコハク酸リアーゼ（    ＩＭＰおよびＡＭＰ合成のインヒビター
ＡＤＳＬ）
アデニロコハク酸シンターゼ    アデニロコハク酸合成のインヒビター
アントラニレートシンターゼ    トリプトファン合成および異化作用のインヒビ
ター
ニトリラーゼ                  ブロモキシニルおよびロキシニル等の３，５−
ジハロ−４−ヒドロキシベンゾニトリル類
５−エノールピルボイル−３    グリホセートまたはスルホセート
−ホスフォシキミ酸シンター
ゼ（ＥＰＳＰＳ）
グリホセートキシドレダクタ    グリホセートまたはスルホセート
ーゼ
プロトポルフィリノーゲンオ    ジフェニルエーテル類、環状イミド類、フェニ
キシダーゼ（ＰＲＯＴＯＸ）    ルピラゾール類、ピリジン誘導体類、フェノピ
レート、オキサジアゾール類、その他
Ｐ４５０  ＳＵ１またはセレ    生体異物およびスルホニル尿素類等の除草剤
クション等のチトクロームＰ
４５０
ポリフェノールオキシダーゼ    Botrytisおよびうどんこ病等のバクテリア性お
またはポリフェノールオキシ    よび菌類病原体
ダーゼアンチセンス
メタロチオネイン              Botrytisおよびうどんこ病等のバクテリア性お
よび菌類病原体
リボヌクレアーゼ              Botrytisおよびうどんこ病等のバクテリア性お
よび菌類病原体
抗菌類性ポリペプチドＡｌｙ    Botrytisおよびうどんこ病等のバクテリア性お
ＡＦＰ                        よび菌類病原体
【００４６】
実施標的または１以上の発現    ＜作物表現型／寛容性の対象＞
原理
───────────────────────────────────
シュウ酸オキシダーゼ          Botrytisおよびうどんこ病等のバクテリア性お
よび菌類病原体
グルコースオキシダーゼ        Botrytisおよびうどんこ病等のバクテリア性お
よび菌類病原体
ピロールニトリン合成遺伝子    Botrytisおよびうどんこ病等のバクテリア性お
よび菌類病原体
セリン／スレオニンキナーゼ    Botrytisおよびうどんこ病等のバクテリア性お
よび菌類病原体
Cecropin B                    Botrytisおよびうどんこ病等のバクテリア性お
よび菌類病原体
フエニルアラニンアンモニア    Botrytisおよびうどんこ病等のバクテリア性お
リアーゼ（ＰＡＬ）            よび菌類病原体
例えばＣｆ９、Ｃｆ５、Ｃｆ    Botrytisおよびうどんこ病等のバクテリア性お
４、Ｃｆ２等のＣｆ遺伝子      よび菌類病原体
オスモチン                    Botrytisおよびうどんこ病等のバクテリア性お
よび菌類病原体
アルファ  ホルドチオニン      Botrytisおよびうどんこ病等のバクテリア性お
よび菌類病原体
システミン                    Botrytisおよびうどんこ病等のバクテリア性お
よび菌類病原体
ポリガラクトゥルナーゼイン    Botrytisおよびうどんこ病等のバクテリア性お
ヒビター類                    よび菌類病原体
Ｐｒｆ調節遺伝子              Botrytisおよびうどんこ病等のバクテリア性お
よび菌類病原体
フィトアレキシン              Botrytisおよびうどんこ病等のバクテリア性お
よび菌類病原体
Ｂ−１，３−グルカナーゼア    Botrytisおよびうどんこ病等のバクテリア性お
ンチセンス                    よび菌類病原体
レセプターキナーゼ            Botrytisおよびうどんこ病等のバクテリア性お
よび菌類病原体
過敏レスポンス誘引ポリペプ    Botrytisおよびうどんこ病等のバクテリア性お
チド                          よび菌類病原体
【００４７】
実施標的または１以上の発現    ＜作物表現型／寛容性の対象＞
原理
───────────────────────────────────
全身性獲得耐性（ＳＡＲ）遺    ウィルス性、バクテリア性、菌類性、線虫類性
伝子                          病原体
キチナーゼ                    Botrytisおよびうどんこ病等のバクテリア性お
よび菌類病原体
バルナーゼ                    Botrytisおよびうどんこ病等のバクテリア性お
よび菌類病原体
グルカナーゼ                  Botrytisおよびうどんこ病等のバクテリア性お
よび菌類病原体
二本鎖リボヌクレアーゼ        ウィルス
コート蛋白質                  ウィルス
７ｋＤａまたは６０ｋＤａ蛋    ウィルス
白質
核インクルージョン蛋白質、    ウィルス
例えばａまたはｂ
核蛋白質                      ウィルス
プソイドユビキチン            ウィルス
レプリカーゼ                  ウィルス
バチルス・チュリンジェンシ    鞘翅類、アブラムシ
ス毒、ＶＩＰ  ３、バチルス
セレウス毒、Photorabdus お
よびXenorhabdus 毒
３−ヒドロキシステロイドオ    鱗翅類、アブラムシ
キシダーゼ
ペルオキシダーゼ              鱗翅類、アブラムシ
ロイシンアミノペプチダーゼ    鱗翅類、アブラムシ
インヒビター等のアミノペプ
チダーゼインヒビター
レクチン類                    鱗翅類、アブラムシ
シスタチン、パタチン等のプ    鱗翅類、アブラムシ
ロテアーゼインヒビター
リボソーム不活性化蛋白質      鱗翅類、アブラムシ
スチルベンシンターゼ          鱗翅類、アブラムシ
ＨＭＧ−ＣｏＡレダクターゼ    鱗翅類、アブラムシ
シスト線虫孵化刺激            シスト線虫
バルナーゼ                    根こぶ線虫およびシスト線虫等の線虫類
ＣＢＩ                        根こぶ線虫
【００４８】
実施標的または１以上の発現    ＜作物表現型／寛容性の対象＞
原理
───────────────────────────────────
抗摂食原理                    根こぶ線虫およびシスト線虫等の線虫類
【００４９】
表Ａ１０：作物  脂肪種子セイヨウアブラナ
実施標的または１以上の発現    ＜作物表現型／寛容性の対象＞
原理
───────────────────────────────────
アセトラクテートシンターゼ    スルホニル尿素、イミダゾリノン、トリアゾロ
（ＡＬＳ）                    ピリミジン、ピリミジロキシベンゾエート、フ
タリド
アセチルＣｏＡカルボキシラ    アリーロキシフェノキシアルカンカルボン酸、
ーゼ（ＡＣＣａｓｅ）          シクロヘキサンジオン
ヒドロキシフェニルピルビン    イソキサフルトールまたはイソキサクロルトー
酸ジオキシゲナーゼ（ＨＰＰ    ル等のイソキサゾール類、メソトリオンまたは
Ｄ）                          スルコトリオン等のトリオン類
ホスフィノトリチンアセチル    ホスフィノトリチン
トランスフェラーゼ
Ｏ−メチルトランスフェラー    改変リグニンレベル
ゼ
グルタミンシンテターゼ        グルフォシネート、ビアラフォス
アデニロコハク酸リアーゼ（    ＩＭＰおよびＡＭＰ合成のインヒビター
ＡＤＳＬ）
アデニロコハク酸シンターゼ    アデニロコハク酸合成のインヒビター
アントラニレートシンターゼ    トリプトファン合成および異化作用のインヒビ
ター
ニトリラーゼ                  ブロモキシニルおよびロキシニル等の３，５−
ジハロ−４−ヒドロキシベンゾニトリル類
５−エノールピルボイル−３    グリホセートまたはスルホセート
−ホスフォシキミ酸シンター
ゼ（ＥＰＳＰＳ）
グリホセートキシドレダクタ    グリホセートまたはスルホセート
ーゼ
プロトポルフィリノーゲンオ    ジフェニルエーテル類、環状イミド類、フェニ
キシダーゼ（ＰＲＯＴＯＸ）    ルピラゾール類、ピリジン誘導体類、フェノピ
レート、オキサジアゾール類、その他
Ｐ４５０  ＳＵ１またはセレ    生体異物およびスルホニル尿素類等の除草剤
クション等のチトクロームＰ
４５０
ポリフェノールオキシダーゼ    Cylindrosporium 、Phoma 、Sclerotinia 等の
またはポリフェノールオキシ    バクテリア性および菌類病原体
ダーゼアンチセンス
【００５０】
実施標的または１以上の発現    ＜作物表現型／寛容性の対象＞
原理
───────────────────────────────────
メタロチオネイン              Cylindrosporium 、Phoma 、Sclerotinia 等の
バクテリア性および菌類病原体
リボヌクレアーゼ              Cylindrosporium 、Phoma 、Sclerotinia 等の
バクテリア性および菌類病原体
抗菌類性ポリペプチドＡｌｙ    Cylindrosporium 、Phoma 、Sclerotinia 等の
ＡＦＰ                        バクテリア性および菌類病原体
シュウ酸オキシダーゼ          Cylindrosporium 、Phoma 、Sclerotinia 等の
バクテリア性および菌類病原体
グルコースオキシダーゼ        Cylindrosporium 、Phoma 、Sclerotinia 等の
バクテリア性および菌類病原体
ピロールニトリン合成遺伝子    Cylindrosporium 、Phoma 、Sclerotinia 等の
バクテリア性および菌類病原体
セリン／スレオニンキナーゼ    Cylindrosporium 、Phoma 、Sclerotinia 等の
バクテリア性および菌類病原体
Cecropin B                    Cylindrosporium 、Phoma 、Sclerotinia 等の
バクテリア性および菌類病原体
フエニルアラニンアンモニア    Cylindrosporium 、Phoma 、Sclerotinia 等の
リアーゼ（ＰＡＬ）            バクテリア性および菌類病原体
例えばＣｆ９、Ｃｆ５、Ｃｆ    Cylindrosporium 、Phoma 、Sclerotinia 等の
４、Ｃｆ２等のＣｆ遺伝子      バクテリア性および菌類病原体
オスモチン                    Cylindrosporium 、Phoma 、Sclerotinia 等の
バクテリア性および菌類病原体
アルファ  ホルドチオニン      Cylindrosporium 、Phoma 、Sclerotinia 等の
バクテリア性および菌類病原体
システミン                    Cylindrosporium 、Phoma 、Sclerotinia 等の
バクテリア性および菌類病原体
ポリガラクトゥルナーゼイン    Cylindrosporium 、Phoma 、Sclerotinia 等の
ヒビター類                    バクテリア性および菌類病原体
Ｐｒｆ調節遺伝子              Cylindrosporium 、Phoma 、Sclerotinia 等の
バクテリア性および菌類病原体
フィトアレキシン              Cylindrosporium 、Phoma 、Sclerotinia 等の
バクテリア性および菌類病原体
【００５１】
実施標的または１以上の発現    ＜作物表現型／寛容性の対象＞
原理
───────────────────────────────────
Ｂ−１，３−グルカナーゼア    Cylindrosporium 、Phoma 、Sclerotinia 等の
ンチセンス                    バクテリア性および菌類病原体
レセプターキナーゼ            Cylindrosporium 、Phoma 、Sclerotinia 等の
バクテリア性および菌類病原体
過敏レスポンス誘引ポリペプ    Cylindrosporium 、Phoma 、Sclerotinia 等の
チド                          バクテリア性および菌類病原体
全身性獲得耐性（ＳＡＲ）遺    ウィルス性、バクテリア性、菌類性、線虫類性
伝子                          病原体
キチナーゼ                    Cylindrosporium 、Phoma 、Sclerotinia 等の
バクテリア性および菌類病原体
バルナーゼ                    Cylindrosporium 、Phoma 、Sclerotinia 等の
バクテリア性および菌類病原体、線虫類
グルカナーゼ                  Cylindrosporium 、Phoma 、Sclerotinia 等の
バクテリア性および菌類病原体
二本鎖リボヌクレアーゼ        ウィルス
コート蛋白質                  ウィルス
７ｋＤａまたは６０ｋＤａ蛋    ウィルス
白質
核インクルージョン蛋白質、    ウィルス
例えばａまたはｂ
核蛋白質                      ウィルス
プソイドユビキチン            ウィルス
レプリカーゼ                  ウィルス
バチルス・チュリンジェンシ    鱗翅類、アブラムシ
ス毒、ＶＩＰ  ３、バチルス
セレウス毒、Photorabdus お
よびXenorhabdus 毒
３−ヒドロキシステロイドオ    鱗翅類、アブラムシ
キシダーゼ
ペルオキシダーゼ              鱗翅類、アブラムシ
ロイシンアミノペプチダーゼ    鱗翅類、アブラムシ
インヒビター等のアミノペプ
チダーゼインヒビター
レクチン類                    鱗翅類、アブラムシ
シスタチン、パタチン、ＣＰ    鱗翅類、アブラムシ
ＴＩ等のプロテアーゼインヒ
ビター
【００５２】
実施標的または１以上の発現    ＜作物表現型／寛容性の対象＞
原理
───────────────────────────────────
リボソーム不活性化蛋白質      鱗翅類、アブラムシ
スチルベンシンターゼ          鱗翅類、アブラムシ、病気
ＨＭＧ−ＣｏＡレダクター      鱗翅類、アブラムシ
ゼ
シスト線虫孵化刺激            シスト線虫
バルナーゼ                    根こぶ線虫およびシスト線虫等の線虫類
ＣＢＩ                        根こぶ線虫
線虫類の摂食部位において      根こぶ線虫およびrootシスト線虫等の線虫類
誘導される抗摂食原理
【００５３】
表Ａ１１：作物  アブラナ属野菜（キャベツ、芽キャベツ、ブロッコリ、その他）
実施標的または１以上の発現    ＜作物表現型／寛容性の対象＞
原理
───────────────────────────────────
アセトラクテートシンターゼ    スルホニル尿素、イミダゾリノン、トリアゾロ
（ＡＬＳ）                    ピリミジン、ピリミジロキシベンゾエート、フ
タリド
アセチルＣｏＡカルボキシラ    アリーロキシフェノキシアルカンカルボン酸、
ーゼ（ＡＣＣａｓｅ）          シクロヘキサンジオン
ヒドロキシフェニルピルビン    イソキサフルトールまたはイソキサクロルトー
酸ジオキシゲナーゼ（ＨＰＰ    ル等のイソキサゾール類、メソトリオンまたは
Ｄ）                          スルコトリオン等のトリオン類
ホスフィノトリチンアセチル    ホスフィノトリチン
トランスフェラーゼ
Ｏ−メチルトランスフェラー    改変リグニンレベル
ゼ
グルタミンシンテターゼ        グルフォシネート、ビアラフォス
アデニロコハク酸リアーゼ（    ＩＭＰおよびＡＭＰ合成のインヒビター
ＡＤＳＬ）
アデニロコハク酸シンターゼ    アデニロコハク酸合成のインヒビター
アントラニレートシンターゼ    トリプトファン合成および異化作用のインヒビ
ター
ニトリラーゼ                  ブロモキシニルおよびロキシニル等の３，５−
ジハロ−４−ヒドロキシベンゾニトリル類
５−エノールピルボイル−３    グリホセートまたはスルホセート
−ホスフォシキミ酸シンター
ゼ（ＥＰＳＰＳ）
【００５４】
実施標的または１以上の発現    ＜作物表現型／寛容性の対象＞
原理
───────────────────────────────────
グリホセートキシドレダクタ    グリホセートまたはスルホセート
ーゼ
プロトポルフィリノーゲンオ    ジフェニルエーテル類、環状イミド類、フェニ
キシダーゼ（ＰＲＯＴＯＸ）    ルピラゾール類、ピリジン誘導体類、フェノピ
レート、オキサジアゾール類、その他
Ｐ４５０  ＳＵ１またはセレ    生体異物およびスルホニル尿素類等の除草剤
クション等のチトクロームＰ
４５０
ポリフェノールオキシダーゼ    バクテリア性および菌類病原体
またはポリフェノールオキシ
ダーゼアンチセンス
メタロチオネイン              バクテリア性および菌類病原体
リボヌクレアーゼ              バクテリア性および菌類病原体
抗菌類性ポリペプチドＡｌｙ    バクテリア性および菌類病原体
ＡＦＰ
シュウ酸オキシダーゼ          バクテリア性および菌類病原体
グルコースオキシダーゼ        バクテリア性および菌類病原体
ピロールニトリン合成遺伝子    バクテリア性および菌類病原体
セリン／スレオニンキナーゼ    バクテリア性および菌類病原体
Cecropin B                    バクテリア性および菌類病原体
フエニルアラニンアンモニア    バクテリア性および菌類病原体
リアーゼ（ＰＡＬ）
例えばＣｆ９、Ｃｆ５、Ｃｆ    バクテリア性および菌類病原体
４、Ｃｆ２等のＣｆ遺伝子
オスモチン                    バクテリア性および菌類病原体
アルファ  ホルドチオニン      バクテリア性および菌類病原体
システミン                    バクテリア性および菌類病原体
ポリガラクトゥルナーゼイ      バクテリア性および菌類病原体
ンヒビター類
Ｐｒｆ調節遺伝子              バクテリア性および菌類病原体
フィトアレキシン              バクテリア性および菌類病原体
Ｂ−１，３−グルカナーゼア    バクテリア性および菌類病原体
ンチセンス
レセプターキナーゼ            バクテリア性および菌類病原体
過敏レスポンス誘引ポリペプ    バクテリア性および菌類病原体
チド
全身性獲得耐性（ＳＡＲ）遺    ウィルス性、バクテリア性、菌類性、線虫類性
伝子                          病原体
キチナーゼ                    バクテリア性および菌類病原体
【００５５】
実施標的または１以上の発現    ＜作物表現型／寛容性の対象＞
原理
───────────────────────────────────
バルナーゼ                    バクテリア性および菌類病原体
グルカナーゼ                  バクテリア性および菌類病原体
二本鎖リボヌクレアーゼ        ウィルス
コート蛋白質                  ウィルス
７ｋＤａまたは６０ｋＤａ蛋    ウィルス
白質
核インクルージョン蛋白質、    ウィルス
例えばａまたはｂ
核蛋白質                      ウィルス
プソイドユビキチン            ウィルス
レプリカーゼ                  ウィルス
バチルス・チュリンジェンシ    鱗翅類、アブラムシ
ス毒、ＶＩＰ  ３、バチルス
セレウス毒、Photorabdus お
よびXenorhabdus 毒
３−ヒドロキシステロイドオ    鱗翅類、アブラムシ
キシダーゼ
ペルオキシダーゼ              鱗翅類、アブラムシ
ロイシンアミノペプチダーゼ    鱗翅類、アブラムシ
インヒビター等のアミノペプ
チダーゼインヒビター
レクチン類                    鱗翅類、アブラムシ
シスタチン、パタチン、ＣＰ    鱗翅類、アブラムシ
ＴＩ等のプロテアーゼインヒ
ビター
リボソーム不活性化蛋白質      鱗翅類、アブラムシ
スチルベンシンターゼ          鱗翅類、アブラムシ、病気
ＨＭＧ−ＣｏＡレダクターゼ    鱗翅類、アブラムシ
シスト線虫孵化刺激            シスト線虫
バルナーゼ                    根こぶ線虫およびシスト線虫等の線虫類
ＣＢＩ                        根こぶ線虫
線虫類の摂食部位において誘    根こぶ線虫およびrootシスト線虫等の線虫類
導された抗摂食原理
【００５６】
表Ａ１２：作物  リンゴ、梨等の梨果
実施標的または１以上の発現    ＜作物表現型／寛容性の対象＞
原理
───────────────────────────────────
アセトラクテートシンターゼ    スルホニル尿素、イミダゾリノン、トリアゾロ
（ＡＬＳ）                    ピリミジン、ピリミジロキシベンゾエート、フ
タリド
アセチルＣｏＡカルボキシラ    アリーロキシフェノキシアルカンカルボン酸、
ーゼ（ＡＣＣａｓｅ）          シクロヘキサンジオン
ヒドロキシフェニルピルビン    イソキサフルトールまたはイソキサクロルトー
酸ジオキシゲナーゼ（ＨＰＰ    ル等のイソキサゾール類、メソトリオンまたは
Ｄ）                          スルコトリオン等のトリオン類
ホスフィノトリチンアセチル    ホスフィノトリチン
トランスフェラーゼ
Ｏ−メチルトランスフェラー    改変リグニンレベル
ゼ
グルタミンシンテターゼ        グルフォシネート、ビアラフォス
アデニロコハク酸リアーゼ（    ＩＭＰおよびＡＭＰ合成のインヒビター
ＡＤＳＬ）
アデニロコハク酸シンターゼ    アデニロコハク酸合成のインヒビター
アントラニレートシンターゼ    トリプトファン合成および異化作用のインヒビ
ター
ニトリラーゼ                  ブロモキシニルおよびロキシニル等の３，５−
ジハロ−４−ヒドロキシベンゾニトリル類
５−エノールピルボイル−３    グリホセートまたはスルホセート
−ホスフォシキミ酸シンター
ゼ（ＥＰＳＰＳ）
グリホセートキシドレダクタ    グリホセートまたはスルホセート
ーゼ
プロトポルフィリノーゲンオ    ジフェニルエーテル類、環状イミド類、フェニ
キシダーゼ（ＰＲＯＴＯＸ）    ルピラゾール類、ピリジン誘導体類、フェノピ
レート、オキサジアゾール類、その他
Ｐ４５０  ＳＵ１またはセレ    生体異物およびスルホニル尿素類等の除草剤
クション等のチトクロームＰ
４５０
ポリフェノールオキシダーゼ    リンゴ腐敗病（apple scab）、または火傷病等
またはポリフェノールオキシ    のバクテリア性および菌類病原体
ダーゼアンチセンス
メタロチオネイン              リンゴ腐敗病、または火傷病等のバクテリア性
および菌類病原体
リボヌクレアーゼ              リンゴ腐敗病、または火傷病等のバクテリア性
および菌類病原体
【００５７】
実施標的または１以上の発現    ＜作物表現型／寛容性の対象＞
原理
───────────────────────────────────
抗菌類性ポリペプチドＡｌｙ    リンゴ腐敗病、または火傷病等のバクテリア性
ＡＦＰ                        および菌類病原体
シュウ酸オキシダーゼ          リンゴ腐敗病、または火傷病等のバクテリア性
および菌類病原体
グルコースオキシダーゼ        リンゴ腐敗病、または火傷病等のバクテリア性
および菌類病原体
ピロールニトリン合成遺伝子    リンゴ腐敗病、または火傷病等のバクテリア性
および菌類病原体
セリン／スレオニンキナーゼ    リンゴ腐敗病、または火傷病等のバクテリア性
および菌類病原体
Cecropin B                    リンゴ腐敗病、または火傷病等のバクテリア性
および菌類病原体
フエニルアラニンアンモニア    リンゴ腐敗病、または火傷病等のバクテリア性
リアーゼ（ＰＡＬ）            および菌類病原体
例えばＣｆ９、Ｃｆ５、Ｃｆ    リンゴ腐敗病、または火傷病等のバクテリア性
４、Ｃｆ２等のＣｆ遺伝子      および菌類病原体
オスモチン                    リンゴ腐敗病、または火傷病等のバクテリア性
および菌類病原体
アルファ  ホルドチオニン      リンゴ腐敗病、または火傷病等のバクテリア性
および菌類病原体
システミン                    リンゴ腐敗病、または火傷病等のバクテリア性
および菌類病原体
ポリガラクトゥルナーゼイ      リンゴ腐敗病、または火傷病等のバクテリア性
ヒビター類                    および菌類病原体
Ｐｒｆ調節遺伝子              リンゴ腐敗病、または火傷病等のバクテリア性
および菌類病原体
フィトアレキシン              リンゴ腐敗病、または火傷病等のバクテリア性
および菌類病原体
Ｂ−１，３−グルカナーゼア    リンゴ腐敗病、または火傷病等のバクテリア性
ンチセンス                    および菌類病原体
レセプターキナーゼ            リンゴ腐敗病、または火傷病等のバクテリア性
および菌類病原体
過敏レスポンス誘引ポリペプ    リンゴ腐敗病、または火傷病等のバクテリア性
チド                          および菌類病原体
全身性獲得耐性（ＳＡＲ）遺    ウィルス性、バクテリア性、菌類性、線虫類性
伝子                          病原体
分解性蛋白質（lytic protei    リンゴ腐敗病、または火傷病等のバクテリア性
n）                           および菌類病原体
リゾチーム                    リンゴ腐敗病、または火傷病等のバクテリア性
および菌類病原体
キチナーゼ                    リンゴ腐敗病、または火傷病等のバクテリア性
および菌類病原体
バルナーゼ                    バクテリア性および菌類病原体
グルカナーゼ                  バクテリア性および菌類病原体
二本鎖リボヌクレアーゼ        ウィルス
コート蛋白質                  ウィルス
７ｋＤａまたは６０ｋＤａ蛋    ウィルス
白質
核インクルージョン蛋白質、    ウィルス
例えばａまたはｂまたは核蛋
白質
プソイドユビキチン            ウィルス
レプリカーゼ                  ウィルス
バチルス・チュリンジェンシ    鱗翅類、アブラムシ、ダニ
ス毒、ＶＩＰ  ３、バチルス
セレウス毒、Photorabdus お
よびXenorhabdus 毒
３−ヒドロキシステロイドオ    鱗翅類、アブラムシ、ダニ
キシダーゼ
ペルオキシダーゼ              鱗翅類、アブラムシ、ダニ
ロイシンアミノペプチダーゼ    鱗翅類、アブラムシ、ダニ
インヒビター等のアミノペプ
チダーゼインヒビター
レクチン類                    鱗翅類、アブラムシ、ダニ
シスタチン、パタチン、ＣＰ    鱗翅類、アブラムシ、ダニ
ＴＩ等のプロテアーゼインヒ
ビター
【００５８】
実施標的または１以上の発現    ＜作物表現型／寛容性の対象＞
原理
───────────────────────────────────
リボソーム不活性化蛋白質      鱗翅類、アブラムシ、ダニ
スチルベンシンターゼ          鱗翅類、アブラムシ、病気、ダニ
ＨＭＧ−ＣｏＡレダクターゼ    鱗翅類、アブラムシ、ダニ
シスト線虫孵化刺激            シスト線虫
バルナーゼ                    根こぶ線虫およびシスト線虫等の線虫類
ＣＢＩ                        根こぶ線虫
線虫類の摂食部位において誘    根こぶ線虫およびrootシスト線虫等の線虫類
導された抗摂食原理
【００５９】
表Ａ１３：作物  メロン
実施標的または１以上の発現    ＜作物表現型／寛容性の対象＞
原理
───────────────────────────────────
アセトラクテートシンターゼ    スルホニル尿素、イミダゾリノン、トリアゾロ
（ＡＬＳ）                    ピリミジン、ピリミジロキシベンゾエート、フ
タリド
アセチルＣｏＡカルボキシラ    アリーロキシフェノキシアルカンカルボン酸、
ーゼ（ＡＣＣａｓｅ）          シクロヘキサンジオン
ヒドロキシフェニルピルビン    イソキサフルトールまたはイソキサクロルトー
酸ジオキシゲナーゼ（ＨＰＰ    ル等のイソキサゾール類、メソトリオンまたは
Ｄ）                          スルコトリオン等のトリオン類
ホスフィノトリチンアセチル    ホスフィノトリチン
トランスフェラーゼ
Ｏ−メチルトランスフェラー    改変リグニンレベル
ゼ
グルタミンシンテターゼ        グルフォシネート、ビアラフォス
アデニロコハク酸リアーゼ（    ＩＭＰおよびＡＭＰ合成のインヒビター
ＡＤＳＬ）
アデニロコハク酸シンターゼ    アデニロコハク酸合成のインヒビター
アントラニレートシンターゼ    トリプトファン合成および異化作用のインヒビ
ター
ニトリラーゼ                  ブロモキシニルおよびロキシニル等の３，５−
ジハロ−４−ヒドロキシベンゾニトリル類
５−エノールピルボイル−３    グリホセートまたはスルホセート
−ホスフォシキミ酸シンター
ゼ（ＥＰＳＰＳ）
【００６０】
実施標的または１以上の発現    ＜作物表現型／寛容性の対象＞
原理
───────────────────────────────────
グリホセートキシドレダクタ    グリホセートまたはスルホセート
ーゼ
プロトポルフィリノーゲンオ    ジフェニルエーテル類、環状イミド類、フェニ
キシダーゼ（ＰＲＯＴＯＸ）    ルピラゾール類、ピリジン誘導体類、フェノピ
レート、オキサジアゾール類、その他
Ｐ４５０  ＳＵ１またはセレ    生体異物およびスルホニル尿素類等の除草剤
クション等のチトクロームＰ
４５０
ポリフェノールオキシダーゼ    phytophtora 等のバクテリア性および菌類病原
またはポリフェノールオキシ    体
ダーゼアンチセンス
メタロチオネイン              phytophtora 等のバクテリア性および菌類病原
体
リボヌクレアーゼ              phytophtora 等のバクテリア性および菌類病原
体
抗菌類性ポリペプチドＡｌｙ    phytophtora 等のバクテリア性および菌類病原
ＡＦＰ                        体
シュウ酸オキシダーゼ          phytophtora 等のバクテリア性および菌類病原
体
グルコースオキシダーゼ        phytophtora 等のバクテリア性および菌類病原
体
ピロールニトリン合成遺伝子    phytophtora 等のバクテリア性および菌類病原
体
セリン／スレオニンキナーゼ    phytophtora 等のバクテリア性および菌類病原
体
Cecropin B                    phytophtora 等のバクテリア性および菌類病原
体
フエニルアラニンアンモニア    phytophtora 等のバクテリア性および菌類病原
リアーゼ（ＰＡＬ）            体
例えばＣｆ９、Ｃｆ５、Ｃｆ    phytophtora 等のバクテリア性および菌類病原
４、Ｃｆ２等のＣｆ遺伝子      体
オスモチン                    phytophtora 等のバクテリア性および菌類病原
体
【００６１】
実施標的または１以上の発現    ＜作物表現型／寛容性の対象＞
原理
───────────────────────────────────
アルファ  ホルドチオニン      phytophtora 等のバクテリア性および菌類病原
体
システミン                    phytophtora 等のバクテリア性および菌類病原
体
ポリガラクトゥルナーゼイン    phytophtora 等のバクテリア性および菌類病原
ヒビター類                    体
Ｐｒｆ調節遺伝子              phytophtora 等のバクテリア性および菌類病原
体
フィトアレキシン              phytophtora 等のバクテリア性および菌類病原
体
Ｂ−１，３−グルカナーゼア    phytophtora 等のバクテリア性および菌類病原
ンチセンス                    体
レセプターキナーゼ            phytophtora 等のバクテリア性および菌類病原
体
過敏レスポンス誘引ポリペプ    phytophtora 等のバクテリア性および菌類病原
チド                          体
全身性獲得耐性（ＳＡＲ）遺    ウィルス性、バクテリア性、菌類性、線虫類性
伝子                          病原体
分解性蛋白質                  phytophtora 等のバクテリア性および菌類病原
体
リゾチーム                    phytophtora 等のバクテリア性および菌類病原
体
キチナーゼ                    phytophtora 等のバクテリア性および菌類病原
体
バルナーゼ                    phytophtora 等のバクテリア性および菌類病原
体
グルカナーゼ                  phytophtora 等のバクテリア性および菌類病原
体
二本鎖リボヌクレアーゼ        ＣＭＶ、ＰＲＳＶ、ＷＭＶ２、ＳＭＶ、ＺＹＭ
Ｖ等のウィルス
コート蛋白質                  ＣＭＶ、ＰＲＳＶ、ＷＭＶ２、ＳＭＶ、ＺＹＭ
Ｖ等のウィルス
【００６２】
実施標的または１以上の発現    ＜作物表現型／寛容性の対象＞
原理
───────────────────────────────────
１７ｋＤａまたは６０ｋＤａ    ＣＭＶ、ＰＲＳＶ、ＷＭＶ２、ＳＭＶ、ＺＹＭ
蛋白質                        Ｖ等のウィルス
核インクルージョン蛋白質、    ＣＭＶ、ＰＲＳＶ、ＷＭＶ２、ＳＭＶ、ＺＹＭ
例えばａまたはｂまたは核蛋    Ｖ等のウィルス
白質
プソイドユビキチン            ＣＭＶ、ＰＲＳＶ、ＷＭＶ２、ＳＭＶ、ＺＹＭ
Ｖ等のウィルス
レプリカーゼ                  ＣＭＶ、ＰＲＳＶ、ＷＭＶ２、ＳＭＶ、ＺＹＭ
Ｖ等のウィルス
バチルス・チュリンジェンシ    鱗翅類、アブラムシ、ダニ
ス毒、ＶＩＰ  ３、バチルス
セレウス毒、Photorabdus お
よびXenorhabdus 毒
３−ヒドロキシステロイドオ    鱗翅類、アブラムシ、ダニ、コナジラミ
キシダーゼ
ペルオキシダーゼ              鱗翅類、アブラムシ、ダニ、コナジラミ
ロイシンアミノペプチダーゼ    鱗翅類、アブラムシ、ダニ、コナジラミ
インヒビター等のアミノペプ
チダーゼインヒビター
レクチン類                    鱗翅類、アブラムシ、ダニ、コナジラミ
シスタチン、パタチン、ＣＰ    鱗翅類、アブラムシ、ダニ、コナジラミ
ＴＩ、ヴィルジェフェリン等
のプロテアーゼインヒビター
リボソーム不活性化蛋白質      鱗翅類、アブラムシ、ダニ、コナジラミ
スチルベンシンターゼ          鱗翅類、アブラムシ、ダニ、コナジラミ
ＨＭＧ−ＣｏＡレダクターゼ    鱗翅類、アブラムシ、ダニ、コナジラミ
シスト線虫孵化刺激            シスト線虫
バルナーゼ                    根こぶ線虫およびシスト線虫等の線虫類
ＣＢＩ                        根こぶ線虫
線虫類の摂食部位において誘    根こぶ線虫およびrootシスト線虫等の線虫類
導された抗摂食原理
【００６３】
表Ａ１４：作物  バナナ
実施標的または１以上の発現    ＜作物表現型／寛容性の対象＞
原理
───────────────────────────────────
アセトラクテートシンターゼ    スルホニル尿素、イミダゾリノン、トリアゾロ
（ＡＬＳ）                    ピリミジン、ピリミジロキシベンゾエート、フ
タリド
アセチルＣｏＡカルボキシラ    アリーロキシフェノキシアルカンカルボン酸、
ーゼ（ＡＣＣａｓｅ）          シクロヘキサンジオン
ヒドロキシフェニルピルビン    イソキサフルトールまたはイソキサクロルトー
酸ジオキシゲナーゼ（ＨＰＰ    ル等のイソキサゾール類、メソトリオンまたは
Ｄ）                          スルコトリオン等のトリオン類
ホスフィノトリチンアセチル    ホスフィノトリチン
トランスフェラーゼ
Ｏ−メチルトランスフェラー    改変リグニンレベル
ゼ
グルタミンシンテターゼ        グルフォシネート、ビアラフォス
アデニロコハク酸リアーゼ（    ＩＭＰおよびＡＭＰ合成のインヒビター
ＡＤＳＬ）
アデニロコハク酸シンターゼ    アデニロコハク酸合成のインヒビター
アントラニレートシンターゼ    トリプトファン合成および異化作用のインヒビ
ター
ニトリラーゼ                  ブロモキシニルおよびロキシニル等の３，５−
ジハロ−４−ヒドロキシベンゾニトリル類
５−エノールピルボイル−３    グリホセートまたはスルホセート
−ホスフォシキミ酸シンター
ゼ（ＥＰＳＰＳ）
グリホセートキシドレダクタ    グリホセートまたはスルホセート
ーゼ
プロトポルフィリノーゲンオ    ジフェニルエーテル類、環状イミド類、フェニ
キシダーゼ（ＰＲＯＴＯＸ）    ルピラゾール類、ピリジン誘導体類、フェノピ
レート、オキサジアゾール類、その他
Ｐ４５０  ＳＵ１またはセレ    スルホニル尿素
クション等のチトクロームＰ
４５０
ポリフェノールオキシダーゼ    バクテリア性および菌類病原体
またはポリフェノールオキシ
ダーゼアンチセンス
メタロチオネイン              バクテリア性および菌類病原体
リボヌクレアーゼ              バクテリア性および菌類病原体
抗菌類性ポリペプチドＡｌｙ    バクテリア性および菌類病原体
ＡＦＰ
シュウ酸オキシダーゼ          バクテリア性および菌類病原体
グルコースオキシダーゼ        バクテリア性および菌類病原体
【００６４】
実施標的または１以上の発現    ＜作物表現型／寛容性の対象＞
原理
───────────────────────────────────
ピロールニトリン合成遺伝子    バクテリア性および菌類病原体
セリン／スレオニンキナーゼ    バクテリア性および菌類病原体
Cecropin B                    バクテリア性および菌類病原体
フエニルアラニンアンモニア    バクテリア性および菌類病原体
リアーゼ（ＰＡＬ）
例えばＣｆ９、Ｃｆ５、Ｃｆ    バクテリア性および菌類病原体
４、Ｃｆ２等のＣｆ遺伝子
オスモチン                    バクテリア性および菌類病原体
アルファ  ホルドチオニン      バクテリア性および菌類病原体
システミン                    バクテリア性および菌類病原体
ポリガラクトゥルナーゼイン    バクテリア性および菌類病原体
ヒビター類
Ｐｒｆ調節遺伝子              バクテリア性および菌類病原体
フィトアレキシン              バクテリア性および菌類病原体
Ｂ−１，３−グルカナーゼア    バクテリア性および菌類病原体
ンチセンス
レセプターキナーゼ            バクテリア性および菌類病原体
過敏レスポンス誘引ポリペプ    バクテリア性および菌類病原体
チド
全身性獲得耐性（ＳＡＲ）遺    ウィルス性、バクテリア性、菌類性、線虫類性
伝子                          病原体
溶菌性蛋白質                  ウィルス性、バクテリア性、菌類性、線虫類性
病原体
リゾチーム                    ウィルス性、バクテリア性、菌類性、線虫類性
病原体
キチナーゼ                    バクテリア性および菌類病原体
バルナーゼ                    バクテリア性および菌類病原体
グルカナーゼ                  バクテリア性および菌類病原体
二本鎖リボヌクレアーゼ        Banana bunchy top ウィルス（ＢＢＴＶ）等の
ウィルス
コート蛋白質                  Banana bunchy top ウィルス（ＢＢＴＶ）等の
ウィルス
１７ｋＤａまたは６０ｋＤａ    Banana bunchy top ウィルス（ＢＢＴＶ）等の
蛋白質                        ウィルス
核インクルージョン蛋白質、    Banana bunchy top ウィルス（ＢＢＴＶ）等の
例えばａまたはｂまたは核蛋    ウィルス
白質
プソイドユビキチン            Banana bunchy top ウィルス（ＢＢＴＶ）等の
ウィルス
【００６５】
実施標的または１以上の発現    ＜作物表現型／寛容性の対象＞
原理
───────────────────────────────────
レプリカーゼ                  Banana bunchy top ウィルス（ＢＢＴＶ）等の
ウィルス
バチルス・チュリンジェンシ    鱗翅類、アブラムシ、ダニ、線虫類
ス毒、ＶＩＰ  ３、バチルス
セレウス毒、Photorabdus お
よびXenorhabdus 毒
３−ヒドロキシステロイドオ    鱗翅類、アブラムシ、ダニ、線虫類
キシダーゼ
ペルオキシダーゼ              鱗翅類、アブラムシ、ダニ、線虫類
ロイシンアミノペプチダーゼ    鱗翅類、アブラムシ、ダニ、線虫類
インヒビター等のアミノペプ
チダーゼインヒビター
レクチン類                    鱗翅類、アブラムシ、ダニ、線虫類
シスタチン、パタチン、ＣＰ    鱗翅類、アブラムシ、ダニ、線虫類
ＴＩ、ヴィルジェフェリン等
のプロテアーゼインヒビター
リボソーム不活性化蛋白質      鱗翅類、アブラムシ、ダニ、線虫類
スチルベンシンターゼ          鱗翅類、アブラムシ、病気、ダニ
ＨＭＧ−ＣｏＡレダクターゼ    鱗翅類、アブラムシ、ダニ、線虫類
シスト線虫孵化刺激            シスト線虫
バルナーゼ                    根こぶ線虫およびシスト線虫等の線虫類
ＣＢＩ                        根こぶ線虫
線虫類の摂食部位において誘    根こぶ線虫およびrootシスト線虫等の線虫類
導された抗摂食原理
【００６６】
表Ａ１５：作物  綿
実施標的または１以上の発現    ＜作物表現型／寛容性の対象＞
原理
───────────────────────────────────
アセトラクテートシンターゼ    スルホニル尿素、イミダゾリノン、トリアゾロ
（ＡＬＳ）                    ピリミジン、ピリミジロキシベンゾエート、フ
タリド
アセチルＣｏＡカルボキシラ    アリーロキシフェノキシアルカンカルボン酸、
ーゼ（ＡＣＣａｓｅ）          シクロヘキサンジオン
ヒドロキシフェニルピルビン    イソキサフルトールまたはイソキサクロルトー
酸ジオキシゲナーゼ（ＨＰＰ    ル等のイソキサゾール類、メソトリオンまたは
Ｄ）                          スルコトリオン等のトリオン類
【００６７】
実施標的または１以上の発現    ＜作物表現型／寛容性の対象＞
原理
───────────────────────────────────
ホスフィノトリチンアセチル    ホスフィノトリチン
トランスフェラーゼ
Ｏ−メチルトランスフェラー    改変リグニンレベル
ゼ
グルタミンシンテターゼ        グルフォシネート、ビアラフォス
アデニロコハク酸リアーゼ（    ＩＭＰおよびＡＭＰ合成のインヒビター
ＡＤＳＬ）
アデニロコハク酸シンターゼ    アデニロコハク酸合成のインヒビター
アントラニレートシンターゼ    トリプトファン合成および異化作用のインヒビ
ター
ニトリラーゼ                  ブロモキシニルおよびロキシニル等の３，５−
ジハロ−４−ヒドロキシベンゾニトリル類
５−エノールピルボイル−３    グリホセートまたはスルホセート
−ホスフォシキミ酸シンター
ゼ（ＥＰＳＰＳ）
グリホセートキシドレダクタ    グリホセートまたはスルホセート
ーゼ
プロトポルフィリノーゲンオ    ジフェニルエーテル類、環状イミド類、フェニ
キシダーゼ（ＰＲＯＴＯＸ）    ルピラゾール類、ピリジン誘導体類、フェノピ
レート、オキサジアゾール類、その他
Ｐ４５０  ＳＵ１またはセレ    生体異物およびスルホニル尿素類等の除草剤
クション等のチトクロームＰ
４５０
ポリフェノールオキシダーゼ    バクテリア性および菌類病原体
またはポリフェノールオキシ
ダーゼアンチセンス
メタロチオネイン              バクテリア性および菌類病原体
リボヌクレアーゼ              バクテリア性および菌類病原体
抗菌類性ポリペプチドＡｌｙ    バクテリア性および菌類病原体
ＡＦＰ
シュウ酸オキシダーゼ          バクテリア性および菌類病原体
グルコースオキシダーゼ        バクテリア性および菌類病原体
ピロールニトリン合成遺伝子    バクテリア性および菌類病原体
セリン／スレオニンキナーゼ    バクテリア性および菌類病原体
Cecropin B                    バクテリア性および菌類病原体
フエニルアラニンアンモニア    バクテリア性および菌類病原体
リアーゼ（ＰＡＬ）
例えばＣｆ９、Ｃｆ５、Ｃｆ    バクテリア性および菌類病原体
４、Ｃｆ２等のＣｆ遺伝子
オスモチン                    バクテリア性および菌類病原体
アルファ  ホルドチオニン      バクテリア性および菌類病原体
【００６８】
実施標的または１以上の発現    ＜作物表現型／寛容性の対象＞
原理
───────────────────────────────────
システミン                    バクテリア性および菌類病原体
ポリガラクトゥルナーゼイン    バクテリア性および菌類病原体
ヒビター類
Ｐｒｆ調節遺伝子              バクテリア性および菌類病原体
フィトアレキシン              バクテリア性および菌類病原体
Ｂ−１，３−グルカナーゼア    バクテリア性および菌類病原体
ンチセンス
レセプターキナーゼ            バクテリア性および菌類病原体
過敏レスポンス誘引ポリペプ    バクテリア性および菌類病原体
チド
全身性獲得耐性（ＳＡＲ）遺    ウィルス性、バクテリア性、菌類性、線虫類性
伝子                          病原体
分解性蛋白質                  バクテリア性および菌類病原体
リゾチーム                    バクテリア性および菌類病原体
キチナーゼ                    バクテリア性および菌類病原体
バルナーゼ                    バクテリア性および菌類病原体
グルカナーゼ                  バクテリア性および菌類病原体
二本鎖リボヌクレアーゼ        wound tumor ウィルス（ＷＴＶ）等のウィルス
コート蛋白質                  wound tumor ウィルス（ＷＴＶ）等のウィルス
１７ｋＤａまたは６０ｋＤａ    wound tumor ウィルス（ＷＴＶ）等のウィルス
蛋白質
核インクルージョン蛋白質、    wound tumor ウィルス（ＷＴＶ）等のウィルス
例えばａまたはｂまたは核蛋
白質
プソイドユビキチン            wound tumor ウィルス（ＷＴＶ）等のウィルス
レプリカーゼ                  wound tumor ウィルス（ＷＴＶ）等のウィルス
バチルス・チュリンジェンス    鱗翅類、アブラムシ、ダニ、線虫類、コナジラ
毒、ＶＩＰ  ３、バチルスセ    ミ
レウス毒、Photorabdus およ
びXenorhabdus 毒
３−ヒドロキシステロイドオ    鱗翅類、アブラムシ、ダニ、線虫類、コナジラ
キシダーゼ                    ミ
ペルオキシダーゼ              鱗翅類、アブラムシ、ダニ、線虫類、コナジラ
ミ
ロイシンアミノペプチダーゼ    鱗翅類、アブラムシ、ダニ、線虫類、コナジラ
インヒビター等のアミノペプ    ミ
チダーゼインヒビター
レクチン類                    鱗翅類、アブラムシ、ダニ、線虫類、コナジラ
ミ
シスタチン、パタチン、ＣＰ    鱗翅類、アブラムシ、ダニ、線虫類、コナジラ
ＴＩ、ヴィルジフェリン等の    ミ
プロテアーゼインヒビター 
リボソーム不活性化蛋白質      鱗翅類、アブラムシ、ダニ、線虫類、コナジラ
ミ
スチルベンシンターゼ          鱗翅類、アブラムシ、ダニ、線虫類、コナジラ
ミ
ＨＭＧ−ＣｏＡレダクターゼ    鱗翅類、アブラムシ、ダニ、線虫類、コナジラ
ミ
シスト線虫孵化刺激            シスト線虫
バルナーゼ                    根こぶ線虫およびシスト線虫等の線虫類
ＣＢＩ                        根こぶ線虫
線虫類の摂食部位において誘    根こぶ線虫およびrootシスト線虫等の線虫類
導された抗摂食原理
【００６９】
表Ａ１６：作物  サトウキビ
実施標的または１以上の発現    ＜作物表現型／寛容性の対象＞
原理
───────────────────────────────────
アセトラクテートシンターゼ    スルホニル尿素、イミダゾリノン、トリアゾロ
（ＡＬＳ）                    ピリミジン、ピリミジロキシベンゾエート、フ
タリド
アセチルＣｏＡカルボキシラ    アリーロキシフェノキシアルカンカルボン酸、
ーゼ（ＡＣＣａｓｅ）          シクロヘキサンジオン
ヒドロキシフェニルピルビン    イソキサフルトールまたはイソキサクロルトー
酸ジオキシゲナーゼ（ＨＰＰ    ル等のイソキサゾール類、メソトリオンまたは
Ｄ）                          スルコトリオン等のトリオン類
ホスフィノトリチンアセチル    ホスフィノトリチン
トランスフェラーゼ
Ｏ−メチルトランスフェラー    改変リグニンレベル
ゼ
グルタミンシンテターゼ        グルフォシネート、ビアラフォス
アデニロコハク酸リアーゼ（    ＩＭＰおよびＡＭＰ合成のインヒビター
ＡＤＳＬ）
アデニロコハク酸シンターゼ    アデニロコハク酸合成のインヒビター
【００７０】
実施標的または１以上の発現    ＜作物表現型／寛容性の対象＞
原理
───────────────────────────────────
アントラニレートシンターゼ    トリプトファン合成および異化作用のインヒビ
ター
ニトリラーゼ                  ブロモキシニルおよびロキシニル等の３，５−
ジハロ−４−ヒドロキシベンゾニトリル類
５−エノールピルボイル−３    グリホセートまたはスルホセート
−ホスフォシキミ酸シンター
ゼ（ＥＰＳＰＳ）
グリホセートキシドレダクタ    グリホセートまたはスルホセート
ーゼ
プロトポルフィリノーゲンオ    ジフェニルエーテル類、環状イミド類、フェニ
キシダーゼ（ＰＲＯＴＯＸ）    ルピラゾール類、ピリジン誘導体類、フェノピ
レート、オキサジアゾール類、その他
Ｐ４５０  ＳＵ１またはセレ    生体異物およびスルホニル尿素類等の除草剤
クション等のチトクロームＰ
４５０
ポリフェノールオキシダーゼ    バクテリア性または菌類病原体
またはポリフェノールオキシ
ダーゼアンチセンス
メタロチオネイン              バクテリア性または菌類病原体
リボヌクレアーゼ              バクテリア性または菌類病原体
抗菌類性ポリペプチドＡｌｙ    バクテリア性または菌類病原体
ＡＦＰ
シュウ酸オキシダーゼ          バクテリア性または菌類病原体
グルコースオキシダーゼ        バクテリア性または菌類病原体
ピロールニトリン合成遺伝子    バクテリア性または菌類病原体
セリン／スレオニンキナーゼ    バクテリア性または菌類病原体
Cecropin B                    バクテリア性または菌類病原体
フエニルアラニンアンモニア    バクテリア性または菌類病原体
リアーゼ（ＰＡＬ）
例えばＣｆ９、Ｃｆ５、Ｃｆ    バクテリア性または菌類病原体
４、Ｃｆ２等のＣｆ遺伝子
オスモチン                    バクテリア性または菌類病原体
アルファ  ホルドチオニン      バクテリア性または菌類病原体
システミン                    バクテリア性または菌類病原体
ポリガラクトゥルナーゼイン    バクテリア性または菌類病原体
ヒビター類
Ｐｒｆ調節遺伝子              バクテリア性または菌類病原体
フィトアレキシン              バクテリア性または菌類病原体
Ｂ−１，３−グルカナーゼア    バクテリア性または菌類病原体
ンチセンス
レセプターキナーゼ            バクテリア性または菌類病原体
【００７１】
実施標的または１以上の発現    ＜作物表現型／寛容性の対象＞
原理
───────────────────────────────────
過敏レスポンス誘引ポリペプ    バクテリア性または菌類病原体
チド
全身性獲得耐性（ＳＡＲ）遺    ウィルス性、バクテリア性、菌類性、線虫類性
伝子                          病原体
分解性蛋白質                  バクテリア性または菌類病原体
リゾチーム                    clavibacter 等のバクテリア性または菌類病原
体
キチナーゼ                    バクテリア性または菌類病原体
バルナーゼ                    バクテリア性または菌類病原体
グルカナーゼ                  バクテリア性または菌類病原体
二本鎖リボヌクレアーゼ        ＳＣＭＶ、ＳｒＭＶ等のウィルス
コート蛋白質                  ＳＣＭＶ、ＳｒＭＶ等のウィルス
１７ｋＤａまたは６０ｋＤａ    ＳＣＭＶ、ＳｒＭＶ等のウィルス
蛋白質
核インクルージョン蛋白質、    ＳＣＭＶ、ＳｒＭＶ等のウィルス
例えばａまたはｂまたは核蛋
白質または核蛋白質
プソイドユビキチン            ＳＣＭＶ、ＳｒＭＶ等のウィルス
レプリカーゼ                  ＳＣＭＶ、ＳｒＭＶ等のウィルス
バチルス・チュリンジェンシ    鱗翅類、アブラムシ、ダニ、線虫類、コナジラ
ス毒、ＶＩＰ  ３、バチルス    ミ、mexican rice borer等の甲虫類
セレウス毒、Photorabdus お
よびXenorhabdus 毒
３−ヒドロキシステロイドオ    鱗翅類、アブラムシ、ダニ、線虫類、コナジラ
キシダーゼ                    ミ、mexican rice borer等の甲虫類
ペルオキシダーゼ              鱗翅類、アブラムシ、ダニ、線虫類、コナジラ
ミ、mexican rice borer等の甲虫類
ロイシンアミノペプチダーゼ    鱗翅類、アブラムシ、ダニ、線虫類、コナジラ
インヒビター等のアミノペプ    ミ、mexican rice borer等の甲虫類
チダーゼインヒビター
レクチン類                    鱗翅類、アブラムシ、ダニ、線虫類、コナジラ
ミ、mexican rice borer等の甲虫類
シスタチン、パタチン、ＣＰ    鱗翅類、アブラムシ、ダニ、線虫類、コナジラ
ＴＩ、ヴィルジフェリン等の    ミ、mexican rice borer等の甲虫類
プロテアーゼインヒビター
【００７２】
実施標的または１以上の発現    ＜作物表現型／寛容性の対象＞
原理
───────────────────────────────────
リボソーム不活性化蛋白質      鱗翅類、アブラムシ、ダニ、線虫類、コナジラ
ミ、mexican rice borer等の甲虫類
スチルベンシンターゼ          鱗翅類、アブラムシ、ダニ、線虫類、コナジラ
ミ、mexican rice borer等の甲虫類
ＨＭＧ−ＣｏＡレダクターゼ    鱗翅類、アブラムシ、ダニ、線虫類、コナジラ
ミ、mexican rice borer等の甲虫類
シスト線虫孵化刺激            シスト線虫
バルナーゼ                    根こぶ線虫およびシスト線虫等の線虫類
ＣＢＩ                        根こぶ線虫
線虫類の摂食部位において誘    根こぶ線虫およびrootシスト線虫等の線虫類
導された抗摂食原理
【００７３】
表Ａ１７：作物  ヒマワリ
実施標的または１以上の発現    ＜作物表現型／寛容性の対象＞
原理
───────────────────────────────────
アセトラクテートシンターゼ    スルホニル尿素、イミダゾリノン、トリアゾロ
（ＡＬＳ）                    ピリミジン、ピリミジロキシベンゾエート、フ
タリド
アセチルＣｏＡカルボキシラ    アリーロキシフェノキシアルカンカルボン酸、
ーゼ（ＡＣＣａｓｅ）          シクロヘキサンジオン
ヒドロキシフェニルピルビン    イソキサフルトールまたはイソキサクロルトー
酸ジオキシゲナーゼ（ＨＰＰ    ル等のイソキサゾール類、メソトリオンまたは
Ｄ）                          スルコトリオン等のトリオン類
ホスフィノトリチンアセチル    ホスフィノトリチン
トランスフェラーゼ
Ｏ−メチルトランスフェラー    改変リグニンレベル
ゼ
グルタミンシンテターゼ        グルフォシネート、ビアラフォス
アデニロコハク酸リアーゼ（    ＩＭＰおよびＡＭＰ合成のインヒビター
ＡＤＳＬ）
アデニロコハク酸シンターゼ    アデニロコハク酸合成のインヒビター
アントラニレートシンターゼ    トリプトファン合成および異化作用のインヒビ
ター
ニトリラーゼ                  ブロモキシニルおよびロキシニル等の３，５−
ジハロ−４−ヒドロキシベンゾニトリル類
【００７４】
実施標的または１以上の発現    ＜作物表現型／寛容性の対象＞
原理
───────────────────────────────────
５−エノールピルボイル−３    グリホセートまたはスルホセート
−ホスフォシキミ酸シンター
ゼ（ＥＰＳＰＳ）
グリホセートキシドレダクタ    グリホセートまたはスルホセート
ーゼ
プロトポルフィリノーゲンオ    ジフェニルエーテル類、環状イミド類、フェニ
キシダーゼ（ＰＲＯＴＯＸ）    ルピラゾール類、ピリジン誘導体類、フェノピ
レート、オキサジアゾール類、その他
Ｐ４５０  ＳＵ１またはセレ    生体異物およびスルホニル尿素類等の除草剤
クション等のチトクロームＰ
４５０
ポリフェノールオキシダーゼ    バクテリア性または菌類病原体
またはポリフェノールオキシ
ダーゼアンチセンス
メタロチオネイン              バクテリア性または菌類病原体
リボヌクレアーゼ              バクテリア性または菌類病原体
抗菌類性ポリペプチドＡｌｙ    バクテリア性または菌類病原体
ＡＦＰ
シュウ酸オキシダーゼ          sclerotinia 等のバクテリア性または菌類病原
体
グルコースオキシダーゼ        バクテリア性または菌類病原体
ピロールニトリン合成遺伝子    バクテリア性または菌類病原体
セリン／スレオニンキナーゼ    バクテリア性または菌類病原体
Cecropin B                    バクテリア性または菌類病原体
フエニルアラニンアンモニア    バクテリア性または菌類病原体
リアーゼ（ＰＡＬ）
例えばＣｆ９、Ｃｆ５、Ｃｆ    バクテリア性または菌類病原体
４、Ｃｆ２等のＣｆ遺伝子
オスモチン                    バクテリア性または菌類病原体
アルファ  ホルドチオニン      バクテリア性または菌類病原体
システミン                    バクテリア性または菌類病原体
ポリガラクトゥルナーゼイン    バクテリア性または菌類病原体
ヒビター類
Ｐｒｆ調節遺伝子              バクテリア性または菌類病原体
フィトアレキシン              バクテリア性または菌類病原体
Ｂ−１，３−グルカナーゼア    バクテリア性または菌類病原体
ンチセンス
レセプターキナーゼ            バクテリア性または菌類病原体
過敏レスポンス誘引ポリペプ    バクテリア性または菌類病原体
チド
【００７５】
実施標的または１以上の発現    ＜作物表現型／寛容性の対象＞
原理
───────────────────────────────────
全身性獲得耐性（ＳＡＲ）遺    ウィルス性、バクテリア性、菌類性、線虫類性
伝子                          病原体
分解性蛋白質                  バクテリア性または菌類病原体
リゾチーム                    バクテリア性または菌類病原体
キチナーゼ                    バクテリア性または菌類病原体
バルナーゼ                    バクテリア性または菌類病原体
グルカナーゼ                  バクテリア性または菌類病原体
二本鎖リボヌクレアーゼ        ＣＭＶ、ＴＭＶ等のウィルス
コート蛋白質                  ＣＭＶ、ＴＭＶ等のウィルス
１７ｋＤａまたは６０ｋＤａ    ＣＭＶ、ＴＭＶ等のウィルス
蛋白質
核インクルージョン蛋白質、    ＣＭＶ、ＴＭＶ等のウィルス
例えばａまたはｂまたは核蛋
白質
プソイドユビキチン            ＣＭＶ、ＴＭＶ等のウィルス
レプリカーゼ                  ＣＭＶ、ＴＭＶ等のウィルス
バチルス・チュリンジェンシ    鱗翅類、アブラムシ、ダニ、線虫類、コナジラ
ス毒、ＶＩＰ  ３、バチルス    ミ、甲虫類
セレウス毒、Photorabdus お
よびXenorhabdus 毒
３−ヒドロキシステロイドオ    鱗翅類、アブラムシ、ダニ、線虫類、コナジラ
キシダーゼ                    ミ、甲虫類
ペルオキシダーゼ              鱗翅類、アブラムシ、ダニ、線虫類、コナジラ
ミ、甲虫類
ロイシンアミノペプチダーゼ    鱗翅類、アブラムシ、ダニ、線虫類、コナジラ
インヒビター等のアミノペプ    ミ、甲虫類
チダーゼインヒビター
レクチン類                    鱗翅類、アブラムシ、ダニ、線虫類、コナジラ
ミ、甲虫類
シスタチン、パタチン、ＣＰ    鱗翅類、アブラムシ、ダニ、線虫類、コナジラ
ＴＩ、ヴィルジフェリン等の    ミ、甲虫類
プロテアーゼインヒビター
リボソーム不活性化蛋白質      鱗翅類、アブラムシ、ダニ、線虫類、コナジラ
ミ、甲虫類
スチルベンシンターゼ          鱗翅類、アブラムシ、病気、ダニ
【００７６】
実施標的または１以上の発現    ＜作物表現型／寛容性の対象＞
原理
───────────────────────────────────
ＨＭＧ−ＣｏＡレダクターゼ    鱗翅類、アブラムシ、ダニ、線虫類、コナジラ
ミ、甲虫類
シスト線虫孵化刺激            シスト線虫
バルナーゼ                    根こぶ線虫およびシスト線虫等の線虫類
ＣＢＩ                        根こぶ線虫
線虫類の摂食部位において誘    根こぶ線虫およびrootシスト線虫等の線虫類
導された抗摂食原理
【００７７】
表Ａ１８：作物  サトウダイコン、ビートの根
実施標的または１以上の発現    ＜作物表現型／寛容性の対象＞
原理
───────────────────────────────────
アセトラクテートシンターゼ    スルホニル尿素、イミダゾリノン、トリアゾロ
（ＡＬＳ）                    ピリミジン、ピリミジロキシベンゾエート、フ
タリド
アセチルＣｏＡカルボキシラ    アリーロキシフェノキシアルカンカルボン酸、
ーゼ（ＡＣＣａｓｅ）          シクロヘキサンジオン
ヒドロキシフェニルピルビン    イソキサフルトールまたはイソキサクロルトー
酸ジオキシゲナーゼ（ＨＰＰ    ル等のイソキサゾール類、メソトリオンまたは
Ｄ）                          スルコトリオン等のトリオン類
ホスフィノトリチンアセチル    ホスフィノトリチン
トランスフェラーゼ
Ｏ−メチルトランスフェラー    改変リグニンレベル
ゼ
グルタミンシンテターゼ        グルフォシネート、ビアラフォス
アデニロコハク酸リアーゼ（    ＩＭＰおよびＡＭＰ合成のインヒビター
ＡＤＳＬ）
アデニロコハク酸シンターゼ    アデニロコハク酸合成のインヒビター
アントラニレートシンターゼ    トリプトファン合成および異化作用のインヒビ
ター
ニトリラーゼ                  ブロモキシニルおよびロキシニル等の３，５−
ジハロ−４−ヒドロキシベンゾニトリル類
５−エノールピルボイル−３    グリホセートまたはスルホセート
−ホスフォシキミ酸シンター
ゼ（ＥＰＳＰＳ）
【００７８】
実施標的または１以上の発現    ＜作物表現型／寛容性の対象＞
原理
───────────────────────────────────
グリホセートキシドレダクタ    グリホセートまたはスルホセート
ーゼ
プロトポルフィリノーゲンオ    ジフェニルエーテル類、環状イミド類、フェニ
キシダーゼ（ＰＲＯＴＯＸ）    ルピラゾール類、ピリジン誘導体類、フェノピ
レート、オキサジアゾール類、その他
Ｐ４５０  ＳＵ１またはセレ    生体異物およびスルホニル尿素類等の除草剤
クション等のチトクロームＰ
４５０
ポリフェノールオキシダーゼ    バクテリア性または菌類病原体
またはポリフェノールオキシ
ダーゼアンチセンス
メタロチオネイン              バクテリア性または菌類病原体
リボヌクレアーゼ              バクテリア性または菌類病原体
抗菌類性ポリペプチドＡｌｙ    バクテリア性または菌類病原体
ＡＦＰ
シュウ酸オキシダーゼ          sclerotinia 等のバクテリア性または菌類病原
体
グルコースオキシダーゼ        バクテリア性または菌類病原体
ピロールニトリン合成遺伝子    バクテリア性または菌類病原体
セリン／スレオニンキナーゼ    バクテリア性または菌類病原体
Cecropin B                    バクテリア性または菌類病原体
フエニルアラニンアンモニア    バクテリア性または菌類病原体
リアーゼ（ＰＡＬ）
例えばＣｆ９、Ｃｆ５、Ｃｆ    バクテリア性または菌類病原体
４、Ｃｆ２等のＣｆ遺伝子
オスモチン                    バクテリア性または菌類病原体
アルファ  ホルドチオニン      バクテリア性または菌類病原体
システミン                    バクテリア性または菌類病原体
ポリガラクトゥルナーゼイ      バクテリア性または菌類病原体
ンヒビター類
Ｐｒｆ調節遺伝子              バクテリア性または菌類病原体
フィトアレキシン              バクテリア性または菌類病原体
Ｂ−１，３−グルカナーゼア    バクテリア性または菌類病原体
ンチセンス
ＡＸ＋ＷＩＮ蛋白質            Cercospora beticola 等のバクテリア性または
菌類病原体
レセプターキナーゼ            バクテリア性または菌類病原体
過敏レスポンス誘引ポリペプ    バクテリア性または菌類病原体
チド
全身性獲得耐性（ＳＡＲ）遺    ウィルス性、バクテリア性、菌類性、線虫類性
伝子                          病原体
【００７９】
実施標的または１以上の発現    ＜作物表現型／寛容性の対象＞
原理
───────────────────────────────────
分解性蛋白質                  バクテリア性または菌類病原体
リゾチーム                    バクテリア性または菌類病原体
キチナーゼ                    バクテリア性または菌類病原体
バルナーゼ                    バクテリア性または菌類病原体
グルカナーゼ                  バクテリア性または菌類病原体
二本鎖リボヌクレアーゼ        ＢＮＹＶＶ等のウィルス
コート蛋白質                  ＢＮＹＶＶ等のウィルス
１７ｋＤａまたは６０ｋＤａ    ＢＮＹＶＶ等のウィルス
蛋白質
核インクルージョン蛋白質、    ＢＮＹＶＶ等のウィルス
例えばａまたはｂまたは核蛋
白質
プソイドユビキチン            ＢＮＹＶＶ等のウィルス
レプリカーゼ                  ＢＮＹＶＶ等のウィルス
バチルス・チュリンジェンシ    鱗翅類、アブラムシ、ダニ、線虫類、コナジラ
ス毒、ＶＩＰ  ３、バチルス    ミ、甲虫類、rootflies 
セレウス毒、Photorabdus お
よびXenorhabdus 毒
３−ヒドロキシステロイドオ    鱗翅類、アブラムシ、ダニ、線虫類、コナジラ
キシダーゼ                    ミ、甲虫類、rootflies 
ペルオキシダーゼ              鱗翅類、アブラムシ、ダニ、線虫類、コナジラ
ミ、甲虫類、rootflies 
ロイシンアミノペプチダーゼ    鱗翅類、アブラムシ、ダニ、線虫類、コナジラ
インヒビター等のアミノペプ    ミ、甲虫類、rootflies 
チダーゼインヒビター
レクチン類                    鱗翅類、アブラムシ、ダニ、線虫類、コナジラ
ミ、甲虫類、rootflies 
シスタチン、パタチン、ＣＰ    鱗翅類、アブラムシ、ダニ、線虫類、コナジラ
ＴＩ、ヴィルジフェリン等の    ミ、甲虫類、rootflies 
プロテアーゼインヒビター
リボソーム不活性化蛋白質      鱗翅類、アブラムシ、ダニ、線虫類、コナジラ
ミ、甲虫類、rootflies 
スチルベンシンターゼ          鱗翅類、アブラムシ、ダニ、線虫類、コナジラ
ミ、甲虫類、rootflies 
ＨＭＧ−ＣｏＡレダクターゼ    鱗翅類、アブラムシ、ダニ、線虫類、コナジラ
ミ、甲虫類、rootflies 
【００８０】
実施標的または１以上の発現    ＜作物表現型／寛容性の対象＞
原理
───────────────────────────────────
シスト線虫孵化刺激            シスト線虫
バルナーゼ                    根こぶ線虫およびシスト線虫等の線虫類
beetシスト線虫耐性座          シスト線虫
ＣＢＩ                        根こぶ線虫
線虫類の摂食部位において誘    根こぶ線虫およびrootシスト線虫等の線虫類
導された抗摂食原理
【００８１】
本発明に従う方法により防除可能な上記有害動物は、例えば虫、ダニ目の代表的なもの、および綱（class）線虫類の代表的なもの、特に、以下のものを含む；
【００８２】
目 Lepidoptera Acleris種から、Adoxophyes種、特に Adoxophyes reticulana； Aegeria種、Agrotis 種、特に Agrtis spinifera ； Alabama argillaceae、Amylois 種、Anticarsia gemmatalis 、Archips 種、Argyrotaenia種、Autographa種、Busseola fusca、Cadra cautella、Carposina nipponensis 、Chilo 種、Choristoneura 種、Clysia ambiguella 、Cnaphalocrocis種、Cnephasia 種、Cochylis種、Coleophora種、Crocidolomia binotalis、Cryptophlebia leucotreta、Cydia 種、特に Cydia pomonella； Diatraea 種、Diparopsis castanea 、Earias種、Ephestia種、特に E. Khueniella； Eucosma種、Eupoecilia ambiguella 、Euproctis 種、Euxoa 種、Grapholita種、Hedya nubiferana、Heliothis 種、特に H. virescena および H. zea ； Hellula undalis、Hyphantria cunea、Keiferia lycopersicella 、Leucoptera scitella 、Lithocollethis種、Lobesia 種、Lymantria 種、Lyonetia種、Malacosoma種、Mamestra brassicae、Manduca sexta 、Operophtera 種、Ostrinia nubilalis、Pammene 種、Pandemis種、Panolis flammea 、Pectinophora種、Phthorimaea operculella 、 Pieris rapae 、Pieris種、Plutella xylostella 、Prays 種、Scirpophaga 種、Sesamia 種、Sparganothis種、Spodoptera littoralis 、Synanthedon 種、Thaumetopoea種、Tortrix 種、Trichoplusia ni および Yponomeuta 種；
【００８３】
目 Coleoptera から、例えば Agriotes 種、Anthonomus種、Atomaria linearis 、Chaetocnema tibialis、Cosmopolites種、Curculio種、Dermestes 種、Diabrotica種、Epilachna 種、Eremnus 種、Leptinotarsa decemlineata 、Lissorhoptrus 種、Melolontha種、Oryzaephilus種、Otiorhynchus種、Phlyctinus種、Popillia種、Psylliodes種、Rhizopertha 種、Scarabeidae 、Sitophilus種、Sitotroga 種、Tenebrio種、Tribolium 種および Trogoderma 種；
【００８４】
目 Orthoptera から、例えば Blatta 種、Blattella 種、Gryllotalpa 種、Leucophaca maderae、Locusta 種、Periplaneta 種および Schistocerca 種；
【００８５】
目 Isoptera から、例えば Reticulitermes 種；
【００８６】
目 Psocoptera から、例えば Liposcelis 種；
【００８７】
目 Anoplura から、例えば Haematopinus 種、Linognathus 種、Pediculus 種、Pemphigus 種および Phylloxera 種；
【００８８】
目 Mallophaga から、例えば Damalinea種および Trichodectes 種；
【００８９】
目 Thysanoptera から、例えば Frankliniella種、Hercinothrips 種、Taeniothrips種、Thripas palmi 、Thrips tabaci および Scirtothrips aurantii；
【００９０】
目 Heteropteraから、例えば Cimex種、Diatantiella theobroma、Dysdercus 種、Euchistus 種 Eurygaster 種 Leptocorisa種、Nezara種、Piesma種、Rhodnius種、Sahlbergella singularis 、Scotinophara種および Triatoma 種；
【００９１】
目 Homopteraから、例えば Aleurothrixus floccosus、Aleyrodes brassicae 、Aonidiella aurantii 、Aphididae 、Aphis craccivora、A. fabae、A. gossypii ；Aspidiotus種、 Bemisia tabaci 、Ceroplaster 種、Chrysomphalus aonidium、Chrysomphalus dictyospermi、Coccus hesperidum 、Empoasca種、Eriosoma lanigerum、Erythroneura種、Gascardia 種、Laodelphax種、Lecanium corni、Lepidosaphes種、Macrosiphus 種、Myzus 種、特に M.persicae ； Nephotettix種、特に N. cincticeps； Nilaparvata種、特に N. lugens； Paratoria種、Pemphigus 種、Planococcus 種、Pseudaulacaspis 種、Pseudococcus種、特に P. Fragilis、P. citriculus および P. comatocki ； Psylla 種、特に P. pyri； Pulvinaria aethiopica、Quadraspidiotus 種、Rhopalosiphum 種、Saissetia 種、Scaphoideus 種、Schizaphis種、Sitobion種、Trialeurodes vaporariorum 、Trioza erytreae および Unaspis citri；
【００９２】
目 Hymenopteraから、例えば Acromyrmex 、Atta種、Cephus種、Diprion 種、Diprionidae 、Gilpinia polytoma 、Hoplocampa種、Lasius種、Monomorium pharaonis、Neodiprion種、Solenopsis種および Vespa種；
【００９３】
目 Dipteraから、例えば Aedes種、Antherigona soccata 、Bibio hortulanus、Calliphora erythrocephala 、Ceratitis 種、Chrysomyia種、Culex 種、Cuterebra 種、Dacus 種、Drosophila melanogaster 、Fannia種、Gastrophilus種、Glossina種、Hypoderma 種、Hyppobosca種、Liriomyza 種、Lucilia 種、Melanagromyza 種、Musca 種、Oestrus 種、Orseolia種、Oscinella frit、Pegomyia hyoscyami、Phorbia 種、Rhagoletis pomonella、Sciara種、Stomoxys種、Tabanus 種、Tannia種およびTipula種；
【００９４】
目 Siphonaptera から、例えば Ceratophyllus種および Xenopsylla cheopis ；
【００９５】
目 Thysanuraから、例えば Lepisma saccharina 、および
【００９６】
目 Acarinaから、例えば Acarus siro、Aceria sheldoni ； Aculus 種、特に A. schlechtendali； Amblyomma種、Argas 種、Boophilus 種、Brevipalpus 種、特に B. caiflornicusおよび B. phoenicis ； Bryobia praetiosa、Calipitrimerus種、Chorioptes種、Dermanyssus gallinae、Eotetranychus 種、特に E.carpiniおよび E. orientalis； Eriophyes種、特に E. vitis ； Hyalomma 種、Ixodes種、Olygonychus pratensis 、Ornithodoros種、Panonychus種、特にP. ulmi および P. citri ； Phyllocoptruta 種、特に P. oleivora； Polyphagotarsonemus種、特に P. latus ； Psoroptes種、Rhipicephalus 種、Rhizoglyphus種、Sarcoptes 種、Tarsonemus種および Tetranychus種、とりわけT. urticae、T. cinnabarinus および T. Kanzawai。
【００９７】
綱Nematodaの代表的なもの；
（１） root knot線虫類、シスト形成線虫類、stem eelworms および foliar nematodes からなる群から選ばれた線虫類；
（２） Anguina種；Aphelenchoides種； Ditylenchus種； Globodera種、例えば Globodera rostochiensis； Heterodera 種、例えば Heterodera avenae、Heterodera glycines 、Heterodera schachtiiまたはHeterodera trifolii ； Longidorus 種； Meloidogyne種、例えば Meloidogyne incognitaまたはMeloidogyne javanica； Pratylenchus 、例えば Pratylenchus neglectansまたはPratylenchus penetrans； Radopholus 種、例えば Radopholus similis ； Trichodorus種； Tylenchulus、例えば Tylenchulus semipenetrans；および Xiphinema種からなる群から選ばれたnematodes ；または、
（３） Heterodera 種、例えば Heterodera glycines；および Meloidogyne種、例えば Meloidogyne incognitaからなる群から選ばれたnematodes 。
【００９８】
本発明に従う方法は、農業において、園芸において、および森林において、主に有用植物および鑑賞植物またはその部分、例えば、このような植物の果実、花、葉、柄、塊茎または根、特に形質転換植物に対して生ずる上記したタイプの全ての有害生物を防除、すなわち抑制または駆除させる。ある場合には、これらの有害生物に対する保護は、後の時点で形成される植物の部分にも及ぶ。
【００９９】
本発明に従う方法は、例えば、イネ、トウモロコシまたはモロコシ等の穀類において；果実、例えばリンゴ、西洋ナシ、プラム、桃、アーモンド、サクランボまたはベリー（例えばイチゴ、キイチゴおよびブラックベリー）等の石果、梨状果、および柔果（soft fruits）において；豆、ヒラマメ、エンドウまたは大豆等のマメ科植物において；脂肪種子、セイヨウアブラナ、マスタード、ポピー、オリーブ、ヒマワリ、ココナッツ、ヒマシ油植物、カカオまたはピーナッツ等の油作物において；カボチャ、キュウリまたはメロン等のカボチャ（marrow）科において；綿、亜麻、大麻またはジュート等の繊維植物において；オレンジ、レモン、グレープフルーツまたはタンジェリン等の柑橘類果実において；ホウレンソウ、レタス、アスパラガス、キャベツ種、ニンジン、タマネギ、トマト、ジャガイモ、ビートまたはトウガラシ等の野菜において；アボガド、シナモンまたはカンファー等の月桂樹科において；またはタバコ、ナッツ、コーヒー、ナス植物、砂糖大根、茶、コショウ、ブドウの木、ホップ、バナナ科、天然ゴム（latex）植物または鑑賞植物において；主にトウモロコシ、イネ、穀類、大豆、トマト、綿、ジャガイモ、砂糖大根、イネおよびマスタードにおいて；特に、綿、イネ、大豆、ジャガイモおよびトウモロコシにおける有害生物を防除するために有利に使用可能である。
【０１００】
本発明に従う方法は、有害生物防除の分野において農薬的組成物の低い使用濃度でも予防的および／又は治療的に価値があり、それにより、非常に有利な殺生物性スペクトルが達成されることが明らかになった。温血動物、魚および植物とともに使用された場合のその組成物の有利な適合性と組み合わされて、本発明に従う方法は、通常の感受性のもののみならず、有害生物による攻撃から保護されるべき形質転換の作物植物の種に応じて、虫およびダニ目の代表的なもの等の通常は耐性の有害動物の全てのまたは個々の発達上の段階に対して使用可能である。本発明に従う方法の殺虫的および／又は殺ダニ的な効果は、直接に、すなわち、例えば直ちにまたはある時間が経過した後、例えば脱皮の間、に生ずる有害生物の駆除で、または間接的に、例えば、低減された産卵および／又は孵化割合において明白にできる。良好な作用は、少くとも４０〜５０％の駆除割合（死亡率）に対応する。
【０１０１】
意図する目的および広く行われる状況に従い、本発明の範囲内の、それ自体は公知の農薬は、エマルション化可能な濃縮物、サスペンション濃縮物、直接スプレー可能または希釈可能な溶液、拡展可能（spreadable）なペースト、希釈したエマルション、水和剤（wettable powder）、溶解性粉末、分散性粉末、ダスト、粒剤またはニトロイミノまたはニトログアニジノ化合物を含むポリマー性物質におけるカプセル化物である。
【０１０２】
その活性成分は、これらの組成物において、従来から製剤化の技術において用いられる、エキステンダー（例えば溶媒または固体キャリヤーまたは界面活性化合物（界面活性剤））等の助剤のうちの少くとも１つと共に使用される。
【０１０３】
用いられる製剤化助剤は、例えば、固体キャリヤー、溶媒、安定剤、「遅い放出」助剤、着色剤類、および適当な場合には界面活性物質（界面活性剤）である。適当なキャリヤーおよび助剤は、作物保護製品として従来から用いられるそれら全ての物質である。溶媒、固体キャリヤー、界面活性化合物、非イオン性界面活性剤、カチオン性界面活性剤、アニオン性界面活性剤、および本発明に従って使用される組成物中の他の助剤等の適当な助剤は、ヨーロッパ特許公開第７３６  ２５２号に記述されているものである。
【０１０４】
有害生物を防除するためのこれらの組成物は、例えば、水和剤、粉末、ダスト、粒剤、溶液、エマルション化可能な濃縮物、エマルション、サスペンション濃縮物またはエーロゾルとして製剤化することが可能である。例えば、それらの組成物は、ヨーロッパ特許公開第７３６  ２５２号に記述されたタイプのものである。
【０１０５】
ニトロイミノまたはニトログアニジノ化合物を含む本発明の範囲内の組成物の作用は、他の殺虫剤的な、殺ダニ剤的なおよび／又は殺菌剤的な活性成分を加えることにより実質的に拡張することができ、一般に行われている状況に適合させることができる。加えられた活性成分の適当な例は、活性成分の以下の類の代表的なものである：有機リン化合物、ニトロフェノールおよび誘導体、ホルムアミジン類、尿素類、カルバメート類、ピレスロイド類、塩素化炭化水素類；混合物において特に好ましい成分は、例えば、アバメクチン（abamectin）、エマメクチン（emamectin）、スピノサド（spinosad）、ピメトロジン（pymetrozine）、フェノキシカーブ（fenoxycarb）、イミダクロプリド（imidacloprid）、Ｔｉ−４３５、フィプロニル（fipronil）、ピリプロキシフェン（pyriproxyfen）、ダイアジノン（diazinon）またはジアフェンチウロン（diafenthiuron）である。
【０１０６】
一般に、本発明の範囲内の組成物は、０．１〜９９％、特に０．１〜９５％のニトロイミノまたはニトログアニジノ化合物と、１〜９９．９％、特に５〜９９．９％の少くとも一つの固体のまたは液体の助剤を含み、一般に、組成物の０〜２５％、特に０．１〜２０％は、界面活性剤であってもよい（個々の場合の「％」は、質量％（重量％）を意味する）。商業的な製品としては、濃縮された組成物がより好ましいが、エンドユーザは一般に、活性成分のかなり低い濃度を有する希釈した組成物を用いるであろう。
【０１０７】
本発明に従う組成物は、他の固体または液体の助剤、例えば安定剤等、例えばエポキシ化されたまたは非エポキシ化植物油（例えばエポキシ化された椰子油、菜種油または大豆油）、消泡剤、例えばシリコーン油、保存剤、粘度調整剤、バインダーおよび／又は粘着付与剤、更に肥料または他の特定の効果を達成するための活性成分（例えば殺バクテリア剤、殺菌剤、殺線虫剤、殺軟体動物剤または除草剤）をも含んでいてもよい。
【０１０８】
本発明に従う組成物は公知の方法で、例えば助剤または複数の助剤との混合より前に、例えば特定の粒径を与えるために、例えばその活性成分を摩砕し、篩いにかけおよび／又は圧縮することにより、および／又はその活性成分を充分にその助剤または複数の助剤と混合および／又は摩砕することにより製造される。
上記したタイプの有害生物を防除するための本発明に従う方法は、意図された目的および一般に行われている状況に従い当業者に公知の方法で、すなわちその組成物を、スプレー、湿潤、噴霧、ダスティング、ブラッシング−オン、種子粉衣（seed dressing）、散布または注入することにより行われる。典型的な使用濃度は、０．１〜１０００ｐｐｍの間、好ましくは０．１〜５００ｐｐｍの間の活性成分である。適用割合は広範囲内で変化でき、土壌構成、適用のタイプ（葉（foliar）適用；種子粉衣；種すじ中への適用）、形質転換の作物植物、防除されるべき有害生物、個々の場合に一般的な気候的な状況、適用のタイプにより決定される他のファクター、適用のタイミング、および標的作物に依存する。ヘクタール当たりの適用割合は、一般にヘクタール当たり１〜２０００ｇ、特に１０〜１０００ｇ／ｈａ、好ましくは１０〜５００ｇ／ｈａ、とりわけ１０〜２００ｇ／ｈａのニトロイミノまたはニトログアニジノ化合物である。
【０１０９】
本発明の範囲内の作物保護の分野における適用の好ましいタイプは、葉への適用（葉適用）である。適用の頻度および適用の割合（rate）は、当該病原体による侵襲のリスクに適合させることができる。
しかしながら、植物の部位（site）を液体製剤で灌注（drenching）することにより、またはその活性成分を土壌中で固体の形、例えば粒剤の形で適用すること（土壌適用）により、土壌から根系を介して植物に入れることもできる（全身的な適用）。水稲の場合、このような粒剤を水田（flooded rice field）に計量して与えてもよい。
【０１１０】
本発明に従う組成物は、有害動物、特に、虫およびダニ目の代表的なものから、形質転換の植物の繁殖材料、例えば果実、塊茎またはケルネル、または植物カッティング等を保護することにも適している。繁殖材料は適用に先立ち、その組成物で処理され、例えば種蒔きに先立ち種子を粉衣することができる。活性成分は、そのケルネルを液体組成物に浸漬することにより、またはそれらを固体の組成物でコーティングすることにより、種子ケルネルに適用（コーティング）してもよい。繁殖材料に適用する際には、その組成物は適用部位、例えば、種蒔きの間の種すじ内へ適用してもよい。植物繁殖材料のこれらの処理方法、およびこのように処理された植物繁殖材料も、本発明の更なる主題である。
【０１１１】
本発明に従う方法で使用可能なニトロイミノまたはニトログアニジノ化合物の製剤の例、例えば溶液、粒剤、ダスト、スプレー可能な粉末、エマルション濃縮物、コートされた粒剤、およびサスペンション濃縮物は、例えばヨーロッパ特許公開第５８０  ５５３号（例Ｆｌ〜Ｆｌ０）に記述されている。
【０１１２】
表Ｂ
以下の略号が、表において用いられる：
形質転換植物の活性原理：ＡＰ
Photorhabdus luminescens：ＰＬ
Xenorhabdus nematophilus：ＸＮ
プロテイナーゼインヒビター類：Ｐｌｎｈ．
植物レクチン：Ｐｌｅｃ
アグルチニン：Ａｇｇｌ．
３−ヒドロキシステロイドオキシダーゼ：ＨＯ
コレステロールオキシダーゼ：ＣＯ
キチナーゼ：ＣＨ
グルカナーゼ：ＧＬ
スチルベンシンターゼ：ＳＳ
【０１１３】
【表１】
0005932260.tif 000005
【０１１４】
【表２】
0005932260.tif 000006
【０１１５】
【表３】
0005932260.tif 000007
【０１１６】
【表４】
0005932260.tif 000008
【０１１７】
【表５】
0005932260.tif 000009
【０１１８】
【表６】
0005932260.tif 000010
【０１１９】
【表７】
0005932260.tif 000011
【０１２０】
【表８】
0005932260.tif 000012
【０１２１】
【表９】
0005932260.tif 000013
【０１２２】
【表１０】
0005932260.tif 000014
【０１２３】
【表１１】
0005932260.tif 000015
【０１２４】
【表１２】
0005932260.tif 000016
【０１２５】
【表１３】
0005932260.tif 000017
【０１２６】
【表１４】
0005932260.tif 000018
【０１２７】
【表１５】
0005932260.tif 000019
【０１２８】
【表１６】
0005932260.tif 000020
【０１２９】
【表１７】
0005932260.tif 000021
【０１３０】
【表１８】
0005932260.tif 000022
【０１３１】
【表１９】
0005932260.tif 000023
【０１３２】
【表２０】
0005932260.tif 000024
【０１３３】
【表２１】
0005932260.tif 000025
【０１３４】
【表２２】
0005932260.tif 000026
【実施例】
【０１３５】
生物学的例
表１：形質転換植物により発現された活性の原理と、防除されるべき有害生物との組合せが、表ＢのＢ．１〜Ｂ．１１７０の個々の組合せのいずれか一つ（anyone）に対応する、形質転換の綿へのチアメトキサムの適用を含む有害生物を防除する方法。
【０１３６】
表２：形質転換植物により発現された活性の原理と、防除されるべき有害生物との組合せが、表ＢのＢ．１〜Ｂ．１１７０の個々の組合せのいずれか一つに対応する、形質転換イネへのチアメトキサムの適用を含む有害生物を防除する方法。
【０１３７】
表３：形質転換植物により発現された活性の原理と、防除されるべき有害生物との組合せが、表ＢのＢ．１〜Ｂ．１１７０の個々の組合せのいずれか一つに対応する、形質転換ジャガイモへのチアメトキサムの適用を含む有害生物を防除する方法。
【０１３８】
表４：形質転換植物により発現された活性の原理と、防除されるべき有害生物との組合せが、表ＢのＢ．１〜Ｂ．１１７０の個々の組合せのいずれか一つに対応する、形質転換アブラナ属へのチアメトキサムの適用を含む有害生物を防除する方法。
【０１３９】
表５：形質転換植物により発現された活性の原理と、防除されるべき有害生物との組合せが、表ＢのＢ．１〜Ｂ．１１７０の個々の組合せのいずれか一つに対応する、形質転換トマトへのチアメトキサムの適用を含む有害生物を防除する方法。
【０１４０】
表６：形質転換植物により発現された活性の原理と、防除されるべき有害生物との組合せが、表ＢのＢ．１〜Ｂ．１１７０の個々の組合せのいずれか一つに対応する、形質転換ウリ科（cucubits）の植物へのチアメトキサムの適用を含む有害生物を防除する方法。
【０１４１】
表７：形質転換植物により発現された活性の原理と、防除されるべき有害生物との組合せが、表ＢのＢ．１〜Ｂ．１１７０の個々の組合せのいずれか一つに対応する、形質転換ダイズへのチアメトキサムの適用を含む有害生物を防除する方法。
【０１４２】
表８：形質転換植物により発現された活性の原理と、防除されるべき有害生物との組合せが、表ＢのＢ．１〜Ｂ．１１７０の個々の組合せのいずれか一つに対応する、形質転換トウモロコシへのチアメトキサムの適用を含む有害生物を防除する方法。
【０１４３】
表９：形質転換植物により発現された活性の原理と、防除されるべき有害生物との組合せが、表ＢのＢ．１〜Ｂ．１１７０の個々の組合せのいずれか一つに対応する、形質転換コムギへのチアメトキサムの適用を含む有害生物を防除する方法。
【０１４４】
表１０：形質転換植物により発現された活性の原理と、防除されるべき有害生物との組合せが、表ＢのＢ．１〜Ｂ．１１７０の個々の組合せのいずれか一つに対応する、形質転換バナナへのチアメトキサムの適用を含む有害生物を防除する方法。
【０１４５】
表１１：形質転換植物により発現された活性の原理と、防除されるべき有害生物との組合せが、表ＢのＢ．１〜Ｂ．１１７０の個々の組合せのいずれか一つに対応する、形質転換の柑橘類木へのチアメトキサムの適用を含む有害生物を防除する方法。
【０１４６】
表１２：形質転換植物により発現された活性の原理と、防除されるべき有害生物との組合せが、表ＢのＢ．１〜Ｂ．１１７０の個々の組合せのいずれか一つに対応する、形質転換の梨状果木へのチアメトキサムの適用を含む有害生物を防除する方法。
【０１４７】
表１３：形質転換植物により発現された活性の原理と、防除されるべき有害生物との組合せが、表ＢのＢ．１〜Ｂ．１１７０の個々の組合せのいずれか一つに対応する、形質転換コショウへのチアメトキサムの適用を含む有害生物を防除する方法。
【０１４８】
表１４：形質転換植物により発現された活性の原理と、防除されるべき有害生物との組合せが、表ＢのＢ．１〜Ｂ．１１７０の個々の組合せのいずれか一つに対応する、形質転換の綿へのイミダクロプリドの適用を含む有害生物を防除する方法。
【０１４９】
表１５：形質転換植物により発現された活性の原理と、防除されるべき有害生物との組合せが、表ＢのＢ．１〜Ｂ．１１７０の個々の組合せのいずれか一つに対応する、形質転換イネへのイミダクロプリドの適用を含む有害生物を防除する方法。
【０１５０】
表１６：形質転換植物により発現された活性の原理と、防除されるべき有害生物との組合せが、表ＢのＢ．１〜Ｂ．１１７０の個々の組合せのいずれか一つに対応する、形質転換ジャガイモへのイミダクロプリドの適用を含む有害生物を防除する方法。
【０１５１】
表１７：形質転換植物により発現された活性の原理と、防除されるべき有害生物との組合せが、表ＢのＢ．１〜Ｂ．１１７０の個々の組合せのいずれか一つに対応する、形質転換トマトへのイミダクロプリドの適用を含む有害生物を防除する方法。
【０１５２】
表１８：形質転換植物により発現された活性の原理と、防除されるべき有害生物との組合せが、表ＢのＢ．１〜Ｂ．１１７０の個々の組合せのいずれか一つに対応する、形質転換ウリ科の植物へのイミダクロプリドの適用を含む有害生物を防除する方法。
【０１５３】
表１９：形質転換植物により発現された活性の原理と、防除されるべき有害生物との組合せが、表ＢのＢ．１〜Ｂ．１１７０の個々の組合せのいずれか一つに対応する、形質転換ダイズへのイミダクロプリドの適用を含む有害生物を防除する方法。
【０１５４】
表２０：形質転換植物により発現された活性の原理と、防除されるべき有害生物との組合せが、表ＢのＢ．１〜Ｂ．１１７０の個々の組合せのいずれか一つに対応する、形質転換トウモロコシへのイミダクロプリドの適用を含む有害生物を防除する方法。
【０１５５】
表２１：形質転換植物により発現された活性の原理と、防除されるべき有害生物との組合せが、表ＢのＢ．１〜Ｂ．１１７０の個々の組合せのいずれか一つに対応する、形質転換コムギへのイミダクロプリドの適用を含む有害生物を防除する方法。
【０１５６】
表２２：形質転換植物により発現された活性の原理と、防除されるべき有害生物との組合せが、表ＢのＢ．１〜Ｂ．１１７０の個々の組合せのいずれか一つに対応する、形質転換バナナへのイミダクロプリドの適用を含む有害生物を防除する方法。
【０１５７】
表２３：形質転換植物により発現された活性の原理と、防除されるべき有害生物との組合せが、表ＢのＢ．１〜Ｂ．１１７０の個々の組合せのいずれか一つに対応する、形質転換のオレンジ木へのイミダクロプリドの適用を含む有害生物を防除する方法。
【０１５８】
表２４：形質転換植物により発現された活性の原理と、防除されるべき有害生物との組合せが、表ＢのＢ．１〜Ｂ．１１７０の個々の組合せのいずれか一つに対応する、形質転換の梨状果へのイミダクロプリドの適用を含む有害生物を防除する方法。
【０１５９】
表２５：形質転換植物により発現された活性の原理と、防除されるべき有害生物との組合せが、表ＢのＢ．１〜Ｂ．１１７０の個々の組合せのいずれか一つに対応する、形質転換のウリ科へのイミダクロプリドの適用を含む有害生物を防除する方法。
【０１６０】
表２６：形質転換植物により発現された活性の原理と、防除されるべき有害生物との組合せが、表ＢのＢ．１〜Ｂ．１１７０の個々の組合せのいずれか一つに対応する、形質転換コショウへのイミダクロプリドの適用を含む有害生物を防除する方法。
【０１６１】
表２７：形質転換植物により発現された活性の原理と、防除されるべき有害生物との組合せが、表ＢのＢ．１〜Ｂ．１１７０の個々の組合せのいずれか一つに対応する、形質転換の綿へのＴｉ−４３５の適用を含む有害生物を防除する方法。
【０１６２】
表２８：形質転換植物により発現された活性の原理と、防除されるべき有害生物との組合せが、表ＢのＢ．１〜Ｂ．１１７０の個々の組合せのいずれか一つに対応する、形質転換イネへのＴｉ−４３５の適用を含む有害生物を防除する方法。
【０１６３】
表２９：形質転換植物により発現された活性の原理と、防除されるべき有害生物との組合せが、表ＢのＢ．１〜Ｂ．１１７０の個々の組合せのいずれか一つに対応する、形質転換ジャガイモへのＴｉ−４３５の適用を含む有害生物を防除する方法。
【０１６４】
表３０：形質転換植物により発現された活性の原理と、防除されるべき有害生物との組合せが、表ＢのＢ．１〜Ｂ．１１７０の個々の組合せのいずれか一つに対応する、形質転換アブラナ属へのＴｉ−４３５の適用を含む有害生物を防除する方法。
【０１６５】
表３１：形質転換植物により発現された活性の原理と、防除されるべき有害生物との組合せが、表ＢのＢ．１〜Ｂ．１１７０の個々の組合せのいずれか一つに対応する、形質転換トマトへのＴｉ−４３５の適用を含む有害生物を防除する方法。
【０１６６】
表３２：形質転換植物により発現された活性の原理と、防除されるべき有害生物との組合せが、表ＢのＢ．１〜Ｂ．１１７０の個々の組合せのいずれか一つに対応する、形質転換ウリ科の植物へのＴｉ−４３５の適用を含む有害生物を防除する方法。
【０１６７】
表３３：形質転換植物により発現された活性の原理と、防除されるべき有害生物との組合せが、表ＢのＢ．１〜Ｂ．１１７０の個々の組合せのいずれか一つに対応する、形質転換ダイズへのＴｉ−４３５の適用を含む有害生物を防除する方法。
【０１６８】
表３４：形質転換植物により発現された活性の原理と、防除されるべき有害生物との組合せが、表ＢのＢ．１〜Ｂ．１１７０の個々の組合せのいずれか一つに対応する、形質転換トウモロコシへのＴｉ−４３５の適用を含む有害生物を防除する方法。
【０１６９】
表３５：形質転換植物により発現された活性の原理と、防除されるべき有害生物との組合せが、表ＢのＢ．１〜Ｂ．１１７０の個々の組合せのいずれか一つに対応する、形質転換コムギへのＴｉ−４３５の適用を含む有害生物を防除する方法。
【０１７０】
表３６：形質転換植物により発現された活性の原理と、防除されるべき有害生物との組合せが、表ＢのＢ．１〜Ｂ．１１７０の個々の組合せのいずれか一つに対応する、形質転換バナナへのＴｉ−４３５の適用を含む有害生物を防除する方法。
【０１７１】
表３７：形質転換植物により発現された活性の原理と、防除されるべき有害生物との組合せが、表ＢのＢ．１〜Ｂ．１１７０の個々の組合せのいずれか一つに対応する、形質転換の柑橘類木へのＴｉ−４３５の適用を含む有害生物を防除する方法。
【０１７２】
表３８：形質転換植物により発現された活性の原理と、防除されるべき有害生物との組合せが、表ＢのＢ．１〜Ｂ．１１７０の個々の組合せのいずれか一つに対応する、形質転換の梨状果木へのＴｉ−４３５の適用を含む有害生物を防除する方法。
【０１７３】
表３９：形質転換植物により発現された活性の原理と、防除されるべき有害生物との組合せが、表ＢのＢ．１〜Ｂ．１１７０の個々の組合せのいずれか一つに対応する、形質転換の綿へのチアクロプリドの適用を含む有害生物を防除する方法。
【０１７４】
表４０：形質転換植物により発現された活性の原理と、防除されるべき有害生物との組合せが、表ＢのＢ．１〜Ｂ．１１７０の個々の組合せのいずれか一つに対応する、形質転換イネへのチアクロプリドの適用を含む有害生物を防除する方法。
【０１７５】
表４１：形質転換植物により発現された活性の原理と、防除されるべき有害生物との組合せが、表ＢのＢ．１〜Ｂ．１１７０の個々の組合せのいずれか一つに対応する、形質転換ジャガイモへのチアクロプリドの適用を含む有害生物を防除する方法。
【０１７６】
表４２：形質転換植物により発現された活性の原理と、防除されるべき有害生物との組合せが、表ＢのＢ．１〜Ｂ．１１７０の個々の組合せのいずれか一つに対応する、形質転換アブラナ属へのチアクロプリドの適用を含む有害生物を防除する方法。
【０１７７】
表４３：形質転換植物により発現された活性の原理と、防除されるべき有害生物との組合せが、表ＢのＢ．１〜Ｂ．１１７０の個々の組合せのいずれか一つに対応する、形質転換トマトへのチアクロプリドの適用を含む有害生物を防除する方法。
【０１７８】
表４４：形質転換植物により発現された活性の原理と、防除されるべき有害生物との組合せが、表ＢのＢ．１〜Ｂ．１１７０の個々の組合せのいずれか一つに対応する、形質転換ウリ科の植物へのチアクロプリドの適用を含む有害生物を防除する方法。
【０１７９】
表４５：形質転換植物により発現された活性の原理と、防除されるべき有害生物との組合せが、表ＢのＢ．１〜Ｂ．１１７０の個々の組合せのいずれか一つに対応する、形質転換ダイズへのチアクロプリドの適用を含む有害生物を防除する方法。
【０１８０】
表４６：形質転換植物により発現された活性の原理と、防除されるべき有害生物との組合せが、表ＢのＢ．１〜Ｂ．１１７０の個々の組合せのいずれか一つに対応する、形質転換トウモロコシへのチアクロプリドの適用を含む有害生物を防除する方法。
【０１８１】
表４７：形質転換植物により発現された活性の原理と、防除されるべき有害生物との組合せが、表ＢのＢ．１〜Ｂ．１１７０の個々の組合せのいずれか一つに対応する、形質転換コムギへのチアクロプリドの適用を含む有害生物を防除する方法。
【０１８２】
表４８：形質転換植物により発現された活性の原理と、防除されるべき有害生物との組合せが、表ＢのＢ．１〜Ｂ．１１７０の個々の組合せのいずれか一つに対応する、形質転換バナナへのチアクロプリドの適用を含む有害生物を防除する方法。
【０１８３】
表Ｃ：
略号：
アセチルＣｏＡカルボキシラーゼ：ＡＣＣａｓｅ
アセトラクテートシンターゼ：ＡＬＳ
ヒドロキシフェニルピルベートジオキシゲナーゼ：ＨＰＰＤ
蛋白質合成の阻害：ＩＰＳ
ホルモン類似体（mimic）：ＨＯ
グルタミンシンセターゼ：ＧＳ
プロトポルフィリノーゲンオキシダーゼ：ＰＲＯＴＯＸ
５−エノールピルボイル−３−ホスフォシキミ酸シンターゼ：ＥＰＳＰＳ
【０１８４】
【表２３】
0005932260.tif 000027
【０１８５】
【表２４】
0005932260.tif 000028
【０１８６】
【表２５】
0005932260.tif 000029
【０１８７】
【表２６】
0005932260.tif 000030
【０１８８】
＊＊＊：スルホニル尿素類、イミダゾリノン類、トリアゾロピリミジン類、ジメトキシピリミジン類およびＮ−アシルスルフォナミド類が含まれる：
【０１８９】
クロロスルフロン（Chlorsulfuron）、クロリムロン（Chlorimuron）、エタメトスルフロン（Ethamethsuifuron）、メトスルフロン（Metsulfuron）、プリミスルフロン（Primisulfuron）、プロスルフロン（Prosulfuron）、トリアスルフロン（Triasulfuron）、チノスルフロン（Cinosulfuron）、トリフスルフロン（Trifusulfuron）、オキサスルフロン（Oxasulfuron）、ベンスルフロン（Bensulfuron）、トリベヌロン（Tribenuron）、ＡＣＣ３２２１４０、フルツアスルフロン（Fluzasulron）、エトキシスルフロン（Ethoxysulfuron）、フルツアスズルフロン（Fluzasdulfuron）、ニコスルフロン（Nicosulfuron）、リムスルフロン（Rimsulfuron）、チフェンスルフロン（Thifensulfuron）、ピラゾスルフロン（Pyrazosulfuron）、クロピラスルフロン（Clopyrasulfuron）、ＮＣ３３０、アジムスルフロン（Azimsulfuron）、イマゾスルフロン（Imazosulfuron）、スルフォスルフロン（Suflosulfuron）、アミドスルフロン（Amidosulfuron）、フルピスルフロン（Flupyrsulfuron）、ＣＧＡ３６２６２２等のスルホニル尿素類；
【０１９０】
イマザメタベンズ（Imazamethabenz）、イマザキン（Imazaquin）、イマザメチピル（imazamethypyr）、イマゼタピル（Imazethapyr）、イマザピル（Imazapyr）およびイマザモクス（Imazamox）等のイミダゾリノン類；
【０１９１】
ＤＥ５１１、フルメトスラム（Flumetsulam）およびクロランスラム（Chloransulam）等のトリアゾロピリミジン類；
【０１９２】
ピリチオバック（Pyrithiobac）、ピリミノバック（Pyriminobac）、ビスピリバック（Bispyribac）およびピリベンゾキシム（Pyribenzoxim）等のジメトキシピリミジン類。
【０１９３】
＋＋＋：ジクロフォップ−メチル（Diclofop-methyl）、フルアジフォップ−Ｐ−ブチル（Fluazifop-P-butyl）、ハロキシフォップ−Ｐ−メチル（Haloxyfop-P-methyl）、ハロキシフォップ−Ｐ−エチル（Haloxyfop-P-ethyl）、キザラフォップ−Ｐ−エチル（Ouizalafop-P-ethyl）、クロディナフォッププロパルギル（clodinafop propargyl）、フェノキサプロップ−エチル（fenoxaprop-ethyl）、−テプラロキシジム（Tepraloxydim）、アロキシジム（Alloxydim）、セトキシジム（Sethoxydim）、シクロキシジム（Cycloxydim）、クロプロキシジム（Cloproxydim）、トラルコキシジム（Tralkoxydim）、ブトキシジム（Butoxydim）、カロキシジム（Caloxydim）、クレフォキシジム（Clefoxydim）、クレトジム（Clethodim）に寛容性を有する。
【０１９４】
＆＆＆：アラクロル（Alachlor）、アセトクロル（Acetochlor）、ジメテナミド（Dimethenamid）等のクロロアセトアニリド類。
【０１９５】
／／／：Protoxインヒビター：例えば、アシフルオルフェン（Acifluorfen）、アクロニフェン（Aclonifen）、ビフェノックス（Bifenox）、クロルニトロフェン（Chlomitrofen）、エトキシフェン（Ethoxyfen）、フルオログリコフェン（Fluoroglycofen）、フォメサフェン（Fomesafen）、ラクトフェン（Lactofen）、オキシフルオルフェン（Oxyfluorfen）等のジフェニエーテル類；アザフェニジン（Azafenidin）、カルフェントラゾン−エチル（Carfentrazone-ethyl）、シニドン−エチル（Cinidon-ethyl）、フルミクロラック−ペンチル（Flumiclorac-pentyl）、フルミオキサジン（Flumioxazin）、フルチアセット−メチル（Fluthiacet-methyl）、オキサジアルギル（Oxadiargyl）、オキサジアゾン（Oxadiazon）、ペントキサゾン（Pentoxazone）、スルフェントラゾン（Sulfentrazone）等のイミド類；フルミプロピン（Flumipropyn）、フルプロパシル（Flupropacil）、ニピラクロフェン（Nipyraclolen）およびチアジアジミン（Thidiazimin）等のイミド類その他；および、更にフルアゾレート（Fluazolate）およびピラフルフェン−エチル（Pyraflufen-ethyl）。
【０１９６】
生物学的例
表４９：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Adoxophyesの代表的なものを防除する方法。
【０１９７】
表５０：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Agrotis の代表的なものを防除する方法。
【０１９８】
表５１：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含むアラバマargillaceae を防除する方法。
【０１９９】
表５２：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含むAnticarsia gemmatalis を防除する方法。
【０２００】
表５３：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Chilo の代表的なものを防除する方法。
【０２０１】
表５４：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含むClysia ambiguella を防除する方法。
【０２０２】
表５５：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Cnephalocrocisの代表的なものを防除する方法。
【０２０３】
表５６：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含むCrocidolomia binotalisを防除する方法。
【０２０４】
表５７：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Cydia の代表的なものを防除する方法。
【０２０５】
表５８：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含むDiparopsis castanea を防除する方法。
【０２０６】
表５９：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Eariasの代表的なものを防除する方法。
【０２０７】
表６０：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Ephestiaの代表的なものを防除する方法。
【０２０８】
表６１：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Heliothis の代表的なものを防除する方法。
【０２０９】
表６２：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含むHellula undalis を防除する方法。
【０２１０】
表６３：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含むKeiferia lycopersicella を防除する方法。
【０２１１】
表６４：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含むLeucoptera scitella を防除する方法。
【０２１２】
表６５：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Lithocollethisの代表的なものを防除する方法。
【０２１３】
表６６：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Lobesia botrana を防除する方法。
【０２１４】
表６７：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含むOstrinia nubialalis を防除する方法。
【０２１５】
表６８：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Pandemisの代表的なものを防除する方法。
【０２１６】
表６９：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含むPectinophora gossypiellaを防除する方法。
【０２１７】
表７０：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含むPhyllocnistis citrellaを防除する方法。
【０２１８】
表７１：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Pierisの代表的なものを防除する方法。
【０２１９】
表７２：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含むPlutella xylostella を防除する方法。
【０２２０】
表７３：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Scirpophaga を防除する方法。
【０２２１】
表７４：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Sesamia の代表的なものを防除する方法。
【０２２２】
表７５：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Sparganothisの代表的なものを防除する方法。
【０２２３】
表７６：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含むSpodopteraの代表的なものを防除する方法。
【０２２４】
表７７：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Tortrix の代表的なものを防除する方法。
【０２２５】
表７８：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含むTrichoplusia ni を防除する方法。
【０２２６】
表７９：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Agriotesの代表的なものを防除する方法。
【０２２７】
表８０：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含むAnthonomus grandisを防除する方法。
【０２２８】
表８１：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Curculioの代表的なものを防除する方法。
【０２２９】
表８２：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含むDiabrotica balteata を防除する方法。
【０２３０】
表８３：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Leptinotarsaの代表的なものを防除する方法。
【０２３１】
表８４：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Lissorhoptrus の代表的なものを防除する方法。
【０２３２】
表８５：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Otiorhynchusの代表的なものを防除する方法。
【０２３３】
表８６：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Aleurothrixus の代表的なものを防除する方法。
【０２３４】
表８７：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Aleyrodes の代表的なものを防除する方法。
【０２３５】
表８８：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Aonidiellaの代表的なものを防除する方法。
【０２３６】
表８９：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む科Aphididae の代表的なものを防除する方法。
【０２３７】
表９０：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Aphis の代表的なものを防除する方法。
【０２３８】
表９１：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Bemisia tabaciを防除する方法。
【０２３９】
表９２：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Empoascaの代表的なものを防除する方法。
【０２４０】
表９３：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Mycus の代表的なものを防除する方法。
【０２４１】
表９４：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Nephotettix の代表的なものを防除する方法。
【０２４２】
表９５：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Nilaparvata の代表的なものを防除する方法。
【０２４３】
表９６：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Pseudococcusの代表的なものを防除する方法。
【０２４４】
表９７：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Psyllaの代表的なものを防除する方法。
【０２４５】
表９８：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Quadraspidiotus の代表的なものを防除する方法。
【０２４６】
表９９：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Schizaphisの代表的なものを防除する方法。
【０２４７】
表１００：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Trialeurodesの代表的なものを防除する方法。
【０２４８】
表１０１：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Lyriomyza の代表的なものを防除する方法。
【０２４９】
表１０２：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Oscinella の代表的なものを防除する方法。
【０２５０】
表１０３：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Phorbia の代表的なものを防除する方法。
【０２５１】
表１０４：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Frankliniella の代表的なものを防除する方法。
【０２５２】
表１０５：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Thripsの代表的なものを防除する方法。
【０２５３】
表１０６：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含むScirtothrips aurantii を防除する方法。
【０２５４】
表１０７：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Aceriaの代表的なものを防除する方法。
【０２５５】
表１０８：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Aculusの代表的なものを防除する方法。
【０２５６】
表１０９：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Brevipalpus の代表的なものを防除する方法。
【０２５７】
表１１０：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Panonychusの代表的なものを防除する方法。
【０２５８】
表１１１：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Phyllocoptrutaの代表的なものを防除する方法。
【０２５９】
表１１２：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Tetranychus の代表的なものを防除する方法。
【０２６０】
表１１３：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Heteroderaの代表的なものを防除する方法。
【０２６１】
表１１４：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Meloidogyne の代表的なものを防除する方法。
【０２６２】
表１１５：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのチアメトキサムの適用を含む属Mamestra brassica を防除する方法。
【０２６３】
表１１６：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Adoxophyesの代表的なものを防除する方法。
【０２６４】
表１１７：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Agrotis の代表的なものを防除する方法。
【０２６５】
表１１８：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含むアラバマargillaceae を防除する方法。
【０２６６】
表１１９：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含むAnticarsia gemmatalis を防除する方法。
【０２６７】
表１２０：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Chilo の代表的なものを防除する方法。
【０２６８】
表１２１：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含むClysia ambiguella を防除する方法。
【０２６９】
表１２２：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Cnephalocrocisの代表的なものを防除する方法。
【０２７０】
表１２３：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含むCrocidolomia binotalisを防除する方法。
【０２７１】
表１２４：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Cydia の代表的なものを防除する方法。
【０２７２】
表１２５：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含むDiparopsis castanea を防除する方法。
【０２７３】
表１２６：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Eariasの代表的なものを防除する方法。
【０２７４】
表１２７：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Ephestiaの代表的なものを防除する方法。
【０２７５】
表１２８：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Heliothis の代表的なものを防除する方法。
【０２７６】
表１２９：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含むHellula undalis を防除する方法。
【０２７７】
表１３０：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含むKeiferia lycopersicella を防除する方法。
【０２７８】
表１３１：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含むLeucoptera scitella を防除する方法。
【０２７９】
表１３２：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Lithocollethisの代表的なものを防除する方法。
【０２８０】
表１３３：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含むLobesia botrana を防除する方法。
【０２８１】
表１３４：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含むOstrinia nubialalis を防除する方法。
【０２８２】
表１３５：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Pandemisの代表的なものを防除する方法。
【０２８３】
表１３６：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含むPectinophora gossypiellaを防除する方法。
【０２８４】
表１３７：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含むPhyllocnistis citrellaを防除する方法。
【０２８５】
表１３８：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Pierisの代表的なものを防除する方法。
【０２８６】
表１３９：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含むPlutella xylostella を防除する方法。
【０２８７】
表１４０：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Scirpophaga を防除する方法。
【０２８８】
表１４１：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Sesamia の代表的なものを防除する方法。
【０２８９】
表１４２：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Sparganothisの代表的なものを防除する方法。
【０２９０】
表１４３：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含むSpodopteraの代表的なものを防除する方法。
【０２９１】
表１４４：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Tortrix の代表的なものを防除する方法。
【０２９２】
表１４５：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含むTrichoplusia ni を防除する方法。
【０２９３】
表１４６：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Agriotesの代表的なものを防除する方法。
【０２９４】
表１４７：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含むAnthonomus grandisを防除する方法。
【０２９５】
表１４８：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Curculioの代表的なものを防除する方法。
【０２９６】
表１４９：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含むDiabrotica balteata を防除する方法。
【０２９７】
表１５０：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Leptinotarsaの代表的なものを防除する方法。
【０２９８】
表１５１：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Lissorhoptrus の代表的なものを防除する方法。
【０２９９】
表１５２：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Otiorhynchusの代表的なものを防除する方法。
【０３００】
表１５３：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Aleurothrixus の代表的なものを防除する方法。
【０３０１】
表１５４：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Aleyrodes の代表的なものを防除する方法。
【０３０２】
表１５５：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Aonidiellaの代表的なものを防除する方法。
【０３０３】
表１５６：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む科Aphididae の代表的なものを防除する方法。
【０３０４】
表１５７：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Aphis の代表的なものを防除する方法。
【０３０５】
表１５８：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Bemisia tabaciを防除する方法。
【０３０６】
表１５９：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Empoascaの代表的なものを防除する方法。
【０３０７】
表１６０：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Mycus の代表的なものを防除する方法。
【０３０８】
表１６１：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Nephotettix の代表的なものを防除する方法。
【０３０９】
表１６２：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Nilaparvata の代表的なものを防除する方法。
【０３１０】
表１６３：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Pseudococcusの代表的なものを防除する方法。
【０３１１】
表１６４：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Psyllaの代表的なものを防除する方法。
【０３１２】
表１６５：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Quadraspidiotus の代表的なものを防除する方法。
【０３１３】
表１６６：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Schizaphisの代表的なものを防除する方法。
【０３１４】
表１６７：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Trialeurodesの代表的なものを防除する方法。
【０３１５】
表１６８：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Lyriomyza の代表的なものを防除する方法。
【０３１６】
表１６９：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Oscinella の代表的なものを防除する方法。
【０３１７】
表１７０：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Phorbia の代表的なものを防除する方法。
【０３１８】
表１７１：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Frankliniella の代表的なものを防除する方法。
【０３１９】
表１７２：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Thripsの代表的なものを防除する方法。
【０３２０】
表１７３：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含むScirtothrips aurantii を防除する方法。
【０３２１】
表１７４：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Aceriaの代表的なものを防除する方法。
【０３２２】
表１７５：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Aculusの代表的なものを防除する方法。
【０３２３】
表１７６：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Brevipalpus の代表的なものを防除する方法。
【０３２４】
表１７７：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Panonychusの代表的なものを防除する方法。
【０３２５】
表１７８：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む科Phyllocoptrutaの代表的なものを防除する方法。
【０３２６】
表１７９：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Tetranychus の代表的なものを防除する方法。
【０３２７】
表１８０：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Heteroderaの代表的なものを防除する方法。
【０３２８】
表１８１：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのイミダクロプリドの適用を含む属Meloidogyne の代表的なものを防除する方法。
【０３２９】
表１８２：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Adoxophyesの代表的なものを防除する方法。
【０３３０】
表１８３：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Agrotis の代表的なものを防除する方法。
【０３３１】
表１８４：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含むアラバマargillaceae を防除する方法。
【０３３２】
表１８５：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含むAnticarsia gemmatalis を防除する方法。
【０３３３】
表１８６：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Chilo の代表的なものを防除する方法。
【０３３４】
表１８７：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含むClysia ambiguella を防除する方法。
【０３３５】
表１８８：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含むCrocidolomia binotalisを防除する方法。
【０３３６】
表１８９：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Cydia の代表的なものを防除する方法。
【０３３７】
表１９０：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含むDiparopsis castanea を防除する方法。
【０３３８】
表１９１：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Eariasの代表的なものを防除する方法。
【０３３９】
表１９２：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Ephestiaの代表的なものを防除する方法。
【０３４０】
表１９３：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Heliothis の代表的なものを防除する方法。
【０３４１】
表１９４：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含むHellula undalis を防除する方法。
【０３４２】
表１９５：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含むKeiferia lycopersicella を防除する方法。
【０３４３】
表１９６：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含むLeucoptera scitella を防除する方法。
【０３４４】
表１９７：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Lithocollethisの代表的なものを防除する方法。
【０３４５】
表１９８：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含むLobesia botrana を防除する方法。
【０３４６】
表１９９：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含むOstrinia nubialalis を防除する方法。
【０３４７】
表２００：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Pandemisの代表的なものを防除する方法。
【０３４８】
表２０１：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含むPectinophora gossypiellaを防除する方法。
【０３４９】
表２０２：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含むPhyllocnistis citrellaを防除する方法。
【０３５０】
表２０３：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Pierisの代表的なものを防除する方法。
【０３５１】
表２０４：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含むPlutella xylostella を防除する方法。
【０３５２】
表２０５：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Scirpophaga を防除する方法。
【０３５３】
表２０６：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Sesamia の代表的なものを防除する方法。
【０３５４】
表２０７：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Sparganothisの代表的なものを防除する方法。
【０３５５】
表２０８：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含むSpodopteraの代表的なものを防除する方法。
【０３５６】
表２０９：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Tortrix の代表的なものを防除する方法。
【０３５７】
表２１０：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含むTrichoplusia ni を防除する方法。
【０３５８】
表２１１：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Agriotesの代表的なものを防除する方法。
【０３５９】
表２１２：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含むAnthonomus grandisを防除する方法。
【０３６０】
表２１３：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Curculioの代表的なものを防除する方法。
【０３６１】
表２１４：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含むDiabrotica balteata を防除する方法。
【０３６２】
表２１５：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Leptinotarsaの代表的なものを防除する方法。
【０３６３】
表２１６：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Lissorhoptrus の代表的なものを防除する方法。
【０３６４】
表２１７：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Otiorhynchusの代表的なものを防除する方法。
【０３６５】
表２１８：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Aleurothrixus の代表的なものを防除する方法。
【０３６６】
表２１９：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Aleyrodes の代表的なものを防除する方法。
【０３６７】
表２２０：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Aonidiellaの代表的なものを防除する方法。
【０３６８】
表２２１：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む科Aphididae の代表的なものを防除する方法。
【０３６９】
表２２２：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Aphis の代表的なものを防除する方法。
【０３７０】
表２２３：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Bemisia tabaciを防除する方法。
【０３７１】
表２２４：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Empoascaの代表的なものを防除する方法。
【０３７２】
表２２５：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Mycus の代表的なものを防除する方法。
【０３７３】
表２２６：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Nephotettix の代表的なものを防除する方法。
【０３７４】
表２２７：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Nilaparvata の代表的なものを防除する方法。
【０３７５】
表２２８：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Pseudococcusの代表的なものを防除する方法。
【０３７６】
表２２９：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Psyllaの代表的なものを防除する方法。
【０３７７】
表２３０：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Quadraspidiotus の代表的なものを防除する方法。
【０３７８】
表２３１：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Schizaphisの代表的なものを防除する方法。
【０３７９】
表２３２：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Trialeurodesの代表的なものを防除する方法。
【０３８０】
表２３３：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Lyriomyza の代表的なものを防除する方法。
【０３８１】
表２３４：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Oscinella の代表的なものを防除する方法。
【０３８２】
表２３５：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Phorbia の代表的なものを防除する方法。
【０３８３】
表２３６：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Frankliniella の代表的なものを防除する方法。
【０３８４】
表２３７：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Thripsの代表的なものを防除する方法。
【０３８５】
表２３８：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含むScirtothrips aurantii を防除する方法。
【０３８６】
表２３９：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Aceriaの代表的なものを防除する方法。
【０３８７】
表２４０：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Aculusの代表的なものを防除する方法。
【０３８８】
表２４１：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Brevipalpus の代表的なものを防除する方法。
【０３８９】
表２４２：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Panonychusの代表的なものを防除する方法。
【０３９０】
表２４３：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む科Phyllocoptrutaの代表的なものを防除する方法。
【０３９１】
表２４４：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Tetranychus の代表的なものを防除する方法。
【０３９２】
表２４５：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Heteroderaの代表的なものを防除する方法。
【０３９３】
表２４６：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Meloidogyne の代表的なものを防除する方法。
【０３９４】
表２４７：形質転換植物により発現された活性の原理と、有害生物に対して保護されるべき作物との組合せが、表ＣのラインＣ．１〜Ｃ．１０８のいずれか一つに対応する、除草剤耐性の形質転換作物へのＴｉ−４３５の適用を含む属Mamestra brassica を防除する方法。
【０３９５】
例Ｂ１：Anthonomus grandis成虫、Spodootera littoralis またはHeliothis virescens に対する作用
δ−エンドトキシン CryIIIAを発現している形質転換の若い綿植物を、１００、５０、１０、５、１ｐｐｍのイミダクロプリドをそれぞれ含む水性エマルションスプレー混合物でスプレーする。そのスプレーコーティングが乾いた後、１０匹のAnthonomus grandis成虫、１０匹のSpodootera littoralis 幼虫または１０匹のHeliothis virescens 幼虫を綿植物にそれぞれ植え付け、プラスチックの容器内に導入する。３〜１０日後に評価を行う。個体群におけるパーセンテージ低減または摂食ダメージにおけるパーセンテージ低減（％作用）は、形質転換の綿植物上で死滅した甲虫類および摂食ダメージの数を、イミダクロプリドおよび従来のＣｒｙＩＩＩＡ−毒を個々の場合に１００、５０、１０、５、１ｐｐｍの濃度でそれぞれ含むエマルションスプレー混合物で処理した非形質転換の綿植物上でのそれと比較することにより決定する。
【０３９６】
このテストにおいて、形質転換の植物においてテストされた虫の防除は、非形質転換の植物におけるものより優れている。
【０３９７】
例Ｂ２：Anthonomus grandis成虫、Spodootera littoralis またはHeliothis virescens に対する作用
δ−エンドトキシン CryIIIAを発現している形質転換の若い綿植物を、１００、５０、１０、５、１ｐｐｍのチアメトキサムをそれぞれ含む水性エマルションスプレー混合物でスプレーする。そのスプレーコーティングが乾いた後、綿植物に１０匹のAnthonomus grandis成虫、１０匹のSpodootera littoralis 幼虫または１０匹のHeliothis virescens 幼虫をそれぞれ植え付け、プラスチックの容器内に導入する。３〜１０日後に評価を行う。
個体群におけるパーセンテージ低減または摂食ダメージにおけるパーセンテージ低減（％作用）は、形質転換の綿植物上で死滅した甲虫類および摂食ダメージの数を、チアメトキサムおよび従来のＣｒｙＩＩＩＡ−毒を個々の場合に１００、５０、１０、５、１ｐｐｍの濃度でそれぞれ含むエマルションスプレー混合物で処理した非形質転換の綿植物上でのそれと比較することにより決定する。
【０３９８】
このテストにおいて、形質転換の植物においてテストされた虫の防除は優れており、他方、非形質転換の植物におけるそれは不充分である。
【０３９９】
例Ｂ３：Anthonomus grandis成虫、Spodootera littoralis またはHeliothis virescens に対する作用
δ−エンドトキシン CryIIIAを発現している形質転換の若い綿植物を、１００、５０、１０、５、１ｐｐｍのＴｉ−４３５をそれぞれ含む水性エマルションスプレー混合物でスプレーする。そのスプレーコーティングが乾いた後、綿植物に１０匹のAnthonomus grandis成虫、１０匹のSpodootera littoralis 幼虫または１０匹のHeliothis virescens 幼虫をそれぞれ植え付け、プラスチックの容器内に導入する。３〜１０日後に評価を行う。個体群におけるパーセンテージ低減または摂食ダメージにおけるパーセンテージ低減（％作用）は、形質転換の綿植物上で死滅した甲虫類および摂食ダメージの数を、Ｔｉ−４３５および従来のＣｒｙＩＩＩＡ−毒を個々の場合に１００、５０、１０、５、１ｐｐｍの濃度でそれぞれ含むエマルションスプレー混合物で処理した非形質転換の綿植物上でのそれと比較することにより決定する。
【０４００】
このテストにおいて、形質転換の植物においてテストされた虫の防除は優れており、他方、非形質転換の植物におけるそれは不充分である。
【０４０１】
例Ｂ４：Anthonomus grandis成虫、Spodootera littoralis またはHeliothis virescens に対する作用
δ−エンドトキシン CryIa（ｃ）を発現している形質転換の若い綿植物を、１００、５０、１０、５、１ｐｐｍのＴｉ−４３５をそれぞれ含む水性エマルションスプレー混合物でスプレーする。そのスプレーコーティングが乾いた後、綿植物に１０匹のAnthonomus grandis成虫、１０匹のSpodootera littoralis 幼虫または１０匹のHeliothis virescens 幼虫をそれぞれ植え付け、プラスチックの容器内に導入する。３〜１０日後に評価を行う。個体群におけるパーセンテージ低減または摂食ダメージにおけるパーセンテージ低減（％作用）は、形質転換の綿植物上で死滅した甲虫類および摂食ダメージの数を、Ｔｉ−４３５および従来のＣｒｙＩＩＩＡ−毒を個々の場合に１００、５０、１０、５、１ｐｐｍの濃度でそれぞれ含むエマルションスプレー混合物で処理した非形質転換の綿植物上でのそれと比較することにより決定する。
【０４０２】
このテストにおいて、形質転換の植物においてテストされた虫の防除は優れており、他方、非形質転換の植物におけるそれは不充分である。
【０４０３】
例Ｂ５：Anthonomus grandis成虫、Spodootera littoralis またはHeliothis virescens に対する作用
δ−エンドトキシン CryIa（ｃ）を発現している形質転換の若い綿植物を、１００、５０、１０、５、１ｐｐｍのチアメトキサムをそれぞれ含む水性エマルションスプレー混合物でスプレーする。そのスプレーコーティングが乾いた後、綿植物に１０匹のAnthonomus grandis成虫、１０匹のSpodootera littoralis 幼虫または１０匹のHeliothis virescens 幼虫をそれぞれ植え付け、プラスチックの容器内に導入する。３〜１０日後に評価を行う。個体群におけるパーセンテージ低減または摂食ダメージにおけるパーセンテージ低減（％作用）は、形質転換の綿植物上で死滅した甲虫類および摂食ダメージの数を、チアメトキサムおよび従来のＣｒｙＩＩＩＡ−毒を個々の場合に１００、５０、１０、５、１ｐｐｍの濃度でそれぞれ含むエマルションスプレー混合物で処理した非形質転換の綿植物上でのそれと比較することにより決定する。
【０４０４】
このテストにおいて、形質転換の植物においてテストされた虫の防除は優れており、他方、非形質転換の植物におけるそれは不充分である。
【０４０５】
例Ｂ６：Anthonomus grandis成虫、Spodootera littoralis またはHeliothis virescens に対する作用
δ−エンドトキシン CryIa（ｃ）を発現している形質転換の若い綿植物を、１００、５０、１０、５、１ｐｐｍのイミダクロプリドをそれぞれ含む水性エマルションスプレー混合物でスプレーする。そのスプレーコーティングが乾いた後、綿植物に１０匹のAnthonomus grandis成虫、１０匹のSpodootera littoralis 幼虫または１０匹のHeliothis virescens 幼虫をそれぞれ植え付け、プラスチックの容器内に導入する。３〜１０日後に評価を行う。個体群におけるパーセンテージ低減または摂食ダメージにおけるパーセンテージ低減（％作用）は、形質転換の綿植物上で死滅した甲虫類および摂食ダメージの数を、イミダクロプリドおよび従来のＣｒｙＩＩＩＡ−毒を個々の場合に１００、５０、１０、５、１ｐｐｍの濃度でそれぞれ含むエマルションスプレー混合物で処理した非形質転換の綿植物上でのそれと比較することにより決定する。
【０４０６】
このテストにおいて、形質転換の植物においてテストされた虫の防除は優れており、他方、非形質転換の植物におけるそれは不充分である。
【０４０７】
例Ｂ７：Ostrinia nubilalis、Spodootera種またはHeliothis 種に対する作用
共に自然のOstrinia nubilalis、Spodootera種またはHeliothis による侵襲を示しているトウモロコシ品種Knockout（登録商標）を植えた区画（ａ）と、従来のトウモロコシを植えた同じサイズの隣接の区画（ｂ）とを、２００、１００、５０、１０、５、１ｐｐｍのＴｉ−４３５を含む水性エマルションスプレー混合物でスプレーする。その直後に、区画（ｂ）を、Knockout（登録商標）により発現されたエンドトキシンの２００、１００、５０、１０、５、１ｐｐｍを含むエマルションスプレー混合物で処理する。評価を、６日後に行う。個体群におけるパーセンテージ低減（％作用）は、区画（ａ）の植物上で死滅した有害生物の数を、区画（ｂ）の植物上のそれと比較することにより決定する。
【０４０８】
Ostrinia nubilalis、Spodootera種またはHeliothis の改善された防除が区画（ａ）の植物上で観察され、他方、区画（ｂ）は６０％以下の防除レベルを示す。
【０４０９】
例Ｂ８：Ostrinia nubilalis、Spodootera種またはHeliothis 種に対する作用
共に自然のOstrinia nubilalis、Spodootera種またはHeliothis による侵襲を示しているトウモロコシ品種Knockout（登録商標）を植えた区画（ａ）と、従来のトウモロコシを植えた同じサイズの隣接の区画（ｂ）とを、２００、１００、５０、１０、５、１ｐｐｍのチアメトキサムを含む水性エマルションスプレー混合物でスプレーする。その直後に、区画（ｂ）を、Knockout（登録商標）により発現されたエンドトキシンの２００、１００、５０、１０、５、１ｐｐｍを含むエマルションスプレー混合物で処理する。評価を、６日後に行う。個体群におけるパーセンテージ低減（％作用）は、区画（ａ）の植物上で死滅した有害生物の数を、区画（ｂ）の植物上のそれと比較することにより決定する。
【０４１０】
Ostrinia nubilalis、Spodootera種またはHeliothis の改善された防除が区画（ａ）の植物上で観察され、他方、区画（ｂ）は６０％以下の防除レベルを示す。
【０４１１】
例Ｂ９：Ostrinia nubilalis、Spodootera種またはHeliothis 種に対する作用
共に自然のOstrinia nubilalis、Spodootera種またはHeliothis による侵襲を示しているトウモロコシ品種Knockout（登録商標）を植えた区画（ａ）と、従来のトウモロコシを植えた同じサイズの隣接の区画（ｂ）とを、２００、１００、５０、１０、５、１ｐｐｍのイミダクロプリドを含む水性エマルションスプレー混合物でスプレーする。その直後に、区画（ｂ）を、Knockout（登録商標）により発現されたエンドトキシンの２００、１００、５０、１０、５、１ｐｐｍを含むエマルションスプレー混合物で処理する。評価を、６日後に行う。個体群におけるパーセンテージ低減（％作用）は、区画（ａ）の植物上で死滅した有害生物の数を、区画（ｂ）の植物上のそれと比較することにより決定する。
【０４１２】
Ostrinia nubilalis、Spodootera種またはHeliothis の改善された防除が区画（ａ）の植物の上で観察され、他方、区画（ｂ）は６０％以下の防除レベルを示す。
【０４１３】
例Ｂ１０：Diabrotica balteata に対する作用
トウモロコシ品種Knockout（登録商標）の実生を植えた区画（ａ）と、従来のトウモロコシを植えた同じサイズの隣接の区画（ｂ）とを、４００ｐｐｍのチアメトキサムを含む水性エマルションスプレー混合物でスプレーする。その直後に、区画（ｂ）を、Knockout（登録商標）により発現されたエンドトキシンの４００ｐｐｍを含むエマルションスプレー混合物で処理する。スプレーコーティングが乾燥した後、それらの実生に１０匹の第２期のDiabrotica balteata 幼虫を植え付け、プラスチック容器に移す。６日後に、そのテストを評価する。個体群におけるパーセンテージ低減（％作用）は、区画（ａ）の植物上で死滅した有害生物の数を、区画（ｂ）の植物上のそれと比較することにより決定する。
【０４１４】
Diabrotica balteata の改善された防除が区画（ａ）の植物上で観察され、他方、区画（ｂ）は６０％以下の防除レベルを示す。
【０４１５】
例Ｂ１１：Aphis gossypiiに対する作用
区画（ａ）上でδ−エンドトキシンＣｒｙIII ａを発現している区画（ａ）上の綿の実生と、区画（ｂ）上の従来の綿の実生とに、Aphis gossypiiを感染させ、続いてそれらを４００ｐｐｍのチアメトキサムを含むスプレー混合物でスプレーする。その直後に、区画（ｂ）を、δ−エンドトキシンＣｒｙIII ａの４００ｐｐｍを含むエマルションスプレー混合物で処理する。それらの実生を、次いで２０℃でインキュベートする。そのテストを、３日および６日後に評価する。
【０４１６】
個体群におけるパーセンテージ低減（％作用）は、区画（ａ）の植物上で死滅した有害生物の数を、区画（ｂ）の植物上のそれと比較することにより決定する。Aphis gossypiiの改善された防除が区画（ａ）の植物上で観察され、他方、区画（ｂ）は６０％以下の防除レベルを示す。
【０４１７】
例Ｂ１２：Frankliniella occidentalisに対する作用
区画（ａ）上のδ−エンドトキシンＣｒｙIII ａを発現している綿の実生と、区画（ｂ）上の従来の綿の実生とに、Frankliniella occidentalisを感染させ、続いてそれらを４００ｐｐｍのチアメトキサムを含むスプレー混合物でスプレーする。その直後に、区画（ｂ）を、δ−エンドトキシンＣｒｙIII ａの４００ｐｐｍを含むエマルションスプレー混合物で処理する。それらの実生を、次いで２０℃でインキュベートする。そのテストを、３日および６日後に評価する。
【０４１８】
個体群におけるパーセンテージ低減（％作用）は、区画（ａ）の植物上で死滅した有害生物の数を、区画（ｂ）の植物上のそれと比較することにより決定する。Frankliniella occidentalisの改善された防除が区画（ａ）の植物上で観察され、他方、区画（ｂ）は６０％以下の防除レベルを示す。
【０４１９】
例Ｂ１３：Aphis gossypiiに対する作用
区画（ａ）上のδ−エンドトキシンＣｒｙＩＡ（ｃ）を発現している綿の実生と、区画（ｂ）上の従来の綿の実生とに、Aphis gossypiiを感染させ、続いてそれらを４００ｐｐｍのチアメトキサムを含むスプレー混合物でスプレーする。その直後に、区画（ｂ）を、δ−エンドトキシンＣｒｙIII ａの４００ｐｐｍを含むエマルションスプレー混合物で処理する。それらの実生を、次いで２０℃でインキュベートする。そのテストを、３日および６日後に評価する。
【０４２０】
個体群におけるパーセンテージ低減（％作用）は、区画（ａ）の植物上で死滅した有害生物の数を、区画（ｂ）の植物上のそれと比較することにより決定する。Aphis gossypiiの改善された防除が区画（ａ）の植物上で観察され、他方、区画（ｂ）は６０％以下の防除レベルを示す。
【０４２１】
例Ｂ１４：Frankliniella occidentalisに対する作用
区画（ａ）上のδ−エンドトキシンＣｒｙＩＡ（ｃ）を発現している綿の実生と、区画（ｂ）上の従来の綿の実生とに、Frankliniella occidentalisを感染させ、続いてそれらを４００ｐｐｍのチアメトキサムを含むスプレー混合物でスプレーする。その直後に、区画（ｂ）を、δ−エンドトキシンＣｒｙＩＡ（ｃ）の４００ｐｐｍを含むエマルションスプレー混合物で処理する。それらの実生を、次いで２０℃でインキュベートする。そのテストを、３日および６日後に評価する。
【０４２２】
個体群におけるパーセンテージ低減（％作用）は、区画（ａ）の植物上で死滅した有害生物の数を、区画（ｂ）の植物上のそれと比較することにより決定する。Frankliniella occidentalisの改善された防除が区画（ａ）の植物上で観察され、他方、区画（ｂ）は６０％以下の防除レベルを示す。
【０４２３】
例Ｂ１５：Nephotettix cincticepsに対する作用
区画（ａ）上のδ−エンドトキシンＣｒｙＩＡ（ｂ）を発現しているイネ植物と、区画（ｂ）上の従来のイネ植物とを４００ｐｐｍのチアメトキサムを含むスプレー混合物でスプレーする。その直後に、区画（ｂ）を、δ−エンドトキシンＣｒｙＩＡ（ｂ）４００ｐｐｍを含むエマルションスプレー混合物で処理する。スプレーコーティングが乾燥した後、それらの植物を第２期および第３期のNephotettix cincticepsで感染させる。区画（ａ）および（ｂ）の実生を、次いで２０℃でインキュベートする。そのテストを、２１日後に評価する。
【０４２４】
個体群におけるパーセンテージ低減（％作用）は、区画（ａ）の植物上で死滅した有害生物の数を、区画（ｂ）の植物上のそれと比較することにより決定する。Nephotettix cincticepsの改善された防除が区画（ａ）の植物上で観察され、他方、区画（ｂ）は６０％以下の防除レベルを示す。
【０４２５】
例Ｂ１６：Nephotettix cincticepsに対する作用（全身的）
δ−エンドトキシンＣｒｙＩＡ（ｂ）を発現しているイネ植物をポット（ａ）に植え、従来のイネ植物をポット（ｂ）に植える。ポット（ａ）を、４００ｐｐｍのチアメトキサムを含む水性エマルション中に配置し、他方、区画（ｂ）を、４００ｐｐｍのチアメトキサムおよび４００ｐｐｍのδ−エンドトキシンＣｒｙＩ（ｂ）を含むポット中に配置する。それらの植物を、続いて第２期および第３期のNephotettix cincticeps幼虫で感染させる。６日後に、そのテストを評価する。
【０４２６】
個体群におけるパーセンテージ低減（％作用）は、ポット（ａ）の植物上で死滅した有害生物の数を、ポット（ｂ）の植物上のそれと比較することにより決定する。Nephotettix cincticepsの改善された防除がポット（ａ）の植物上で観察され、他方、ポット（ｂ）は６０％以下の防除レベルを示す。
【０４２７】
例Ｂ１７：Nilaparvata lugensに対する作用
区画（ａ）上のδ−エンドトキシンＣｒｙＩＡ（ｂ）を発現しているイネ植物と、区画（ｂ）上の従来のイネ植物とをNilaparvata lugensで感染させ、続いて４００ｐｐｍのチアメトキサムを含むスプレー混合物でスプレーする。その直後に、区画（ｂ）を、４００ｐｐｍのδ−エンドトキシンＣｒｙＩＡ（ｂ）を含むエマルションスプレー混合物で処理する。区画（ａ）および（ｂ）の実生を２０℃でインキュベートする。そのテストを、２１日後に評価する。
【０４２８】
個体群におけるパーセンテージ低減（％作用）は、区画（ａ）の植物上で死滅した有害生物の数を、区画（ｂ）の植物上のそれと比較することにより決定する。Nilaparvata lugensの改善された防除が区画（ａ）の植物上で観察され、他方、区画（ｂ）は６０％以下の防除レベルを示す。
【０４２９】
例Ｂ１８：Nilaparvata lugensに対する作用（全身的）
δ−エンドトキシンＣｒｙＩＡ（ｂ）を発現しているイネ植物を、ポット（ａ）に植え、従来のイネ植物をポット（ｂ）に植える。ポット（ａ）を、４００ｐｐｍのチアメトキサムを含む水性エマルション中に配置し、他方、区画（ｂ）を、４００ｐｐｍのチアメトキサムおよび４００ｐｐｍのδ−エンドトキシンＣｒｙＩＡ（ｂ）を含むポット中に配置する。それらの植物を、続いて第２期および第３期のNilaparvata lugens幼虫で感染させる。６日後に、そのテストを評価する。
【０４３０】
個体群におけるパーセンテージ低減（％作用）は、ポット（ａ）の植物上で死滅した有害生物の数を、ポット（ｂ）の植物上のそれと比較することにより決定する。Nilaparvata lugensの改善された防除がポット（ａ）の植物上で観察され、他方、ポット（ｂ）は６０％以下の防除レベルを示す。
【０４３１】
例Ｂ１９：Nephotettix cincticepsに対する作用
区画（ａ）上のδ−エンドトキシンＣｒｙＩＡ（ｃ）を発現しているイネ植物と、区画（ｂ）上の従来のイネ植物とを４００ｐｐｍのチアメトキサムを含むスプレー混合物でスプレーする。その直後に、区画（ｂ）を、δ−エンドトキシンＣｒｙＩＡ（ｃ）４００ｐｐｍを含むエマルションスプレー混合物で処理する。スプレーコーティングが乾燥した後、それらの植物を第２期および第３期のNephotettix cincticepsで感染させる。区画（ａ）および（ｂ）の実生を、次いで２０℃でインキュベートする。そのテストを、２１日後に評価する。
【０４３２】
個体群におけるパーセンテージ低減（％作用）は、区画（ａ）の植物上で死滅した有害生物の数を、区画（ｂ）の植物上のそれと比較することにより決定する。Nephotettix cincticepsの改善された防除が区画（ａ）の植物上で観察され、他方、区画（ｂ）は６０％以下の防除レベルを示す。
【０４３３】
例Ｂ２０：Nephotettix cincticepsに対する作用（全身的）
δ−エンドトキシンＣｒｙＩＡ（ｃ）を発現しているイネ植物を、ポット（ａ）に植え、従来のイネ植物をポット（ｂ）に植える。ポット（ａ）を、４００ｐｐｍのチアメトキサムを含む水性エマルション中に配置し、他方、区画（ｂ）を、４００ｐｐｍのチアメトキサムおよび４００ｐｐｍのδ−エンドトキシンＣｒｙＩ（ｂ）を含むポット中に配置する。それらの植物を、続いて第２期および第３期のNephotettix cincticeps幼虫で感染させる。６日後に、そのテストを評価する。
【０４３４】
個体群におけるパーセンテージ低減（％作用）は、ポット（ａ）の植物上で死滅した有害生物の数を、ポット（ｂ）の植物上のそれと比較することにより決定する。Nephotettix cincticepsの改善された防除がポット（ａ）の植物上で観察され、他方、ポット（ｂ）は６０％以下の防除レベルを示す。
【０４３５】
例Ｂ２１：Nilaparvata lugensに対する作用
区画（ａ）上のδ−エンドトキシンＣｒｙＩＡ（ｃ）を発現しているイネ植物と、区画（ｂ）上の従来のイネ植物とをNilaparvata lugensで感染させ、続いて４００ｐｐｍのチアメトキサムを含むスプレー混合物でスプレーする。その直後に、区画（ｂ）を、４００ｐｐｍのδ−エンドトキシンＣｒｙＩＡ（ｃ）を含むエマルションスプレー混合物で処理する。区画（ａ）および（ｂ）の実生を２０℃でインキュベートする。そのテストを、２１日後に評価する。
【０４３６】
個体群におけるパーセンテージ低減（％作用）は、区画（ａ）の植物上で死滅した有害生物の数を、区画（ｂ）の植物上のそれと比較することにより決定する。Nilaparvata lugensの改善された防除が区画（ａ）の植物上で観察され、他方、区画（ｂ）は６０％以下の防除レベルを示す。
【０４３７】
例Ｂ２２：Nilaparvata lugensに対する作用（全身的）
δ−エンドトキシンＣｒｙＩＡ（ｃ）を発現しているイネ植物をポット（ａ）に植え、従来のイネ植物をポット（ｂ）に植える。ポット（ａ）を、４００ｐｐｍのチアメトキサムを含む水性エマルション中に配置し、他方、区画（ｂ）を、４００ｐｐｍのチアメトキサムおよび４００ｐｐｍのδ−エンドトキシンＣｒｙＩＡ（ｃ）を含むポット中に配置する。それらの植物を、続いて第２期および第３期のNilaparvata lugens幼虫で感染させる。６日後に、そのテストを評価する。
【０４３８】
個体群におけるパーセンテージ低減（％作用）は、ポット（ａ）の植物上で死滅した有害生物の数を、ポット（ｂ）の植物上のそれと比較することにより決定する。Nephotettix cincticepsの改善された防除がポット（ａ）の植物上で観察され、他方、ポット（ｂ）は６０％以下の防除レベルを示す。